(57)【特許請求の範囲】
【請求項１】
メディアコンテンツを記憶するための方法であって、
音声コマンドをユーザから受信することと、
前記音声コマンドが、受信されたメディアアセット識別子を含むことを判定することと、
複数の既知のメディアアセット識別子を含むデータベースにアクセスすることと、
前記受信されたメディアアセット識別子と前記複数の既知のメディアアセット識別子とを相互参照することと、
前記相互参照に基づいて、前記受信されたメディアアセット識別子が前記複数の既知のメディアアセット識別子のいずれとも合致しないことを判定することと、
前記複数の既知のメディアアセット識別子に対して複数の類似度指標を計算することであって、前記複数の類似度指標は、前記受信されたメディアアセット識別子と前記複数の既知のメディアアセット識別子のそれぞれの識別子との間の類似度に対応する、ことと、
前記複数の類似度指標のうちの１つが閾値類似度指標を超えることを判定することと、
前記複数の既知のメディアアセット識別子から、前記閾値類似度指標を超える前記類似度指標を有する提案されるメディアアセット識別子を選択することと、
前記音声コマンドが、前記提案されるメディアアセット識別子と関連付けられたメディアアセットの部分を記憶する命令を含むことを判定することであって、前記部分は、前記メディアアセット全体未満である、ことと、
前記判定することに応答して、前記メディアアセットの前記部分のソースを識別することと、
前記メディアアセットの前記部分が記憶されるようにすることと
を含む、方法。
【請求項２】
前記メディアアセットの前記部分が記憶されるようにすることは、
前記音声コマンドが、前記メディアアセットの前記部分の持続時間のインジケーションを含むことを判定することと、
前記インジケーションに基づいて、前記メディアアセットの前記部分の開始位置および終了位置を判定することと、
前記開始位置と前記終了位置との間で経過する前記メディアアセットの前記部分が記憶されるようにすることと
を含む、請求項１に記載の方法。
【請求項３】
前記メディアアセットの前記部分の前記開始位置を判定することは、
前記命令に対応する初期ソースを判定することと、
前記メディアアセットのランタイムを判定することと、
前記命令に対応する前記初期ソースによって提示される前記メディアアセットの開始時間を判定することと、
前記音声コマンドが検出された時間を判定することと、
前記ランタイムと前記開始時間と前記音声コマンドが検出された時間とに基づいて、前記メディアアセットの前記部分の前記開始位置を判定することと
をさらに含む、請求項２に記載の方法。
【請求項４】
前記メディアアセットの前記部分の前記ソースを識別することは、
前記メディアアセットと関連付けられた信号を検出することと、
前記信号に基づいて、前記メディアアセットと関連付けられたフィンガプリントを判定することと、
複数の既知のフィンガプリントを含むデータベースにアクセスすることと、
前記フィンガプリントと前記複数の既知のフィンガプリントとを相互参照することと、
前記相互参照に基づいて、前記メディアアセットの前記部分の前記ソースの識別を判定することと
を含む、請求項１に記載の方法。
【請求項５】
前記メディアアセットの前記部分が記憶されるようにすることは、
前記メディアアセットの前記部分を遠隔データベースから読み出すことと、
前記メディアアセットの前記部分を前記ユーザのユーザ機器に記憶することと
を含む、請求項１に記載の方法。
【請求項６】
メディアコンテンツを記憶するためのシステムであって、前記システムは、
通信回路と、
記憶回路と、
制御回路と
を備え、
前記制御回路は、
前記通信回路を使用して、音声コマンドをユーザから受信することと、
前記音声コマンドが、受信されたメディアアセット識別子を含むことを判定することと、
複数の既知のメディアアセット識別子を含むデータベースにアクセスすることと、
前記受信されたメディアアセット識別子と前記複数の既知のメディアアセット識別子とを相互参照することと、
前記相互参照に基づいて、前記受信されたメディアアセット識別子が前記複数の既知のメディアアセット識別子のいずれとも合致しないことを判定することと、
前記複数の既知のメディアアセット識別子に対して複数の類似度指標を計算することであって、前記複数の類似度指標は、前記受信されたメディアアセット識別子と前記複数の既知のメディアアセット識別子のそれぞれの識別子との間の類似度に対応する、ことと、
前記複数の類似度指標のうちの１つが閾値類似度指標を超えることを判定することと、
前記複数の既知のメディアアセット識別子から、前記閾値類似度指標を超える前記類似度指標を有する提案されるメディアアセット識別子を選択することと、
前記音声コマンドが、前記提案されるメディアアセット識別子と関連付けられたメディアアセットの部分を記憶する命令を含むことを判定することであって、前記部分は、前記メディアアセット全体未満である、ことと、
前記判定することに応答して、前記メディアアセットの前記部分のソースを識別することと、
前記記憶回路を使用して、前記メディアアセットの前記部分が記憶されるようにすることと
を行うように構成されている、システム。
【請求項７】
前記制御回路は、前記メディアアセットの前記部分が記憶されるようにすると、
前記音声コマンドが、前記メディアアセットの前記部分の持続時間のインジケーションを含むことを判定することと、
前記持続時間の前記インジケーションに基づいて、前記メディアアセットの前記部分の開始位置および終了位置を判定することと、
前記開始位置と前記終了位置との間で経過する前記メディアアセットの前記部分が記憶されるようにすることと
を行うようにさらに構成されている、請求項６に記載のシステム。
【請求項８】
前記制御回路は、前記メディアアセットの前記部分の前記開始位置を判定すると、
前記命令に対応する初期ソースを判定することと、
前記メディアアセットのランタイムを判定することと、
前記命令に対応する前記初期ソースによって提示される前記メディアアセットの開始時間を判定することと、
前記音声コマンドが検出された時間を判定することと、
前記ランタイムと前記開始時間と前記音声コマンドが検出された時間とに基づいて、前記メディアアセットの前記部分の前記開始位置を判定することと
を行うようにさらに構成されている、請求項７に記載のシステム。
【請求項９】
前記制御回路は、前記メディアアセットの前記部分の前記ソースを識別すると、
前記メディアアセットと関連付けられた信号を検出することと、
前記信号に基づいて、前記メディアアセットと関連付けられたフィンガプリントを判定することと、
複数の既知のフィンガプリントを含むデータベースにアクセスすることと、
前記フィンガプリントと前記複数の既知のフィンガプリントとを相互参照することと、
前記相互参照に基づいて、前記メディアアセットの前記部分の前記ソースの識別を判定することと
を行うようにさらに構成されている、請求項６に記載のシステム。
【請求項１０】
前記制御回路は、前記メディアアセットの前記部分が記憶されるようにすると、
前記メディアアセットの前記部分を遠隔データベースから読み出すことと、
前記メディアアセットの前記部分を前記ユーザのユーザ機器に記憶することと
を行うようにさらに構成されている、請求項６に記載のシステム。
【発明の詳細な説明】
【技術分野】
【０００１】
（関連出願の相互参照）
本願は、２０１５年３月３０日に出願された米国実用特許出願第１４／６７３，４９３，号に対する優先権および利益を主張するものであり、該出願は、参照により本明細書中に援用される。
【背景技術】
【０００２】
近年、ユーザが多数のメディアアセットにアクセスし、それと相互作用し、それを録画することを可能な方法の数が、急速に増加している。典型的には、番組、映画、または他のメディアアセットの全体が、一度に録画される。しかしながら、多くの場合、ユーザが所与のメディアアセットの具体的部分のみに関心がある場合がある。
【発明の概要】
【課題を解決するための手段】
【０００３】
故に、ユーザコマンドに基づいて、メディアアセットの一部を識別および記憶する、メディアガイドアプリケーションのための方法およびシステムが、本明細書に開示される。特に、メディアガイドアプリケーションは、音声コマンド等のコマンドをユーザから受信し、次いで、コマンドに作用し得る。例えば、メディアガイドアプリケーションは、音声コマンドが、メディアアセットの一部（例えば、場面）を記憶する命令を含むことを判定してもよい。メディアガイドアプリケーションは、次いで、メディアアセットの部分のためのソース（例えば、ビデオオンデマンドプロバイダ）を見つけ、メディアアセットの部分を記憶させてもよい。そうすることによって、メディアガイドアプリケーションは、不必要な帯域幅または記憶空間を消費することなく、メディアアセットの要求された部分の記憶を促進し得る。メディアガイドアプリケーションはまた、ユーザが、元々要求された部分のために、メディアアセットの全体内を検索することを要求することなく、メディアアセットの部分の後の視聴を促進し得る。
【０００４】
いくつかの側面では、メディアガイドアプリケーションは、コマンドをユーザから（例えば、音声コマンド）受信してもよい。例えば、メディアガイドアプリケーションは、それを通して音声コマンドが受信され得るマイクロホンを備える、ユーザデバイス上に実装されてもよい。メディアガイドアプリケーションは、次いで、メディアアセットの部分を記憶する命令を備えることを判定してもよく（例えば、制御回路を介して）、部分は、メディアアセット全体未満である。例えば、コマンドは、メディアアセットからのまたはそれに関連する具体的場面、クリップ、チャプタ、インタビュー、予告編、広告、およびカットした場面のうちの少なくとも１つを記憶する命令を備えてもよい。
【０００５】
メディアガイドアプリケーションは、次いで、（例えば、制御回路を介して）メディアアセットの部分のソースを識別してもよい。例えば、メディアガイドアプリケーションは、今後のメディアアセットの放送のためのスケジュールデータ（例えば、記憶回路に位置する）を検索してもよい。ソースは、メディアガイドアプリケーションが認識する、任意の好適なプロバイダであってもよい。例えば、メディアガイドアプリケーションは、（例えば、通信ネットワークを介して）既知のメディアアセットソースのデータベースにアクセスしてもよい。
【０００６】
メディアガイドアプリケーションは、次いで、メディアアセットの部分を記憶させてもよい（例えば、記憶回路に）。例えば、メディアガイドアプリケーションは、メディアアセットの部分を遠隔データベースから読み出し（例えば、通信ネットワークを介して）、次いで、メディアアセットの部分をユーザのユーザ機器に（例えば、記憶回路に）記憶してもよい。別の実施例では、メディアガイドアプリケーションは、メディアアセットの部分をメディアアセットの放送から録画してもよい（例えば、記憶回路に）。
【０００７】
いくつかの実施形態では、メディアガイドアプリケーションは、コマンドが、メディアアセットの部分の持続時間のインジケーションを備えることを判定してもよい。例えば、メディアガイドアプリケーションは、コマンドが、メディアアセットの最初の５分を記憶する命令を含むことを判定してもよい。メディアガイドアプリケーションは、次いで、インジケーションに基づいて、メディアアセットの部分の開始位置および終了位置を判定してもよい（例えば、制御回路を介して）。例えば、メディアガイドアプリケーションは、「最初の５分」は、０分の開始位置（すなわち、メディアアセットの始まり）および５分の終了位置に対応することを判定してもよい。メディアガイドアプリケーションは、次いで、開始位置と終了位置との間で経過するメディアアセットの部分を記憶させてもよい。例えば、この場合、メディアアセットの最初の５分のみが記憶されるであろう。
【０００８】
別の実施例では、メディアガイドアプリケーションは、ユーザが現在視聴しているメディアアセットの部分を識別し、明示的持続時間インジケーションの不在下、その部分を記憶させてもよい。メディアガイドアプリケーションは、ユーザの場所、要求の時間、およびユーザがコマンドが発行された時間に視聴していたチャネル、プロバイダ、または他のソースに基づいて、メディアアセットの識別を判定することによって、メディアアセットの部分を部分的に識別してもよい。本プロセスは、以下により詳細に論じられる。
【０００９】
いくつかの実施形態では、メディアガイドアプリケーションは、メディアアセットと関連付けられた信号を検出してもよい。例えば、メディアガイドアプリケーションは、メディアアセットからのオーディオを含有するオーディオ信号を検出してもよい（例えば、音声コマンドを受信するために使用される同一マイクロホンを介して）。メディアガイドアプリケーションは、次いで、信号に基づいて、メディアアセットと関連付けられたフィンガプリントを判定してもよい（例えば、制御回路を介して）。例えば、メディアガイドアプリケーションは、検出されたオーディオ信号のための音響フィンガプリントを判定してもよい。メディアガイドアプリケーションは、次いで、複数の既知のフィンガプリントを備えるデータベースにアクセスしてもよい。例えば、データベース（例えば、遠隔サーバに位置し、通信ネットワークを介してアクセスされる）は、複数のメディアアセットのための以前に判定されたフィンガプリントの一覧を備えてもよい。メディアガイドアプリケーションは、次いで、フィンガプリントと複数の既知のフィンガプリントを相互参照し、相互参照に基づいて、メディアアセットの部分のソースの識別を判定してもよい。例えば、メディアガイドアプリケーションは、フィンガプリントと以前に判定されたフィンガプリントの一覧を比較し、合致を見つけてもよい。
【００１０】
いくつかの実施形態では、メディアガイドアプリケーションは、命令内のデバイス識別子を検出してもよい。例えば、メディアガイドアプリケーションは、「私のタブレット」という語句のユーザの言明を検出することによって、メディアアセットの部分を記憶するユーザ命令を検出してもよい。メディアガイドアプリケーションは、次いで、ユーザプロファイルに基づいて、識別子が対応するデバイスを判定してもよい（例えば、制御回路を介して）。例えば、メディアガイドアプリケーションは、用語「私のタブレット」が、ユーザプロファイル（例えば、記憶回路に位置する）に基づいて、ユーザと関連付けられた具体的デバイスを指すことを認識してもよい。メディアガイドアプリケーションは、次いで、メディアアセットの部分をデバイスに記憶させてもよい。例えば、メディアガイドアプリケーションは、ユーザと関連付けられた別のデバイスとは対照的に、本動作に基づいて、メディアアセットの部分をユーザのタブレット上に記憶させてもよい。
【００１１】
メディアガイドアプリケーションはまた、いったんメディアアセットの部分のソースが識別され、デバイスが判定されると、表示のために、記憶確認メッセージを生成してもよい（例えば、制御回路を介して）。例えば、メディアガイドアプリケーションは、表示のために、コマンドが受信されたユーザデバイス上に、メディアアセットの部分が見つけられ、録画が識別されたデバイス上でまもなく始まるというメッセージ確認を生成してもよい。メディアガイドアプリケーションは、メッセージ内で、メディアアセット、ユーザ、識別されたデバイス、または任意の他の関連する記憶関連情報もしくは任意のそれらの組み合わせを識別してもよい。
【００１２】
いくつかの実施形態では、メディアガイドアプリケーションは、メディアアセットの部分が、命令に対応する初期ソースにおいて部分的に再生されたことを判定してもよい。例えば、メディアガイドアプリケーションが、ユーザが現在進行中の放送からの場面が記憶されることを要求したことを判定する場合、メディアガイドアプリケーションは、場面がすでに部分的に再生された（すなわち、メディアアセットの部分の断片のみ、初期ソースから記憶された可能性がある）ことを判定してもよい（例えば、制御回路を介して）。本判定に応答して、メディアガイドアプリケーションは、次いで、メディアアセットの部分のための二次ソースを識別してもよい。例えば、メディアガイドアプリケーションは、スケジュールデータ（例えば、記憶回路に位置する）を検索し、要求された部分の全体が記憶され得るように、メディアアセットの将来の放送をメディアアセットの部分のための二次ソースとして識別してもよい。
【００１３】
いくつかの実施形態では、メディアガイドアプリケーションは、コマンドが、受信されたメディアアセット識別子を備えることを判定してもよい。例えば、メディアガイドアプリケーションは、ユーザが、そのコマンド内において、メディアアセットを名称で要求したことを検出してもよい。メディアガイドアプリケーションは、次いで、複数の既知のメディアアセット識別子を備えるデータベースにアクセスしてもよい（例えば、制御回路を介して）。例えば、メディアガイドアプリケーションは、既知のメディアアセット識別子の一覧（例えば、利用可能なメディアアセットの名称）を含有する、遠隔サーバ上に記憶されたデータベースにアクセスしてもよい。
【００１４】
データベースにアクセス後、メディアガイドアプリケーションは、受信されたメディアアセット識別子と複数の既知のメディアアセット識別子を相互参照してもよい。本相互参照に基づいて、メディアガイドアプリケーションは、次いで、受信されたメディアアセット識別子が複数のまたは既知のメディアアセット識別子の任意の既知のメディアアセット識別子に合致しないことを判定してもよい。例えば、メディアガイドアプリケーションが、ユーザが、その適切な名称の誤ったまたは短縮されたバージョンを使用して、メディアアセットを要求したことを判定する場合、メディアガイドアプリケーションは、ユーザが規定した名称がデータベース内の任意の既知の名称に合致しないことを判定してもよい（例えば、制御回路を使用して）。
【００１５】
メディアガイドアプリケーションは、次いで、複数の既知のメディアアセット識別子のための類似度指標のセットを計算してもよい。メディアガイドアプリケーションによって算出される類似度指標は、数値であって、受信されたメディアアセット識別子と既知のメディアアセット識別子との間の類似度に対応してもよい。例えば、メディアガイドアプリケーションは、ユーザから受信された名称がデータベース内で命名された所与のメディアアセットとどれくらい近似するかに対応するように、類似度指標を算出してもよい。メディアガイドアプリケーションは、文字毎比較、単語毎比較、カテゴリ比較（すなわち、受信されたメディアアセット識別子および既知のメディアアセット識別子がジャンル等の同一カテゴリに属するかどうかを判定する）、または任意の他の適切な比較方法を使用して、本近似性を判定してもよい。類似度指標を計算するプロセスは、図１２に関して以下により詳細に論じられる。
【００１６】
メディアガイドアプリケーションは、次いで、類似度指標のセットの類似度指標が閾値類似度指標を超えることを判定してもよい（例えば、制御回路を使用して）。例えば、メディアガイドアプリケーションが、類似度指標が閾値を超えることを判定する場合、これは、メディアガイドアプリケーションに、既知のメディアアセット識別子のうちの少なくとも１つが、潜在的合致であることを信号伝達してもよい。本判定に基づいて、メディアガイドアプリケーションは、次いで、提案されるメディアアセット識別子を選択し、ユーザに、その提案されるメディアアセット識別子が受信されたメディアアセット識別子に対応することを確認するオプションを提供してもよい。例えば、メディアガイドアプリケーションが、ユーザが「Ｓｔａｒ  Ｗａｒｓ  １」を要求したことを判定する場合、メディアガイドアプリケーションは、「Ｓｔａｒ  Ｗａｒｓ  Ｅｐｉｓｏｄｅ  １：  Ｔｈｅ  Ｐｈａｎｔｏｍ  Ｍｅｎａｃｅ」を潜在的合致として提案してもよい。
【００１７】
前述のシステムおよび／または方法は、他のシステム、方法、および／または装置に適用される、もしくはそれに従って使用されてもよいことに留意されたい。
本願明細書は、例えば、以下の項目も提供する。
（項目１）
メディアコンテンツを記憶するための方法であって、
音声コマンドをユーザから受信するステップと、
前記音声コマンドが、メディアアセットの部分を記憶する命令を備えることを判定するステップであって、前記部分は、前記メディアアセット全体未満である、ステップと、
前記判定に応答して、前記メディアアセットの部分のソースを識別するステップと、
前記メディアアセットの部分を記憶させるステップと、
を含む、方法。
（項目２）
前記メディアアセットの部分を記憶させるステップは、
前記音声コマンドが、前記メディアアセットの部分の持続時間のインジケーションを備えることを判定するステップと、
前記インジケーションに基づいて、前記メディアアセットの部分の開始位置および終了位置を判定するステップと、
前記開始位置と前記終了位置との間で経過する前記メディアアセットの部分を記憶させるステップと、
を含む、項目１に記載の方法。
（項目３）
前記メディアアセットの部分の開始位置を判定するステップはさらに、
前記命令に対応する初期ソースを判定するステップと、
前記メディアアセットのランタイムを判定するステップと、
前記命令に対応する初期ソースによって提示される前記メディアアセットの開始時間を判定するステップと、
前記コマンドが検出された時間を判定するステップと、
前記ランタイム、前記開始時間、および前記コマンドが検出された時間に基づいて、前記メディアアセットの部分の開始位置を判定するステップと、
を含む、項目２に記載の方法。
（項目４）
前記メディアアセットの部分のソースを識別するステップは、
前記メディアアセットと関連付けられた信号を検出するステップと、
前記信号に基づいて、前記メディアアセットと関連付けられたフィンガプリントを判定するステップと、
複数の既知のフィンガプリントを備えるデータベースにアクセスするステップと、
前記フィンガプリントと前記複数の既知のフィンガプリントを相互参照するステップと、
前記相互参照に基づいて、前記メディアアセットの部分のソースの識別を判定するステップと、
を含む、項目１に記載の方法。
（項目５）
前記メディアアセットの部分を記憶させるステップは、
前記メディアアセットの部分を遠隔データベースから読み出すステップと、
前記メディアアセットの部分を前記ユーザのユーザ機器に記憶するステップと、
を含む、項目１に記載の方法。
（項目６）
前記メディアアセットの部分を記憶させるステップは、前記メディアアセットの部分を前記メディアアセットの放送から録画するステップを含む、項目１に記載の方法。
（項目７）
前記命令内のデバイス識別子を検出するステップと、
ユーザプロファイルに基づいて、前記識別子が対応するデバイスを判定するステップと、
前記メディアアセットの部分を前記デバイスに記憶させるステップと、
をさらに含む、項目１に記載の方法。
（項目８）
前記メディアアセットの部分のソースが識別され、前記デバイスが判定されると、表示のために、記憶確認メッセージを生成するステップをさらに含む、項目７に記載の方法。
（項目９）
前記メディアアセットの部分が、前記命令に対応する初期ソースにおいて部分的に再生されたことを判定するステップと、
前記判定に応答して、前記メディアアセットの部分のための二次ソースを識別するステップと、
をさらに含む、項目１に記載の方法。
（項目１０）
前記音声コマンドは、受信されたメディアアセット識別子を備えることを判定するステップと、
複数の既知のメディアアセット識別子を備えるデータベースにアクセスするステップと、
前記受信されたメディアアセット識別子と前記複数の既知のメディアアセット識別子を相互参照するステップと、
前記相互参照に基づいて、前記受信されたメディアアセット識別子が前記複数の既知のメディアアセット識別子の任意の既知のメディアアセット識別子に合致しないことを判定するステップと、
前記複数の既知のメディアアセット識別子のための類似度指標のセットを計算するステップであって、類似度指標は、前記受信されたメディアアセット識別子と前記既知のメディアアセット識別子との間の類似度に対応する、ステップと、
前記類似度指標のセットの類似度指標が閾値類似度指標を超えることを判定するステップと、
前記判定に基づいて、提案されるメディアアセット識別子を選択するステップと、
前記ユーザに、前記提案されるメディアアセット識別子が前記受信されたメディアアセット識別子に対応することを確認するためのオプションを提供するステップと、
をさらに含む、項目１に記載の方法。
（項目１１）
メディアコンテンツを記憶するためのシステムであって、
通信回路と、
記憶回路と、
制御回路であって、
前記通信回路を使用して、音声コマンドをユーザから受信することと、
前記音声コマンドが、メディアアセットの部分を記憶する命令を備えることを判定することであって、前記部分は、前記メディアアセット全体未満である、ことと、
前記判定に応答して、前記メディアアセットの部分のソースを識別することと、
前記記憶回路を使用して、前記メディアアセットの部分を記憶させることと
を行うように構成される、制御回路と、
を備える、システム。
（項目１２）
前記制御回路はさらに、前記メディアアセットの部分を記憶させると、
前記音声コマンドが、前記メディアアセットの部分の持続時間のインジケーションを備えることを判定することと、
前記持続時間のインジケーションに基づいて、前記メディアアセットの部分の開始位置および終了位置を判定することと、
前記開始位置と前記終了位置との間で経過する前記メディアアセットの部分を記憶させることと
を行うように構成される、項目１１に記載のシステム。
（項目１３）
前記制御回路はさらに、前記メディアアセットの部分の開始位置を判定すると、
前記命令に対応する初期ソースを判定することと、
前記メディアアセットのランタイムを判定することと、
前記命令に対応する初期ソースによって提示される前記メディアアセットの開始時間を判定することと、
前記コマンドが検出された時間を判定することと、
前記ランタイム、前記開始時間、および前記コマンドが検出された時間に基づいて、前記メディアアセットの部分の開始位置を判定することと
を行うように構成される、項目１２に記載のシステム。
（項目１４）
前記制御回路はさらに、前記メディアアセットの部分のソースを識別すると、
前記メディアアセットと関連付けられた信号を検出することと、
前記信号に基づいて、前記メディアアセットと関連付けられたフィンガプリントを判定することと、
複数の既知のフィンガプリントを備えるデータベースにアクセスすることと、
前記フィンガプリントと前記複数の既知のフィンガプリントを相互参照することと、
前記相互参照に基づいて、前記メディアアセットの部分のソースの識別を判定することと
を行うように構成される、項目１１に記載のシステム。
（項目１５）
前記制御回路はさらに、前記メディアアセットの部分を記憶させると、
前記メディアアセットの部分を遠隔データベースから読み出すことと、
前記メディアアセットの部分を前記ユーザのユーザ機器に記憶することと
を行うように構成される、項目１１に記載のシステム。
（項目１６）
前記制御回路はさらに、前記メディアアセットの部分を記憶させると、前記メディアアセットの部分を前記メディアアセットの放送から録画するように構成される、項目１１に記載のシステム。
（項目１７）
前記制御回路はさらに、
前記命令内のデバイス識別子を検出することと、
ユーザプロファイルに基づいて、前記識別子が対応するデバイスを判定することと、
前記メディアアセットの部分を前記デバイスに記憶させることと
を行うように構成される、項目１１に記載のシステム。
（項目１８）
前記制御回路はさらに、前記メディアアセットの部分のソースが識別され、前記デバイスが判定されると、表示のために、記憶確認メッセージを生成するように構成される、項目１８に記載のシステム。
（項目１９）
前記制御回路はさらに、
前記メディアアセットの部分が、前記命令に対応する初期ソースにおいて部分的に再生されたことを判定することと、
前記判定に応答して、前記メディアアセットの部分のための二次ソースを識別することと
を行うように構成される、項目１１に記載のシステム。
（項目２０）
前記制御回路はさらに、
前記音声コマンドが、受信されたメディアアセット識別子を備えることを判定することと、
複数の既知のメディアアセット識別子を備えるデータベースにアクセスすることと、
前記受信されたメディアアセット識別子と前記複数の既知のメディアアセット識別子を相互参照することと、
前記相互参照に基づいて、前記受信されたメディアアセット識別子が前記複数の既知のメディアアセット識別子の任意の既知のメディアアセット識別子に合致しないことを判定することと、
前記複数の既知のメディアアセット識別子のための類似度指標のセットを計算することであって、類似度指標は、前記受信されたメディアアセット識別子と前記既知のメディアアセット識別子との間の類似度に対応する、ことと、
前記類似度指標のセットの類似度指標が閾値類似度指標を超えることを判定することと、
前記判定に基づいて、提案されるメディアアセット識別子を選択することと、
前記ユーザに、前記提案されるメディアアセット識別子が前記受信されたメディアアセット識別子に対応することを確認するためのオプションを提供することと
を行うように構成される、項目１１に記載のシステム。
（項目２１）
メディアコンテンツを記憶するためのシステムであって、
音声コマンドをユーザから受信するための手段と、
前記音声コマンドが、メディアアセットの部分を記憶する命令を備えることを判定するための手段であって、前記部分は、前記メディアアセット全体未満である、手段と、
前記判定に応答して、前記メディアアセットの部分のソースを識別するための手段と、
前記メディアアセットの部分を記憶させるための手段と、
を備える、システム。
（項目２２）
前記メディアアセットの部分を記憶させるための手段は、
前記音声コマンドが、前記メディアアセットの部分の持続時間のインジケーションを備えることを判定するための手段と、
前記インジケーションに基づいて、前記メディアアセットの部分の開始位置および終了位置を判定するための手段と、
前記開始位置と前記終了位置との間で経過する前記メディアアセットの部分を記憶させるための手段と、
を備える、項目２１に記載のシステム。
（項目２３）
前記メディアアセットの部分の開始位置を判定するための手段はさらに、
前記命令に対応する初期ソースを判定するための手段と、
前記メディアアセットのランタイムを判定するための手段と、
前記命令に対応する初期ソースによって提示される前記メディアアセットの開始時間を判定するための手段と、
前記コマンドが検出された時間を判定するための手段と、
前記ランタイム、前記開始時間、および前記コマンドが検出された時間に基づいて、前記メディアアセットの部分の開始位置を判定するための手段と、
を備える、項目２２に記載のシステム。
（項目２４）
前記メディアアセットの部分のソースを識別するための手段は、
前記メディアアセットと関連付けられた信号を検出するための手段と、
前記信号に基づいて、前記メディアアセットと関連付けられたフィンガプリントを判定するための手段と、
複数の既知のフィンガプリントを備えるデータベースにアクセスするための手段と、
前記フィンガプリントと前記複数の既知のフィンガプリントを相互参照するための手段と、
前記相互参照に基づいて、前記メディアアセットの部分のソースの識別を判定するための手段と、
を備える、項目２１に記載のシステム。
（項目２５）
前記メディアアセットの部分を記憶させるための手段は、
前記メディアアセットの部分を遠隔データベースから読み出すための手段と、
前記メディアアセットの部分を前記ユーザのユーザ機器に記憶するための手段と、
を備える、項目２１に記載のシステム。
（項目２６）
前記メディアアセットの部分を記憶させるための手段は、前記メディアアセットの部分を前記メディアアセットの放送から録画するための手段を備える、項目２１に記載のシステム。
（項目２７）
前記命令内のデバイス識別子を検出するための手段と、
ユーザプロファイルに基づいて、前記識別子が対応するデバイスを判定するための手段と、
前記メディアアセットの部分を前記デバイスに記憶させるための手段と、
をさらに備える、項目２１に記載のシステム。
（項目２８）
前記メディアアセットの部分のソースが識別され、前記デバイスが判定されると、表示のために、記憶確認メッセージを生成するための手段をさらに備える、項目２７に記載のシステム。
（項目２９）
前記メディアアセットの部分が、前記命令に対応する初期ソースにおいて部分的に再生されたことを判定するための手段と、
前記判定に応答して、前記メディアアセットの部分のための二次ソースを識別するための手段と、
をさらに備える、項目２１に記載のシステム。
（項目３０）
前記音声コマンドは、受信されたメディアアセット識別子を備えることを判定するための手段と、
複数の既知のメディアアセット識別子を備えるデータベースにアクセスするための手段と、
前記受信されたメディアアセット識別子と前記複数の既知のメディアアセット識別子を相互参照するための手段と、
前記相互参照に基づいて、前記受信されたメディアアセット識別子が前記複数の既知のメディアアセット識別子の任意の既知のメディアアセット識別子に合致しないことを判定するための手段と、
前記複数の既知のメディアアセット識別子のための類似度指標のセットを計算するための手段であって、類似度指標は、前記受信されたメディアアセット識別子と前記既知のメディアアセット識別子との間の類似度に対応する、手段と、
前記類似度指標のセットの類似度指標が閾値類似度指標を超えることを判定するための手段と、
前記判定に基づいて、提案されるメディアアセット識別子を選択するための手段と、
前記ユーザに、前記提案されるメディアアセット識別子が前記受信されたメディアアセット識別子に対応することを確認するためのオプションを提供するための手段と、
をさらに備える、項目２１に記載のシステム。
（項目３１）
メディアコンテンツを記憶するための方法であって、
音声コマンドをユーザから受信するステップと、
前記音声コマンドが、メディアアセットの部分を記憶する命令を備えることを判定するステップであって、前記部分は、前記メディアアセット全体未満である、ステップと、
前記判定に応答して、前記メディアアセットの部分のソースを識別するステップと、
前記メディアアセットの部分を記憶させるステップと、
を含む、方法。
（項目３２）
前記メディアアセットの部分を記憶させるステップは、
前記音声コマンドが、前記メディアアセットの部分の持続時間のインジケーションを備えることを判定するステップと、
前記インジケーションに基づいて、前記メディアアセットの部分の開始位置および終了位置を判定するステップと、
前記開始位置と前記終了位置との間で経過する前記メディアアセットの部分を記憶させるステップと、
を含む、項目３１または３２に記載の方法。
（項目３３）
前記メディアアセットの部分の開始位置を判定するステップはさらに、
前記命令に対応する初期ソースを判定するステップと、
前記メディアアセットのランタイムを判定するステップと、
前記命令に対応する初期ソースによって提示される前記メディアアセットの開始時間を判定するステップと、
前記コマンドが検出された時間を判定するステップと、
前記ランタイム、前記開始時間、および前記コマンドが検出された時間に基づいて、前記メディアアセットの部分の開始位置を判定するステップと、
を含む、項目３２に記載の方法。
（項目３４）
前記メディアアセットの部分のソースを識別するステップは、
前記メディアアセットと関連付けられた信号を検出するステップと、
前記信号に基づいて、前記メディアアセットと関連付けられたフィンガプリントを判定するステップと、
複数の既知のフィンガプリントを備えるデータベースにアクセスするステップと、
前記フィンガプリントと前記複数の既知のフィンガプリントを相互参照するステップと、
前記相互参照に基づいて、前記メディアアセットの部分のソースの識別を判定するステップと、
を含む、項目３１−３３のいずれかに記載の方法。
（項目３５）
前記メディアアセットの部分を記憶させるステップは、
前記メディアアセットの部分を遠隔データベースから読み出すステップと、
前記メディアアセットの部分を前記ユーザのユーザ機器に記憶するステップと、
を含む、項目３１−３４のいずれかに記載の方法。
（項目３６）
前記メディアアセットの部分を記憶させるステップは、前記メディアアセットの部分を前記メディアアセットの放送から録画するステップを含む、項目３１−３５のいずれかに記載の方法。
（項目３７）
前記命令内のデバイス識別子を検出するステップと、
ユーザプロファイルに基づいて、前記識別子が対応するデバイスを判定するステップと、
前記メディアアセットの部分を前記デバイスに記憶させるステップと、
をさらに含む、項目３１−３６のいずれかに記載の方法。
（項目３８）
前記メディアアセットの部分のソースが識別され、前記デバイスが判定されると、表示のために、記憶確認メッセージを生成するステップをさらに含む、項目３７に記載の方法。
（項目３９）
前記メディアアセットの部分が、前記命令に対応する初期ソースにおいて部分的に再生されたことを判定するステップと、
前記判定に応答して、前記メディアアセットの部分のための二次ソースを識別するステップと、
をさらに含む、項目３１−３８のいずれかに記載の方法。
（項目４０）
前記音声コマンドが受信されたメディアアセット識別子を備えることを判定するステップと、
複数の既知のメディアアセット識別子を備えるデータベースにアクセスするステップと、
前記受信されたメディアアセット識別子と前記複数の既知のメディアアセット識別子を相互参照するステップと、
前記相互参照に基づいて、前記受信されたメディアアセット識別子が前記複数の既知のメディアアセット識別子の任意の既知のメディアアセット識別子に合致しないことを判定するステップと、
前記複数の既知のメディアアセット識別子のための類似度指標のセットを計算するステップであって、類似度指標は、前記受信されたメディアアセット識別子と前記既知のメディアアセット識別子との間の類似度に対応する、ステップと、
前記類似度指標のセットの類似度指標が閾値類似度指標を超えることを判定するステップと、
前記判定に基づいて、提案されるメディアアセット識別子を選択するステップと、
前記ユーザに、前記提案されるメディアアセット識別子が前記受信されたメディアアセット識別子に対応することを確認するためのオプションを提供するステップと、
をさらに含む、項目３１−３９のいずれかに記載の方法。
（項目４１）
メディアコンテンツを記憶するためにその上にエンコードされた機械可読命令を備える、非一過性コンピュータ可読媒体であって、前記命令は、
音声コマンドをユーザから受信するための命令と、
前記音声コマンドが、メディアアセットの部分を記憶する命令を備えることを判定するための命令であって、前記部分は、前記メディアアセット全体未満である、命令と、
前記判定に応答して、前記メディアアセットの部分のソースを識別するための命令と、
前記メディアアセットの部分を記憶させるための命令と、
を備える、非一過性コンピュータ可読媒体。
（項目４２）
前記メディアアセットの部分を記憶させるための命令は、
前記音声コマンドが、前記メディアアセットの部分の持続時間のインジケーションを備えることを判定するための命令と、
前記インジケーションに基づいて、前記メディアアセットの部分の開始位置および終了位置を判定するための命令と、
前記開始位置と前記終了位置との間で経過する前記メディアアセットの部分を記憶させるための命令と、
を備える、項目４１に記載の非一過性コンピュータ可読媒体。
（項目４３）
前記メディアアセットの部分の開始位置を判定するための命令はさらに、
前記命令に対応する初期ソースを判定するための命令と、
前記メディアアセットのランタイムを判定するための命令と、
前記命令に対応する初期ソースによって提示される前記メディアアセットの開始時間を判定するための命令と、
前記コマンドが検出された時間を判定するための命令と、
前記ランタイム、前記開始時間、および前記コマンドが検出された時間に基づいて、前記メディアアセットの部分の開始位置を判定するための命令と、
を備える、項目４２に記載の非一過性コンピュータ可読媒体。
（項目４４）
前記メディアアセットの部分のソースを識別するための命令は、
前記メディアアセットと関連付けられた信号を検出するための命令と、
前記信号に基づいて、前記メディアアセットと関連付けられたフィンガプリントを判定するための命令と、
複数の既知のフィンガプリントを備えるデータベースにアクセスするための命令と、
前記フィンガプリントと前記複数の既知のフィンガプリントを相互参照するための命令と、
前記相互参照に基づいて、前記メディアアセットの部分のソースの識別を判定するための命令と、
を備える、項目４１に記載の非一過性コンピュータ可読媒体。
（項目４５）
前記メディアアセットの部分を記憶させるための命令は、
前記メディアアセットの部分を遠隔データベースから読み出すための命令と、
前記メディアアセットの部分を前記ユーザのユーザ機器に記憶するための命令と、
を備える、項目４１に記載の非一過性コンピュータ可読媒体。
（項目４６）
前記メディアアセットの部分を記憶させるための命令は、前記メディアアセットの部分を前記メディアアセットの放送から録画するための命令を備える、項目４１に記載の非一過性コンピュータ可読媒体。
（項目４７）
前記命令はさらに、
前記命令内のデバイス識別子を検出するための命令と、
ユーザプロファイルに基づいて、前記識別子が対応するデバイスを判定するための命令と、
前記メディアアセットの部分を前記デバイスに記憶させるための命令と、
を備える、項目４１に記載の非一過性コンピュータ可読媒体。
（項目４８）
前記命令はさらに、前記メディアアセットの部分のソースが識別され、前記デバイスが判定されると、表示のために、記憶確認メッセージを生成するための命令を備える、項目４７に記載の非一過性コンピュータ可読媒体。
（項目４９）
前記命令はさらに、
前記メディアアセットの部分が、前記命令に対応する初期ソースにおいて部分的に再生されたことを判定するための命令と、
前記判定に応答して、前記メディアアセットの部分のための二次ソースを識別するための命令と、
を備える、項目４１に記載の非一過性コンピュータ可読媒体。
（項目５０）
前記命令はさらに、
前記音声コマンドが、受信されたメディアアセット識別子を備えることを判定するための命令と、
複数の既知のメディアアセット識別子を備えるデータベースにアクセスするための命令と、
前記受信されたメディアアセット識別子と前記複数の既知のメディアアセット識別子を相互参照するための命令と、
前記相互参照に基づいて、前記受信されたメディアアセット識別子が前記複数の既知のメディアアセット識別子の任意の既知のメディアアセット識別子に合致しないことを判定するための命令と、
前記複数の既知のメディアアセット識別子のための類似度指標のセットを計算するための命令であって、類似度指標は、前記受信されたメディアアセット識別子と前記既知のメディアアセット識別子との間の類似度に対応する、命令と、
前記類似度指標のセットの類似度指標が閾値類似度指標を超えることを判定するための命令と、
前記判定に応答して、提案されるメディアアセット識別子を選択するための命令と、
前記ユーザに、前記提案されるメディアアセット識別子が前記受信されたメディアアセット識別子に対応することを確認するためのオプションを提供するための命令と、
を備える、項目４１に記載の非一過性コンピュータ可読媒体。
【図面の簡単な説明】
【００１８】
本開示の上記および他の目的ならびに利点は、類似参照文字が全体を通して類似部品を指す、添付図面と併せて解釈される、以下の詳細な説明を考慮することによって明白となるであろう。
【００１９】
【図１】図１は、本開示のいくつかの実施形態による、メディアガイドアプリケーションによって生成されるディスプレイ画面の例証的実施例を示す。
【図２】図２は、本開示のいくつかの実施形態による、メディアガイドアプリケーションによって生成されるディスプレイ画面の別の例証的実施例を示す。
【図３】図３は、本開示のいくつかの実施形態による、例証的ユーザ機器デバイスのブロック図である。
【図４】図４は、本開示のいくつかの実施形態による、例証的メディアシステムのブロック図である。
【図５】図５は、本開示のいくつかの実施形態による、メディアガイドアプリケーションが実装されたユーザデバイスの例証的実施形態を示す。
【図６】図６は、本開示のいくつかの実施形態による、ユーザコマンドを処理し、メディアアセットの一部をコマンドが受信されたユーザデバイス上に記憶させるように作用し得る、システムの例証的実施形態を示す。
【図７】図７は、本開示のいくつかの実施形態による、ユーザコマンドを処理し、メディアアセットの一部を第２のユーザデバイス上に記憶させるように作用し得る、システムの例証的実施形態を示す。
【図８】図８は、本開示のいくつかの実施形態による、ユーザから受信されたコマンドに基づいて、メディアアセットの部分を記憶するための例証的ステップのフロー図である。
【図９】図９は、本開示のいくつかの実施形態による、複数のソースが識別されるときのメディアアセットの部分を記憶するための例証的ステップのフロー図である。
【図１０】図１０は、本開示のいくつかの実施形態による、部分の開始位置および終了位置がユーザによって示されたときのメディアアセットの部分を記憶するための例証的ステップのフロー図である。
【図１１】図１１は、本開示のいくつかの実施形態による、メディアアセットの一部を識別されたデバイスに記憶するための例証的ステップのフロー図である。
【図１２】図１２は、本開示のいくつかの実施形態による、ユーザがデータベースに既知の任意のメディアアセットに合致しないメディアアセット識別子を提供したことに応答して、提案されるメディアアセット識別子を選択するための例証的ステップのフロー図である。
【図１３】図１３は、本開示のいくつかの実施形態による、ユーザがすでに部分的に再生されたメディアアセットの一部の記憶を要求するときのメディアアセットの一部のセクションを複数のソースから組み合わせるための例証的ステップのフロー図である。
【発明を実施するための形態】
【００２０】
ユーザコマンドに基づいて、メディアアセットの一部を識別および記憶する、メディアガイドアプリケーションのための方法およびシステムが、本明細書に開示される。特に、メディアガイドアプリケーションは、コマンドをユーザから受信し、次いで、コマンドに作用してもよい。例えば、メディアガイドアプリケーションは、コマンドが、メディアアセットの一部（例えば、クリップ）を記憶する命令を含むことを判定してもよい。メディアガイドアプリケーションは、次いで、メディアアセットの部分のためのソース（例えば、将来の放送）を見つけ、メディアアセットの部分を記憶させてもよい。そうすることによって、メディアガイドアプリケーションは、ユーザが、元々要求された部分のために、メディアアセットの全体内を検索することを要求せずに、メディアアセットの部分の後の視聴を促進し得る。例えば、メディアガイドアプリケーションは、メディアアセットの一部のみを記憶させ、ユーザが、後にそれにアクセスすることを可能にしてもよい。別の実施例では、メディアガイドアプリケーションは、メディアアセット全体を記憶してもよく、ユーザが記憶されたメディアアセットにアクセスするとき、要求された部分の開始のインジケータとしてのポインタに依拠することによって、メディアガイドアプリケーションが要求された部分の開始時に再生を始めさせるように、ポインタとメディアアセットの部分を関連付けてもよい。
【００２１】
いくつかの側面では、メディアガイドアプリケーションは、コマンドをユーザから（例えば、音声コマンド）受信してもよい。例えば、メディアガイドアプリケーションは、それを通して音声コマンドが受信され得るマイクロホンを備える、ユーザデバイス上に実装されてもよい。メディアガイドアプリケーションは、次いで、コマンドが、メディアアセットの部分を記憶する命令を備えることを判定してもよく（例えば、制御回路を介して）、部分は、メディアアセット全体未満である。例えば、コマンドは、メディアアセットからのまたはそれに関連する具体的場面、クリップ、チャプタ、インタビュー、予告編、広告、およびカットした場面のうちの少なくとも１つを記憶する命令を備えてもよい。コマンドはまた、相互に関連するメディアアセットの複数の部分を記憶する命令を備えてもよい。例えば、部分は、ある俳優または登場人物を含有する、ソーシャルメディア上の言及または相互作用の閾値数と関連付けられる、あるタイプの音楽を含有する、ある気分と関連付けられる、ユーザの友人によって録画のためにスケジュールされている、または任意の他の適切な基準もしくは任意のそれらの組み合わせであってもよい。
【００２２】
メディアガイドアプリケーションは、次いで、メディアアセットの部分のソースを識別してもよい（例えば、制御回路を介して）。例えば、メディアガイドアプリケーションは、今後のメディアアセットの放送のためのスケジュールデータ（例えば、記憶回路に位置する）を検索してもよい。ソースは、メディアガイドアプリケーションが認識する任意の好適なプロバイダであってもよい。例えば、メディアガイドアプリケーションは、既知のメディアアセットソースのデータベースにアクセスしてもよい（例えば、通信ネットワークを介して）。
【００２３】
メディアガイドアプリケーションは、次いで、メディアアセットの部分を記憶させてもよい（例えば、記憶回路に）。例えば、メディアガイドアプリケーションは、メディアアセットの部分を遠隔データベースから読み出し（例えば、通信ネットワークを介して）、次いで、メディアアセットの部分をユーザのユーザ機器に（例えば、記憶回路に）記憶してもよい。別の実施例では、メディアガイドアプリケーションは、メディアアセットの部分をメディアアセットの放送から録画してもよい（例えば、記憶回路に）。
【００２４】
任意の所与のコンテンツ配信システムでユーザに利用可能なコンテンツの量が、膨大であり得る。その結果、多くのユーザは、ユーザがコンテンツの選択を効率的にナビゲートし、所望し得るコンテンツを容易に識別することを可能にする、インターフェースを通したメディアガイドの形態を所望している。そのようなガイドを提供するアプリケーションは、本明細書では、双方向メディアガイドアプリケーションと称されるが、メディアガイドアプリケーションまたはガイドアプリケーションと称されることもある。
【００２５】
双方向メディアガイドアプリケーションは、ガイドを提供するコンテンツに応じて、種々の形態をとってもよい。典型的なタイプのメディアガイドアプリケーションの１つは、双方向テレビ番組ガイドである。双方向テレビ番組ガイド（電子番組ガイドと称される場合もある）は、とりわけ、ユーザが、多くのタイプのコンテンツまたはメディアアセット間をナビゲートし、それを特定することが可能である、既知のガイドアプリケーションである。双方向メディアガイドアプリケーションは、ユーザが、コンテンツ間をナビゲートし、それを特定および選択することを可能にする、グラフィカルユーザインターフェース画面を生成してもよい。本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、広告、チャットセッション、ソーシャルメディア、アプリケーション、ゲーム、および／または任意の他のメディアもしくはマルチメディア、および／またはそれらの組み合わせを意味すると理解されたい。ガイドアプリケーションはまた、ユーザが、コンテンツ間をナビゲートし、それを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用する、コンテンツを意味すると理解されたい。コンテンツは、ユーザ機器デバイスによって、録画、再生、表示、またはアクセスされてもよいが、また、ライブパーフォーマンスの一部であることも可能である。
【００２６】
本明細書で論じられる実施形態のいずれかを行うためのメディアガイドアプリケーションおよび／または任意の命令は、コンピュータ可読媒体上にエンコードされてもよい。コンピュータ可読媒体は、データを記憶する可能な任意のメディアを含む。コンピュータ可読媒体は、限定ではないが、電気または電磁信号の伝搬を含む、一過性であってもよく、または限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む、非一過性であってもよい。
【００２７】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイドは、これらのデバイス上でも利用可能であってもよい。提供されるガイドは、テレビのみを通して利用可能なコンテンツ、他のタイプのユーザ機器デバイスのうちの１つまたはそれを上回るものみを通して利用可能なコンテンツ、またはテレビおよび他のタイプのユーザ機器デバイスのうちの１つまたはそれを上回るもの両方を通して利用可能なコンテンツのためのものであってもよい。メディアガイドアプリケーションは、ユーザ機器デバイス上で、オンラインアプリケーション（すなわち、ウェブサイト上で提供される）、もしくは独立型アプリケーションまたはクライアントとして提供されてもよい。メディアガイドアプリケーションを実装し得る、種々のデバイスおよびプラットフォームは、以下でより詳細に説明される。
【００２８】
メディアガイドアプリケーションの機能の１つは、メディアガイドデータをユーザに提供することである。本明細書で参照されるように、語句「メディアガイドデータ」または「ガイドデータ」は、コンテンツに関連する任意のデータ、またはガイドアプリケーションを動作させる際に使用されるデータを意味すると理解されたい。例えば、ガイドデータは、番組情報、ガイドアプリケーション設定、ユーザ選好、ユーザプロファイル情報、メディア一覧、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、広告情報（例えば、テキスト、画像、メディアクリップ等）、オンデマンド情報、ブログ、ウェブサイト、およびユーザが所望のコンテンツオプション間をナビゲートし、それを特定するために役立つ、任意の他のタイプのガイドデータを含んでもよい。
【００２９】
図１−２は、メディアガイドデータを提供するために使用され得る、例証的表示画面を示す。図１−２に示される表示画面は、任意の好適なユーザ機器デバイスまたはプラットフォーム上に実装されてもよい。図１−２の表示は、フル画面表示として図示されているが、それらはまた、表示されているコンテンツ上に完全または部分的にオーバーレイされてもよい。ユーザは、表示画面に提供された選択可能なオプション（例えば、メニューオプション、一覧オプション、アイコン、ハイパーリンク等）を選択することによって、もしくはリモートコントロールまたは他のユーザ入力インターフェースもしくはデバイス上の専用ボタン（例えば、「ガイド」ボタン）を押下することによって、コンテンツ情報へのアクセス要望を指示してもよい。ユーザの指示に応答して、メディアガイドアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定、ユーザ定義、もしくは他の編成基準等のいくつかの方法のうちの１つにおいて編成されたメディアガイド情報を伴う表示画面を提供してもよい。
【００３０】
図１は、単一表示内の異なるタイプのコンテンツへのアクセスも可能にする、時間およびチャンネル別に配列された番組一覧表示１００の例証的グリッドを示す。表示１００は、以下を伴うグリッド１０２を含んでもよい：（１）各チャンネル／コンテンツタイプ識別子（列内のセル）が利用可能な異なるチャンネルまたはコンテンツのタイプを識別する、チャンネル／コンテンツタイプ識別子１０４の列、および（２）各時間識別子（行内のセル）が番組の時間帯を識別する、時間識別子１０６の行。グリッド１０２はまた、番組一覧１０８等の番組一覧のセルも含み、各一覧は、一覧の関連チャンネルおよび時間の上に提供される、番組のタイトルを提供する。ユーザ入力デバイスを用いて、ユーザは、ハイライト領域１１０を移動させることによって番組一覧を選択することができる。ハイライト領域１１０によって選択される番組一覧に関する情報が、番組情報領域１１２内に提供されてもよい。領域１１２は、例えば、番組タイトル、番組内容、番組が提供される時間（該当する場合）、番組が放送されるチャンネル（該当する場合）、番組の評価、および他の所望の情報を含んでもよい。
【００３１】
線形番組（例えば、所定の時間に複数のユーザ機器デバイスに伝送されるようにスケジューリングされ、スケジューリングに従って提供される、コンテンツ）へのアクセスの提供に加え、メディアガイドアプリケーションはまた、非線形番組（例えば、任意の時間においてユーザ機器デバイスにアクセス可能であって、スケジューリングに従って提供されない、コンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む、異なるコンテンツソースからのコンテンツを含んでもよい。オンデマンドコンテンツは、映画または特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される任意の他のコンテンツを含んでもよい。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００３２】
グリッド１０２は、オンデマンド一覧１１４、録画コンテンツ一覧１１６、およびインターネットコンテンツ一覧１１８を含む、非線形番組のメディアガイドデータを提供してもよい。異なるタイプのコンテンツソースからのコンテンツのためのメディアガイドデータを組み合わせる表示は、「混合メディア」表示と称されることもある。表示１００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧１１４、１１６、および１１８は、これらの一覧の選択が、それぞれ、オンデマンド一覧、録画一覧、またはインターネット一覧専用の表示へのアクセスを提供し得ることを示すように、グリッド１０２内に表示される時間帯全体に及ぶものとして示されている。いくつかの実施形態では、これらのコンテンツタイプの一覧は、グリッド１０２に直接含まれてもよい。ユーザがナビゲーションアイコン１２０のうちの１つを選択することに応答して、付加的メディアガイドデータが表示されてもよい（ユーザ入力デバイス上の矢印キーを押下することによって、ナビゲーションアイコン１２０を選択することと同様に表示に影響を及ぼしてもよい）。
【００３３】
表示１００はまた、ビデオ領域１２２、広告１２４、およびオプション領域１２６を含んでもよい。ビデオ領域１２２は、ユーザが、現在利用可能である、今後利用可能となる、またはユーザに利用可能であった番組を視聴および／またはプレビューすることを可能にしてもよい。ビデオ領域１２２のコンテンツは、グリッド１０２に表示される一覧のうちの１つに対応するか、またはそれから独立してもよい。ビデオ領域を含むグリッド表示は、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイドアプリケーション表示画面に含まれてもよい。
【００３４】
広告１２４は、（例えば、購読番組に対する）視聴者のアクセス権に応じて、現在視聴が利用可能である、将来視聴が利用可能となる、または決して視聴利用可能とはなり得ない、コンテンツの広告を提供してもよく、グリッド１０２内のコンテンツ一覧のうちの１つまたはそれを上回るものに対応するか、または無関係であってもよい。広告１２４はまた、グリッド１０２内で表示されるコンテンツに関係するか、または無関係である製品もしくはサービスに対するものであってもよい。広告１２４は、選択可能であってもよく、コンテンツに関するさらなる情報を提供する、製品またはサービスに関する情報を提供する、コンテンツ、製品、またはサービスの購入を可能にする、広告に関するコンテンツを提供する等を行ってもよい。広告１２４は、ユーザのプロファイル／選好、監視されたユーザ活動、提供される表示のタイプ、または他の好適な標的化された広告基盤に基づいて標的化されてもよい。
【００３５】
広告１２４は、長方形またはバナー形状として示されているが、広告は、ガイドアプリケーション表示内の任意の好適なサイズ、形状、および場所で提供されてもよい。例えば、広告１２４は、グリッド１０２に水平方向に隣接する長方形として提供されてもよい。これは、パネル広告と称されることもある。加えて、広告は、コンテンツまたはガイドアプリケーション表示上にオーバーレイされるか、または表示内に埋め込まれてもよい。広告はまた、テキスト、画像、回転画像、ビデオクリップ、または前述の他のタイプのコンテンツを含んでもよい。広告は、ガイドアプリケーションを有するユーザ機器デバイス内、ユーザ機器に接続されたデータベース内、遠隔場所（ストリーミングメディアサーバを含む）内、もしくは他の記憶手段またはこれらの場所の組み合わせ上に記憶されてもよい。メディアガイドアプリケーションに広告を提供するステップは、例えば、それらの全体で参照することにより本明細書に組み込まれる、２００３年１月１７日出願のＫｎｕｄｓｏｎらの米国特許出願第２００３／０１１０４９９号、２００４年６月２９日発行のＷａｒｄ，  ＩＩＩらの米国特許第６，７５６，９９７号、および２００２年５月１４日発行のＳｃｈｅｉｎらの米国特許第６，３８８，７１４号で、さらに詳細に論じられている。広告は、本明細書に説明される実施形態の他のメディアガイドアプリケーション表示画面に含まれてもよいことが理解されるであろう。
【００３６】
オプション領域１２６は、ユーザが、異なるタイプのコンテンツ、メディアガイドアプリケーション表示、および／またはメディアガイドアプリケーション特徴にアクセスすることを可能にしてもよい。オプション領域１２６は、ディプレイ１００（および本明細書に説明される他の表示画面）の一部であってもよく、もしくは画面上のオプションを選択すること、またはユーザ入力デバイス上の専用または割当可能ボタンを押下することによって、ユーザによって呼び出されてもよい。オプション領域１２６内の選択可能オプションは、グリッド１０２内の番組一覧に関連する特徴に関してもよく、またはメインメニュー表示から利用可能なオプションを含んでもよい。番組一覧に関連する特徴は、他の放送時間または番組の受信方法の検索、番組の録画、番組の連続録画の有効化、番組および／またはチャンネルをお気に入りとして設定、番組の購入、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするためのオプション、プレミアムサービスを購読するためのオプション、ユーザのプロファイルを編集するためのオプション、ブラウザオーバーレイにアクセスするためのオプション、もしくは他のオプションを含んでもよい。
【００３７】
メディアガイドアプリケーションは、ユーザの選好に基づいて個人化されてもよい。個人化されたメディアガイドアプリケーションは、ユーザが、メディアガイドアプリケーションによって個人化された「体験」を生成するように、表示および特徴をカスタマイズすることを可能にする。この個人化された体験は、ユーザがこれらのカスタマイズを入力できるようにすることによって、および／または種々のユーザ選好を判定するようにメディアガイドアプリケーションがユーザ活動を監視することによって、生成されてもよい。ユーザは、ログインすることによって、または別様にガイドアプリケーションに対して自らを識別することによって、自らの個人化されたガイドアプリケーションにアクセスしてもよい。メディアガイドアプリケーションのカスタマイズは、ユーザプロファイルに従って作成されてもよい。カスタマイズは、提示方式（例えば、表示の色方式、テキストのフォントサイズ等）、表示されるコンテンツ一覧の態様（例えば、ＨＤＴＶ番組のみまたは３Ｄ番組のみ、お気に入りチャンネルオプションに基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させるステップを含んでもよい。
【００３８】
メディアガイドアプリケーションは、ユーザが、ユーザプロファイル情報を提供することを可能にしてもよく、またはユーザプロファイル情報を自動的にコンパイルしてもよい。メディアガイドアプリケーションは、例えば、ユーザがアクセスするコンテンツ、および／またはユーザがガイドアプリケーションと行ってもよい他の相互作用を監視してもよい。加えて、メディアガイドアプリケーションは、特定のユーザに関連する他のユーザプロファイルの全体または一部を取得し（例えば、ｗｗｗ．ａｌｌｒｏｖｉ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザに関する情報を取得してもよい。結果として、ユーザの異なるユーザ機器デバイスにわたって、統一されたガイドアプリケーション体験をユーザに提供することができる。このタイプのユーザ体験は、図４に関連して、以下でより詳細に説明される。付加的な個人化されたメディアガイドアプリケーション特徴は、２００５年７月１１日出願のＥｌｌｉｓらの米国特許出願第２００５／０２５１８２７号、２００７年１月１６日出願のＢｏｙｅｒらの米国特許出願第７，１６５，０９８号、および２００２年２月２１日出願のＥｌｌｉｓらの米国特許出願第２００２／０１７４４３０号でさらに詳細に説明されており、それらは全体として参照することにより本明細書に組み込まれる。
【００３９】
メディアガイドを提供するための別の表示配列が、図２に示されている。ビデオモザイク表示２００は、コンテンツのタイプ、ジャンル、および／または他の編成基準に基づいて編成されたコンテンツ情報のための選択可能オプション２０２を含む。表示２００では、テレビ一覧オプション２０４が、選択され、したがって、一覧２０６、２０８、２１０、および２１２を放送番組一覧として提供する。表示２００では、一覧は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧のそれぞれはまた、一覧と関連付けられたコンテンツに関するさらなる情報を提供するように、テキストを伴ってもよい。例えば、一覧２０８は、メディア部分２１４およびテキスト部分２１６を含む、１つより多くの部分を含んでもよい。メディア部分２１４および／またはテキスト部分２１６は、コンテンツをフル画面で視聴するように、またはメディア部分２１４に表示されるコンテンツに関連する情報を閲覧するように（例えば、ビデオが表示されるチャンネルの一覧を閲覧するように）、選択可能であってもよい。
【００４０】
表示２００中の一覧は、異なるサイズである（すなわち、一覧２０６は、一覧２０８、２１０、および２１２より大きい）が、所望の場合、全一覧が同一のサイズであってもよい。一覧は、コンテンツプロバイダの所望に応じて、またはユーザ選好に基づいて、ユーザが関心の程度を示すように、または、あるコンテンツを強調するように、異なるサイズであるか、またはグラフィックが強調されてもよい。コンテンツ一覧をグラフィック的に強調するための種々のシステムおよび方法は、例えば、全体として参照することにより本明細書に組み込まれる、２００５年１２月２９日に出願されたＹａｔｅｓの米国特許出願公開第２０１０／０１５３８８５号で論じられている。
【００４１】
ユーザは、そのユーザ機器デバイスのうちの１つまたはそれを上回るものから、コンテンツおよびメディアガイドアプリケーション（ならびに上記および下記で説明されるその表示画面）にアクセスしてもよい。図３は、例証的ユーザ機器デバイス３００の一般化された実施形態を示す。ユーザ機器デバイスのより具体的な実装は、図４に関連して以下で論じられる。ユーザ機器デバイス３００は、入出力（以下「Ｉ／Ｏ」）パス３０２を介して、コンテンツおよびデータを受信してもよい。Ｉ／Ｏパス３０２は、処理回路３０６および記憶３０８を含む制御回路３０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路３０４は、Ｉ／Ｏパス３０２を使用して、コマンド、要求、および他の好適なデータを送受信するために使用されてもよい。Ｉ／Ｏパス３０２は、制御回路３０４（具体的には、処理回路３０６）を１つまたはそれを上回る通信パス（以下で説明される）に接続してもよい。Ｉ／Ｏ機能は、これらの通信パスのうちの１つまたはそれを上回るものによって提供されてもよいが、図面が複雑になり過ぎることを回避するため、図３では単一パスとして示されている。
【００４２】
制御回路３０４は、処理回路３０６等の任意の好適な処理回路に基づいてもよい。本明細書で参照されるように、処理回路とは、１つまたはそれを上回るマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路３０４は、メモリ（すなわち、記憶３０８）に記憶されたメディアガイドアプリケーションに対する命令を実行する。具体的には、制御回路３０４は、メディアガイドアプリケーションによって、前述および後述の機能を行うように命令されてもよい。例えば、メディアガイドアプリケーションは、制御回路３０４に、メディアガイド表示を生成するための命令を提供してもよい。いくつかの実装では、制御回路３０４によって行われるいかなるアクションも、メディアガイドアプリケーションから受信した命令に基づいてもよい。
【００４３】
クライアントサーバに基づく実施形態では、制御回路３０４は、ガイドアプリケーションサーバもしくは他のネットワークまたはサーバと通信するための好適な通信回路を含んでもよい。前述の機能性を実施するための命令は、ガイドアプリケーションサーバ上に記憶されてもよい。通信回路は、ケーブルモデム、総合デジタル通信網（ＩＳＤＮ）モデム、デジタル加入者回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを伴ってもよい（図４に関連してさらに詳細に説明される）。加えて、通信回路は、ユーザ機器デバイスのピアツーピア通信、または相互から遠隔の場所にあるユーザ機器デバイスの通信を可能にする回路を含んでもよい（以下でさらに詳細に説明される）。
【００４４】
メモリは、制御回路３０４の一部である、記憶３０８として提供される、電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ（パーソナルビデオレコーダと呼ばれる場合もある）、またはＰＶＲ）、固体デバイス、量子記憶デバイス、ゲームコンソール、ゲームメディア、もしくは任意の他の好適な固定またはリムーバブル記憶デバイス、および／または任意のそれらの組み合わせ等の電子データ、コンピュータソフトウェア、またはファームウェアを記憶するための任意のデバイスを意味すると理解されたい。記憶３０８は、本明細書に説明される種々のタイプのコンテンツ、ならびに前述のメディアガイドデータを記憶するために使用されてもよい。非揮発性メモリもまた、使用されてもよい（例えば、ブートアップルーチンや他の命令を起動するために）。図４に関連して説明される、クラウドベースの記憶が、記憶３０８を補完するために使用される、または記憶３０８の代わりに使用されてもよい。
【００４５】
制御回路３０４は、１つまたはそれを上回るアナログチューナ、１つまたはそれを上回るＭＰＥＧ−２デコーダ、または他のデジタル復号回路、高解像度チューナ、または任意の他の好適な同調もしくはビデオ回路、もしくはそのような回路の組み合わせ等のビデオ生成回路および同調回路を含んでもよい。符号化回路（例えば、記憶のために、無線、アナログ、またはデジタル信号をＭＰＥＧ信号に変換するためのもの）もまた、提供されてもよい。制御回路３０４はまた、コンテンツをユーザ機器３００の好ましい出力形式に上方変換および下方変換するためのスケーラ回路を含んでもよい。回路３０４はまた、デジタルおよびアナログ信号間で変換するためのデジタルからアナログへの変換回路およびアナログからデジタルへの変換回路を含んでもよい。同調および符号化回路は、コンテンツを受信して表示する、再生する、または録画するために、ユーザ機器デバイスによって使用されてもよい。同調および符号化回路はまた、ガイドデータを受信するために使用されてもよい。例えば、同調、ビデオ生成、符号化、復号、暗号化、解読、スケーラ、およびアナログ／デジタル回路を含む、本明細書に説明される回路は、１つまたはそれを上回る汎用または特殊プロセッサ上で起動するソフトウェアを使用して実装されてもよい。複数のチューナが、同時同調機能に対処するように提供されてもよい（例えば、視聴および録画機能、ピクチャインピクチャ（ＰＩＰ）機能、多重チューナ録画機能等）。記憶３０８が、ユーザ機器３００とは別のデバイスとして提供される場合、同調および符号化回路（複数のチューナを含む）は、記憶３０８と関連付けられてもよい。
【００４６】
ユーザは、ユーザ入力インターフェース３１０を使用して、命令を制御回路３０４に送信してもよい。ユーザ入力インターフェース３１０は、リモートコントロール、マウス、トラックボール、キーパッド、キーボード、タッチ画面、タッチパッド、スタイラス入力、ジョイスティック、音声認識インターフェース、または他のユーザ入力インターフェース等、任意の好適なユーザインターフェースであってもよい。ディスプレイ３１２は、独立型デバイスとして提供されるか、またはユーザ機器デバイス３００の他の要素と統合してもよい。例えば、ディスプレイ３１２は、タッチスクリーンまたはタッチセンサ式表示であってもよい。そのような状況では、ユーザ入力インターフェース３１２は、ディスプレイ３１２と統合される、または組み合わせられてもよい。ディスプレイ３１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマ表示パネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つまたはそれを上回るものであってもよい。いくつかの実施形態では、ディスプレイ３１２は、ＨＤＴＶ対応型であってもよい。いくつかの実施形態では、ディスプレイ３１２は、３Ｄ表示であってもよく、双方向メディアガイドアプリケーションおよび任意の好適なコンテンツは、３Ｄで表示されてもよい。ビデオカードまたはグラフィックカードは、出力をディスプレイ３１２に生成してもよい。ビデオカードは、３Ｄシーンおよび２Ｄグラフィックのレンダリング加速、ＭＰＥＧ−２／ＭＰＥＧ−４復号、ＴＶ出力、または複数のモニタを接続する能力等の種々の機能をもたらしてもよい。ビデオカードは、制御回路３０４に関連する前述の任意の処理回路であってもよい。ビデオカードは、制御回路３０４と統合されてもよい。スピーカ３１４は、ユーザ機器デバイス３００の他の要素との統合として提供されてもよく、または独立型ユニットであってもよい。ディスプレイ３１２上に表示されるビデオおよび他のコンテンツのオーディオ構成要素は、スピーカ３１４を通して再生されてもよい。いくつかの実施形態では、音声は、スピーカ３１４を介して音声を処理および出力する、受信機（図示せず）に配信されてもよい。
【００４７】
ガイドアプリケーションは、任意の好適なアーキテクチャを使用して実装されてもよい。例えば、それは、ユーザ機器デバイス３００上で完全に実装される、独立型アプリケーションであってもよい。そのようなアプローチでは、アプリケーションの命令は、ローカルに記憶され（例えば、記憶３０８内に）、アプリケーションによって使用するためのデータは、周期的にダウンロードされる（例えば、帯域外フィードから、インターネットリソースから、または別の好適なアプローチを使用して）。制御回路３０４は、記憶３０８からアプリケーションの命令を読み出し、本明細書で論じられる表示のいずれかを生成するための命令を処理してもよい。処理された命令に基づいて、制御回路３０４は、入力が入力インターフェース３１０から受信されるときに行うアクションを判定してもよい。例えば、表示上のカーソルの上／下への移動は、入力インターフェース３１０が上／下ボタンが選択されたことを示すとき、処理された命令によって示されてもよい。
【００４８】
いくつかの実施形態では、メディアガイドアプリケーションは、クライアントサーバベースのアプリケーションである。ユーザ機器デバイス３００上に実装される、シックまたはシンクライアントによって使用するためのデータは、ユーザ機器デバイス３００の遠隔にあるサーバに要求を発行することによって、オンデマンドで読み出される。クライアントサーバベースのガイドアプリケーションの一実施例では、制御回路３０４は、遠隔サーバによって提供されるウェブページを解釈する、ウェブブラウザを実行する。例えば、遠隔サーバは、記憶デバイス内にアプリケーションのための命令を記憶してもよい。遠隔サーバは、回路（例えば、制御回路３０４）を使用して、記憶された命令を処理し、前述および後述の表示を生成してもよい。クライアントデバイスは、遠隔サーバによって生成される表示を受信してもよく、表示のコンテンツを機器デバイス３００上でローカルに表示してもよい。このように、命令の処理は、サーバによって遠隔で行われる一方、結果として生じる表示は、機器デバイス３００上にローカルに提供される。機器デバイス３００は、入力インターフェース３１０を介して、ユーザからの入力を受信し、対応する表示を処理および生成するために、それらの入力を遠隔サーバに伝送してもよい。例えば、機器デバイス３００は、上／下ボタンが入力インターフェース３１０を介して選択されたことを示す、通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス３００に伝送される。
【００４９】
いくつかの実施形態では、メディアガイドアプリケーションは、インタープリタまたは仮想マシン（制御回路３０４によって起動される）によって、ダウンロードされ、解釈または別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ（ＥＢＩＦ））で符号化され、好適なフィードの一部として制御回路３０４によって受信され、制御回路３０４上で起動するユーザエージェントによって解釈されてもよい。例えば、ガイドアプリケーションは、ＥＢＩＦアプリケーションであってもよい。いくつかの実施形態では、ガイドアプリケーションは、制御回路３０４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディア符号化スキームを採用するもの）では、ガイドアプリケーションは、例えば、番組のＭＰＥＧオーディオおよびビデオパケットを用いたＭＰＥＧ−２オブジェクトカルーセルにおいて符号化および伝送されてもよい。
【００５０】
図３のユーザ機器デバイス３００は、ユーザテレビ機器４０２、ユーザコンピュータ機器４０４、無線ユーザ通信デバイス４０６、または非携帯型ゲーム機等のコンテンツにアクセスするために好適な任意の他のタイプのユーザ機器として、図４のシステム４００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイドアプリケーションが実装され得る、ユーザ機器デバイスは、独立型デバイスとして機能してもよく、またはデバイスのネットワークの一部であってもよい。デバイスの種々のネットワーク構成が実装されてもよく、以下でさらに詳細に論じられる。
【００５１】
図３に関連して前述のシステム特徴のうちの少なくともいくつかを利用する、ユーザ機器デバイスは、ユーザテレビ機器４０２、ユーザコンピュータ機器４０４、または無線ユーザ通信デバイス４０６としてだけに分類されなくてもよい。例えば、ユーザテレビ機器４０２は、いくつかのユーザコンピュータ機器４０４のように、インターネットコンテンツへのアクセスを可能にするインターネット対応型であってもよい一方で、ユーザコンピュータ機器４０４は、いくつかのテレビ機器４０２のように、テレビ番組へのアクセスを可能にするチューナを含んでもよい。メディアガイドアプリケーションはまた、種々の異なるタイプのユーザ機器上で同一レイアウトを有してもよく、またはユーザ機器の表示能力に合わせられてもよい。例えば、ユーザコンピュータ機器４０４上では、ガイドアプリケーションは、ウェブブラウザによってアクセスされるウェブサイトとして提供されてもよい。別の実施例では、ガイドアプリケーションは、無線ユーザ通信デバイス４０６用にスケールダウンされてもよい。
【００５２】
システム４００では、典型的には、各タイプのユーザ機器デバイスが１つを上回って存在するが、図面が複雑になり過ぎることを回避するために、それぞれ１つだけが図４に示されている。加えて、各ユーザは、１つを上回るタイプのユーザ機器デバイスと、また、各タイプのユーザ機器デバイスのうちの１つを上回るものとを利用してもよい。
【００５３】
いくつかの実施形態では、ユーザ機器デバイス（例えば、ユーザテレビ機器４０２、ユーザコンピュータ機器４０４、無線ユーザ通信デバイス４０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用する、またはソーシャルネットワークと相互作用するために構成される。第２の画面デバイスは、第１のデバイスと同一の部屋内に、第１のデバイスと異なる部屋であるが同一の家または建物内に、または第１のデバイスと異なる建物内に位置することができる。
【００５４】
ユーザはまた、家庭内デバイスおよび遠隔デバイスにわたって一貫したメディアガイドアプリケーション設定を維持するように、種々の設定を設定してもよい。設定は、本明細書に説明される設定、ならびにお気に入りのチャンネルおよび番組、番組を推奨するためにガイドアプリケーションが利用する番組選好、表示選好、および他の望ましいガイド設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、所望に応じて、同一のチャンネルが、ユーザの家庭内デバイス（例えば、ユーザテレビ機器およびユーザコンピュータ機器）、ならびにユーザのモバイルデバイス上でお気に入りとして表示される。したがって、同一のまたは異なるタイプのユーザ機器デバイスであるかどうかにかかわらず、１つのユーザ機器デバイス上で行われる変更は、別のユーザ機器デバイス上のガイド体験を変更することができる。さらに、行われる変更は、ユーザによる設定入力、ならびにガイドアプリケーションによって監視されるユーザ活動に基づいてもよい。
【００５５】
ユーザ機器デバイスは、通信ネットワーク４１４に連結されてもよい。すなわち、ユーザテレビ機器４０２、ユーザコンピュータ機器４０４、および無線ユーザ通信デバイス４０６は、それぞれ、通信パス４０８、４１０、および４１２を介して、通信ネットワーク４１４に連結される。通信ネットワーク４１４は、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、もしくは通信ネットワークの組み合わせを含む、１つまたはそれを上回るネットワークであってもよい。パス４０８、４１０、および４１２は、別個または一緒に、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等、１つまたはそれを上回る通信パスを含んでもよい。パス４１２は、図４に示された例示的実施形態において、無線パスであることを示すように破線で描かれ、パス４０８および４１０は、有線パスであることを示すように実線で描かれている（しかし、これらのパスは、所望に応じて、無線パスであってもよい）。ユーザ機器デバイスとの通信は、これらの通信パスのうちの１つまたはそれを上回るものによって提供されてもよいが、図４では、図面が複雑になり過ぎることを回避するために、単一パスとして示されている。
【００５６】
通信パスは、ユーザ機器デバイスの間には描かれていないが、これらのデバイスは、パス４０８、４１０、および４１２に関連して上記で説明されるもの、ならびにＵＳＢケーブル、ＩＥＥＥ１３９４ケーブル、無線パス（例えば、Ｂｌｕｅｔｏｏｔｈ（登録商標）、赤外線、ＩＥＥＥ８０２−１１ｘ等）等の他の短距離ポイントツーポイント通信パス、もしくは有線または無線パスを介した他の短距離通信等の通信パスを介して、相互に直接通信してもよい。ＢＬＵＥＴＯＯＴＨ（登録商標）は、Ｂｌｕｅｔｏｏｔｈ（登録商標）  ＳＩＧ，  ＩＮＣ．によって所有される認証マークである。ユーザ機器デバイスはまた、通信ネットワーク４１４を介した間接的パスを通して、直接相互に通信してもよい。
【００５７】
システム４００は、それぞれ、通信パス４２０および４２２を介して、通信ネットワーク４１４に連結される、コンテンツソース４１６およびメディアガイドデータソース４１８を含む。パス４２０および４２２は、パス４０８、４１０、および４１２に関して上記で説明される通信パスのうちのいずれかを含んでもよい。コンテンツソース４１６およびメディアガイドデータソース４１８との通信は、１つまたはそれを上回る通信パスを介して交信されてもよいが、図４では、図面が複雑になり過ぎることを回避するために、単一パスとして示されている。加えて、コンテンツソース４１６およびメディアガイドデータソース４１８のそれぞれが１つを上回ってあってもよいが、図４では、図面が複雑になり過ぎることを回避するために、それぞれ１つだけが示されている。（これらのソースのそれぞれの異なるタイプを以下で論じる）。所望に応じて、コンテンツソース４１６およびメディアガイドデータソース４１８は、１つのソースデバイスとして統合されてもよい。ソース４１６および４１８と、ユーザ機器デバイス４０２、４０４、および４０６との間の通信は、通信ネットワーク４１４を通したものとして示されているが、いくつかの実施形態では、ソース４１６および４１８は、パス４０８、４１０、および４１２に関連して上記で説明されるもの等の通信パス（図示せず）を介して、ユーザ機器デバイス４０２、４０４、および４０６と直接通信してもよい。
【００５８】
コンテンツソース４１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つまたはそれを上回るタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース４１６は、コンテンツの発信元であってもよく（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース４１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース４１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のため、および遠隔に記憶されたコンテンツをユーザ機器に提供するためのシステムおよび方法は、全体として参照することにより本明細書に組み込まれる、２０１０年７月２０日出願のＥｌｌｉｓらの米国特許出願第７，７６１，８９２号に関連して、さらに詳細に論じられている。
【００５９】
メディアガイドデータソース４１８は、例えば、前述のメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジューリングデータおよび他のガイドデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイドデータは、複数のアナログまたはデジタルテレビチャンネル上でユーザ機器に提供されてもよい。
【００６０】
いくつかの実施形態では、メディアガイドデータソース４１８からのガイドデータは、クライアントサーバアプローチを使用して、ユーザの機器に提供されてもよい。例えば、ユーザ機器デバイスは、メディアガイドデータをサーバからプルしてもよく、またはサーバは、メディアガイドデータをユーザ機器デバイスにプッシュしてもよい。いくつかの実施形態では、ユーザの機器上に常駐するガイドアプリケーションクライアントは、必要に応じて、例えば、ガイドデータが、古くなっているとき、またはユーザ機器デバイスが、データを受信する要求をユーザから受信するとき、ソース４１８とセッションを開始し、ガイドデータを取得してもよい。メディアガイドは、任意の好適な頻度で（例えば、継続的に、毎日、ユーザ指定期間で、システム指定期間で、ユーザ機器からの要求に応じて等）ユーザ機器に提供されてもよい。メディアガイドデータソース４１８は、ユーザ機器デバイス４０２、４０４、および４０６に、メディアガイドアプリケーション自体、またはメディアガイドアプリケーションのソフトウェア更新を提供してもよい。
【００６１】
いくつかの実施形態では、メディアガイドデータは、視聴者データを含んでもよい。例えば、視聴者データは、現在のおよび／または履歴ユーザアクティビティ情報（例えば、ユーザが典型的に見るコンテンツ、ユーザがコンテンツを見る時刻、ユーザがソーシャルネットワークと相互作用するかどうか、ユーザがソーシャルネットワークと相互作用し、情報をポストする時間、ユーザが典型的に見るコンテンツのタイプ（例えば、有料ＴＶまたは無料ＴＶ）、気分、脳の活動情報等）を含んでもよい。メディアガイドデータはまた、加入データを含んでもよい。例えば、加入データは、所与のユーザ加入するソースまたはサービスおよび／または所与のユーザが以前に加入していたが、後にアクセスを打ち切ったソースまたはサービスを識別してもよい（例えば、ユーザがプレミアムチャネルに加入しているかどうか、ユーザがプレミアムレベルのサービスを追加したかどうか、ユーザがインターネット速度を加速させたかどうか）。いくつかの実施形態では、視聴者データおよび／または加入データは、１年を上回る周期の間の所与のユーザのパターンを識別してもよい。メディアガイドデータは、所与のユーザがサービス／ソースへのアクセスを打ち切るであろう可能性を示すスコアを生成するために使用される、モデル（例えば、残存者モデル）を含んでもよい。例えば、メディアガイドアプリケーションは、加入データと、所与のユーザが特定のサービスまたはソースへのアクセスを打ち切るであろうかどうかの可能性を示す、値またはスコアを生成するためのモデルを併用して、視聴者データを処理してもよい。特に、より高いスコアは、ユーザが特定のサービスまたはソースへのアクセスを打ち切るであろう、より高いレベルの信頼性を示し得る。スコアに基づいて、メディアガイドアプリケーションは、ユーザがアクセスを打ち切る可能性が高いであろうものとしてスコアによって示される特定のサービスまたはソースをユーザが維持するように勧誘する宣伝および広告を生成してもよい。
【００６２】
メディアガイドアプリケーションは、例えば、ユーザ機器デバイス上に実装される独立型アプリケーションであってもよい。例えば、メディアガイドアプリケーションは、記憶３０８内に記憶され、ユーザ機器デバイス３００の制御回路３０４によって実行され得る、ソフトウェアまたは実行可能命令のセットとして実装されてもよい。いくつかの実施形態では、メディアガイドアプリケーションは、クライアント−サーバアプリケーションであってもよく、その場合、クライアントアプリケーションのみ、ユーザ機器デバイス上に常駐し、サーバアプリケーションは、遠隔サーバ上に常駐する。例えば、メディアガイドアプリケーションは、部分的に、ユーザ機器デバイス３００の制御回路３０４上のクライアントアプリケーションとして、および部分的に遠隔サーバ上で、遠隔サーバの制御回路上で起動するサーバアプリケーションとして（例えば、メディアガイドデータソース４１８）、実装されてもよい。遠隔サーバの制御回路（例えば、メディアガイドデータソース４１８）によって実行されると、メディアガイドアプリケーションは、制御回路に、ガイドアプリケーション表示を生成し、生成された表示をユーザ機器デバイスに伝送するように命令してもよい。サーバアプリケーションは、メディアガイドデータソース４１８の制御回路に、ユーザ機器上での記憶のためのデータを伝送するように命令してもよい。クライアントアプリケーションは、受信用ユーザ機器の制御回路に、ガイドアプリケーション表示を生成するように命令してもよい。
【００６３】
ユーザ機器デバイス４０２、４０４、および４０６に配信されるコンテンツおよび／またはメディアガイドデータは、オーバーザトップ（ＯＴＴ）コンテンツであってもよい。ＯＴＴコンテンツ配信は、前述の任意のユーザ機器デバイスを含む、インターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に関与していなくてもよく、ＯＴＴコンテンツプロバイダによって提供されるＩＰパケットのみ転送してもよい。ＯＴＴコンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅは、Ｇｏｏｇｌｅ  Ｉｎｃ．によって所有される商標であり、Ｎｅｔｆｌｉｘは、Ｎｅｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、前述のメディアガイドデータを提供してもよい。コンテンツおよび／またはメディアガイドデータに加え、ＯＴＴコンテンツのプロバイダは、メディアガイドアプリケーション（例えば、ウェブベースのアプリケーションまたはクラウドベースのアプリケーション）を配信することができ、またはコンテンツは、ユーザ機器デバイス上に記憶されるメディアガイドアプリケーションによって表示されることができる。
【００６４】
メディアガイドシステム４００は、いくつかのアプローチまたはネットワーク構成を例証することを意図しており、これによって、ユーザ機器デバイスならびにコンテンツおよびガイドデータのソースは、コンテンツにアクセスし、メディアガイドを提供する目的で、相互に通信してもよい。本明細書に説明される実施形態は、これらのアプローチの任意の１つまたは一部において、またはコンテンツを配信し、メディアガイドを提供するための他のアプローチを採用するシステムにおいて、適用されてもよい。以下の４つのアプローチは、図４の一般化された実施例の具体的例証を提供する。
【００６５】
あるアプローチでは、ユーザ機器デバイスは、ホームネットワーク内で相互に通信してもよい。ユーザ機器デバイスは、上記で説明される短距離ポイントツーポイント通信方式を介して、ホームネットワーク上に提供されるハブまたは他の類似デバイスを通した間接パスを介して、もしくは通信ネットワーク４１４を介して、直接相互に通信することができる。１つの家庭内の複数の個人のそれぞれが、ホームネットワーク上の異なるユーザ機器デバイスを操作してもよい。結果として、種々のメディアガイド情報または設定が、異なるユーザ機器デバイス間で伝達されることが望ましくてもよい。例えば、２００５年７月１１日出願のＥｌｌｉｓらの米国特許出願第１１／１７９，４１０号でさらに詳細に説明されているように、ホームネットワーク内の異なるユーザ機器デバイス上で、ユーザが一貫したメディアガイドアプリケーション設定を維持することが望ましくてもよい。ホームネットワーク内の異なるタイプのユーザ機器デバイスがまた、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００６６】
第２のアプローチでは、ユーザは、複数のタイプのユーザ機器を有してもよく、これによって、コンテンツにアクセスし、メディアガイドを取得する。例えば、一部のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、その全体を参照することにより本明細書に組み込まれる、Ｅｌｌｉｓらの２０１１年１０月２５日発行の米国特許第８，０４６，８０１号で論じられている。
【００６７】
第３のアプローチでは、家庭内外のユーザ機器デバイスのユーザは、コンテンツソース４１６と直接通信し、コンテンツにアクセスするために、そのメディアガイドアプリケーションを使用することができる。具体的には、家庭内では、ユーザテレビ機器４０２およびユーザコンピュータ機器４０４のユーザは、メディアガイドアプリケーションにアクセスし、所望のコンテンツ間をナビゲートし、それを特定してもよい。ユーザはまた、無線ユーザ通信デバイス４０６を使用して、家庭外のメディアガイドアプリケーションにアクセスし、所望のコンテンツ間をナビゲートし、それを特定してもよい。
【００６８】
第４のアプローチでは、ユーザ機器デバイスは、クラウドコンピューティング環境内で操作し、クラウドサービスにアクセスしてもよい。クラウドコンピューティング環境では、コンテンツ共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、ネットワークを介して接続される、種々のタイプのユーザおよびデバイスにクラウドベースのサービス、例えば、通信ネットワーク４１４を介したインターネットを提供する、中央または分散場所に位置し得る、サーバコンピューティングデバイスの集合を含むことができる。これらのクラウドリソースは、１つまたはそれを上回るコンテンツソース４１６および１つまたはそれを上回るメディアガイドデータソース４１８を含んでもよい。加えて、または代替として、遠隔コンピューティングサイトは、ユーザテレビ機器４０２、ユーザコンピュータ機器４０４、および無線ユーザ通信デバイス４０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア様式で操作してもよい。
【００６９】
クラウドは、ユーザ機器デバイスのために、他の実施例の中でもとりわけ、コンテンツ記憶、コンテンツ共有、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上の他者によって視聴するために配信される。これらのクラウドベースのサービスは、ユーザ機器デバイスが、コンテンツをローカルに記憶し、ローカルに記憶されたコンテンツにアクセスするのではなく、コンテンツをクラウドに記憶し、コンテンツをクラウドから受信することを可能にしてもよい。
【００７０】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器４０４から、またはコンテンツ捕捉特徴を有する、無線ユーザ通信デバイス４０６からのいずれかにおいて、クラウド上のコンテンツ記憶サービスにコンテンツをアップロードすることができる。代替として、ユーザは、最初に、コンテンツをユーザコンピュータ機器４０４等のユーザ機器デバイスに転送することができる。コンテンツを記憶するユーザ機器デバイスは、通信ネットワーク４１４上のデータ伝送サービスを使用して、コンテンツをクラウドにアップロードしてもよい。いくつかの実施形態では、ユーザ機器デバイス自体が、クラウドリソースであって、他のユーザ機器デバイスが、直接、ユーザがコンテンツを記憶したユーザ機器デバイスから、コンテンツにアクセスすることができる。
【００７１】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のために、クラウドコンピューティングに依拠する、クラウドクライアントであってもよく、またはユーザ機器デバイスは、クラウドリソースにアクセスせずに、いくつかの機能性を有してもよい。例えば、ユーザ機器デバイス上で起動するいくつかのアプリケーションは、クラウドアプリケーション、すなわち、インターネットを経由して、サービスとして配信されるアプリケーションであってもよい一方、他のアプリケーションは、ユーザ機器デバイス上に記憶され、起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方、コンテンツを第２のクラウドリソースからダウンロードすることができる。または、ユーザデバイスは、より効率的ダウンロードのために、コンテンツを複数のクラウドリソースからダウンロードすることができる。いくつかの実施形態では、ユーザ機器デバイスは、図３に関連して説明される処理回路によって行われる処理操作等の処理操作のために、クラウドリソースを使用することができる。
【００７２】
本明細書で言及されるように、「コマンド」は、メディアガイドアプリケーションが作用することが意図される、ユーザからメディアガイドアプリケーションにダイレクトされる任意の入力として定義される。例えば、コマンドは、メディアガイドアプリケーションが所与のメディアアセットを検索、記憶、または再生するための命令を備えてもよい。コマンドは、コンテンツの断片に対して相対的（例えば、「この番組の次の放送を見つける」）または絶対的（例えば、「チャネル２に替える」）であってもよい。コマンドはまた、暗示されてもよい。例えば、メディアガイドアプリケーションが、ユーザが「この番組が好き」と言ったことを検出する場合、プログラムの次の放送の録画をスケジュールしてもよい。メディアガイドアプリケーションは、コンテキスト、ユーザコマンド履歴、他のユーザからの類似コマンド、および／またはユーザ選好に基づいて、これらの暗示されるコマンドを解釈してもよい。
【００７３】
本明細書で言及されるように、「メディアアセットの一部」は、それ自体はメディアアセット全体未満である、メディアアセットからのまたはそれに関連するデータである。例えば、メディアアセットからの始まりの場面は、そのメディアアセットの一部である。別の実施例では、メディアアセットに関連する予告編もまた、メディアアセットの一部である。
【００７４】
本明細書で言及されるように、「持続時間のインジケーション」は、明示的または暗示的のいずれかにおいて、メディアアセットの部分の境界を規定する、ユーザ入力である。コマンドと同様に、インジケーションは、相対的（例えば、「次の５分」もしくは「この場面」）または絶対的（例えば、「３０分マークから４５分マークまで」）であってもよい。
【００７５】
本明細書で言及されるように、「開始位置」および「終了位置」は、それぞれ、メディアアセットの全体内のメディアアセットの一部の開始および終了点である。例えば、前述のように、開始位置および終了位置は、時間マーカー（例えば、メディアアセットの中の０分および５分）であってもよい。開始位置および終了位置はまた、場面遷移、コマーシャルの時間、または任意の他の好適な分界点、もしくは任意のそれらの組み合わせであってもよい。
【００７６】
本明細書で言及されるように、「デバイス識別子」は、具体的デバイスの識別の際に依拠され得る、任意の識別子である。例えば、メディアガイドアプリケーションは、ユーザが、メディアガイドアプリケーションに、メディアアセットの部分を「私の電話」に記憶するように命令したことを検出してもよく、これは、メディアガイドアプリケーションが、記憶動作を行う目的のために、ユーザに属する特定の電話を識別することを可能にし得る。デバイス識別子はまた、その製品名称またはユーザによって設定されたカスタム名称によって、デバイスを参照してもよい。デバイス識別子はまた、メディアガイドアプリケーションが認識する他のユーザに属するデバイス（例えば、「私の姉妹のタブレット」）を参照してもよい。
【００７７】
本明細書で言及されるように、「確認メッセージ」は、ユーザから受信されたコマンドが処理および作用されたことのメディアガイドアプリケーションからユーザへのインジケーションである。確認メッセージは、視覚的、聴覚的、触覚的（例えば、振動）、任意の他の好適な通信方法、もしくは任意のそれらの組み合わせであってもよい。
【００７８】
本明細書で言及されるように、「メディアアセット識別子」は、メディアアセットを識別するために使用され得る、任意の用語または語句である。メディアアセット識別子は、メディアアセットのタイトル、ニックネーム、略語、または説明、任意の他の好適に固有の用語、もしくは任意のそれらの組み合わせであってもよい。
【００７９】
いくつかの実施形態では、メディアガイドアプリケーションは、コマンドをユーザから受信し（例えば、制御回路３０４を介して）、ユーザが現在視聴しているメディアアセットの部分（例えば、最初の５分）を記憶する命令を備えることを判定してもよい。メディアガイドアプリケーションは、次いで、メディアアセットの最初の５分のソースを識別し（例えば、制御回路３０４を介して）、メディアアセットのその部分を記憶させてもよい（例えば、ユーザのタブレット上に）。したがって、メディアガイドアプリケーション（制御回路３０４を介して）は、ユーザが、録画パラメータを手動で構成する、またはメディアアセットの全体を録画し、所望の部分を抽出する必要なく、メディアアセットの一部を録画することを可能にする。
【００８０】
図５は、本開示のいくつかの実施形態による、メディアガイドアプリケーションが実装されたユーザデバイスの例証的実施形態を示す。ユーザデバイスは、ユーザ機器デバイス４０２、４０４、または４０６のいずれかであり得る、ユーザ機器デバイス５００である。
【００８１】
図５は、マイクロホン５０２を介して、コマンド５０４を受信する、ユーザ機器デバイス５００を示す。ユーザ機器デバイス５００は、ユーザ機器デバイス４０２、４０４、または４０６等の任意のユーザ機器であってもよい。マイクロホン５０２は、任意のユーザ入力インターフェース３１０であることができ、例証目的のために、マイクロホンとして図５に提示される。メディアガイドアプリケーションは、オーディオ認識、ビデオ認識（例えば、ジェスチャコマンドのため）、タッチ認識（例えば、タッチスクリーン上の入力のため）、テキスト、または任意の他の好適な通信手段を使用したユーザ入力インターフェース３１０を介して、コマンド５０４を受信してもよい。コマンド５０４は、ローカルでマイクロホン５０２によって受信されてもよい（図５に描写されるように、マイクロホン等の聴覚的センサを通して受信されるように）。例えば、ユーザ機器デバイス５００上に実装されるメディアガイドアプリケーションは、マイクロホン５０２を用いて受信されたコマンド５０４が、「Ｓｔａｒ  Ｗａｒｓ  Ｅｐｉｓｏｄｅ  １：  Ｔｈｅ  Ｐｈａｎｔｏｍ  Ｍｅｎａｃｅ」の部分を記憶する命令を備えることを検出してもよい。代替として、コマンド５０４は、ユーザ機器５００の制御回路３０４を介して、遠隔ソースから（例えば、通信ネットワーク４１４を経由してユーザ機器デバイス４０４から）、メディアガイドアプリケーションによって受信されてもよい。
【００８２】
メディアガイドアプリケーションは、ユーザ機器デバイス５００のディスプレイ３１２上での表示のために、随意の記憶確認メッセージ５０６および随意のメディアアセット識別子確認メッセージ５０８を含む、例証的ディスプレイを生成してもよい。随意の記憶確認メッセージ５０６および随意のメディアアセット識別子確認メッセージ５０８は、図５に視覚的として描写されるが、メディアガイドアプリケーションは、代替として、または加えて、聴覚的確認（例えば、スピーカ３１４を経由して）または触覚的確認（例えば、ユーザ機器デバイス５００内に実装される振動モータを使用して生成される一連の振動）を提示してもよい。
【００８３】
メディアガイドアプリケーションは、メディアガイドアプリケーションにメディアアセットの部分を記憶させることに応答して、随意の記憶確認メッセージ５０６をユーザに提示してもよい。例えば、メディアガイドアプリケーションが、無料ビデオオンデマンドサービスを「Ｓｔａｒ  Ｗａｒｓ  Ｅｐｉｓｏｄｅ  １：  Ｔｈｅ  Ｐｈａｎｔｏｍ  Ｍｅｎａｃｅ」の要求された部分のソースとして識別し、その部分を記憶させる場合、メディアガイドアプリケーションは、ディスプレイ３１２上での表示のために、「要求された部分が保存されました」（図示せず）という文言とともに、随意の記憶確認メッセージ５０６を生成してもよい。メディアガイドアプリケーションはまた、将来の録画がスケジュールされた場合、随意の記憶確認メッセージ５０６をユーザに提示してもよい。例えば、メディアガイドアプリケーションは、ディスプレイ３１２上での表示のために、「見つかりました！」という文言とともに、随意の記憶確認メッセージ５０６を生成してもよい（図５に示されるように）。メディアガイドアプリケーションはまた、ユーザが識別されたソースを使用することを所望することを確認するために、随意の記憶確認メッセージ５０６をユーザに提示してもよい。例えば、メディアガイドアプリケーションが、メディアアセットにアクセスするために、購入支払を要求するソースにおいてのみ、メディアアセットの部分を見つける場合、メディアガイドアプリケーションは、ディスプレイ３１２上での表示のために、「見つかりました！‘Ｓｔａｒ  Ｗａｒｓ  Ｅｐｉｓｏｄｅ  １：  Ｔｈｅ  Ｐｈａｎｔｏｍ  Ｍｅｎａｃｅ’を＄５．９９で購入しますか？」（図示せず）を示す、随意の記憶確認メッセージ５０６を生成してもよい。
【００８４】
メディアガイドアプリケーションはまた、随意の記憶確認メッセージ５０６内に、ユーザ機器デバイス５００がディスプレイ画面を有するとき、記憶されたメディアアセットの部分のプレビューのビデオクリップを含んでもよい。メディアガイドアプリケーションはまた、随意の記憶確認メッセージ５０６を使用して、ユーザがメディアアセットの部分を視聴するためのオプションを提供してもよい。
【００８５】
メディアガイドアプリケーションは、メディアガイドアプリケーションが、コマンド５０４内に含有されるメディアアセット識別子に近いが、必ずしも合致しない、メディアアセット識別子を見つけたことに応答して、随意のメディアアセット識別子確認メッセージ５０８をユーザに提示してもよい。例えば、メディアガイドアプリケーションが、コマンド５０４が、メディアアセット識別子「Ｓｔａｒ  Ｗａｒｓ  １」を含むことを判定する場合、メディアガイドアプリケーションは、ディスプレイ３１２上での表示のために、「‘Ｓｔａｒ  Ｗａｒｓ  Ｅｐｉｓｏｄｅ  １：  Ｔｈｅ  Ｐｈａｎｔｏｍ  Ｍｅｎａｃｅ’のことですか？」という文言とともに、随意のメディアアセット識別子確認メッセージ５０８を生成してもよい（図５に示されるように）。
【００８６】
メディアガイドアプリケーションは、以下に説明されるように、種々の方法で、メディアアセット識別子が、コマンド５０４内に含有されるメディアアセット識別子に近いが、合致しないことを判定してもよい。いくつかの実施形態では、メディアガイドアプリケーションは、コマンドが、受信されたメディアアセット識別子（すなわち、ユーザから受信されたメディアアセット識別子）を備えることを判定してもよい（例えば、制御回路３０４を使用して）。例えば、メディアガイドアプリケーションは、ユーザが、コマンド５０４内に、簡単な説明を使用して、メディアアセットを要求したことを検出してもよい。メディアガイドアプリケーションは、次いで、複数の既知のメディアアセット識別子を備える、データベース（例えば、サーバ６０８または記憶回路３０８に位置する）にアクセスしてもよい（例えば、制御回路３０４を介して）。例えば、メディアガイドアプリケーションは、利用可能なメディアアセットの説明または要約のローカルに記憶された一覧にアクセスしてもよい。データベースにアクセスした後、メディアガイドアプリケーションは、受信されたメディアアセット識別子と複数の既知のメディアアセット識別子を相互参照してもよい（例えば、制御回路３０４を使用して）。本相互参照に基づいて、メディアガイドアプリケーションは、次いで、受信されたメディアアセット識別子が複数の既知のメディアアセット識別子の任意の既知のメディアアセット識別子に合致しないことを判定してもよい。例えば、メディアガイドアプリケーションが、ユーザが、簡単な説明を使用して、メディアアセットを要求したことを判定する場合、メディアガイドアプリケーションは、ユーザが規定した説明がデータベース内の説明のいずれにも合致しない（すなわち、受信されたメディアアセット識別子内の各用語、単語、または登場人物が、データベースに既知の任意のメディアアセット識別子のものと同一ではない）ことを判定してもよい（例えば、制御回路３０４を使用して）。
【００８７】
メディアガイドアプリケーションは、次いで、複数の既知のメディアアセット識別子のための類似度指標のセットを計算してもよい（例えば、制御回路３０４を使用して）。類似度指標は、受信されたメディアアセット識別子と既知のメディアアセット識別子との間の類似度に対応してもよい。例えば、メディアガイドアプリケーションは、ユーザから受信された説明がデータベース内の所与のメディアアセット説明にどれくらい近いかに対応するように、類似度指標を計算してもよい。メディアガイドアプリケーションは、本使用されるいくつかの同じもしくは同義の単語、ユーザによって供給される説明が所与のメディアアセットと同一カテゴリもしくはジャンルに対応する確率、または任意の他の好適な方法もしくはそれらの組み合わせに基づいて、これを計算してもよい。類似度指標を計算するプロセスは、以下の図１２により詳細に論じられる。
【００８８】
メディアガイドアプリケーションは、次いで、類似度指標のセットの類似度指標が閾値類似度指標を超えることを判定してもよい（例えば、制御回路３０４を使用して）。例えば、メディアガイドアプリケーションが、類似度指標が閾値を超えることを判定する場合、これは、メディアガイドアプリケーションに、既知のメディアアセット識別子のうちの少なくとも１つが潜在的合致であることを信号伝達してもよい。本判定に基づいて、メディアガイドアプリケーションは、次いで、提案されるメディアアセット識別子を選択してもよい。メディアガイドアプリケーションはまた、ユーザに、提案されるメディアアセット識別子が、受信されたメディアアセット識別子に対応することを確認するためのオプション（例えば、随意のメディアアセット識別子確認メッセージ５０８）を提供してもよい。例えば、メディアガイドアプリケーションが、ユーザが「短気な医師が登場する番組」を要求したことを判定する場合、メディアガイドアプリケーションは、「Ｈｏｕｓｅ」（その表題の登場人物が医師かつ短気の両方である、テレビ番組）を潜在的合致として提案してもよい。この場合、メディアガイドアプリケーションは、コマンドが、（ｉ）主要登場人物が、（ｉｉ）医師であって、（ｉｉｉ）主な特徴が短気であることを参照することを検出してもよい。メディアガイドアプリケーションは、次いで、本情報と既知のメディアアセット識別子のデータベース内の関連フィールドを相互参照してもよい。
【００８９】
メディアガイドアプリケーションはまた、メディアガイドアプリケーションがコマンド５０４に基づいて、任意の好適なメディアアセット識別子を見つけることができないことに応答して、随意のメディアアセット識別子確認メッセージ５０８をユーザに提示してもよい。例えば、その場合、メディアガイドアプリケーションは、随意のメディアアセット識別子確認メッセージ５０８を使用して、ユーザに、別のメディアアセット識別子を入力するように促してもよい。
【００９０】
メディアガイドアプリケーションはまた、ユーザに、随意のメディアアセット識別子確認メッセージ５０８を使用して、コマンドが特定のメディアアセットまたはメディアアセットの一部を参照したことを確認するように促してもよい。これを行うことによって、メディアガイドアプリケーションは、随意のメディアアセット識別子確認メッセージ５０８内に、メディアアセットまたはメディアアセットの一部のプレビューを含んでもよい。例えば、メディアガイドアプリケーションは、コマンドが、「Ｓｔａｒ  Ｗａｒｓ  Ｅｐｉｓｏｄｅ  １：  Ｔｈｅ  Ｐｈａｎｔｏｍ  Ｍｅｎａｃｅ」からの始まりの場面を記憶する命令を備えることを判定してもよい。メディアガイドアプリケーションは、ディスプレイ３１２上での表示のために、映画の始まりの場面の短いプレビューを伴う、「この場面ですか？」という文言とともに、随意のメディアアセット識別子確認メッセージ５０８を生成してもよい。
【００９１】
いくつかの実施形態では、メディアガイドアプリケーション（例えば、制御回路３０４を介して）は、コマンドをユーザから受信する。図５では、コマンド５０４は、マイクロホン５０２を介して、例証的実施例として受信される。コマンド５０４は、ユーザ入力インターフェース３１０が理解することが可能な任意の入力であってもよい（例えば、触覚的入力またはジェスチャ入力）。メディアガイドアプリケーションは、制御回路３０４を介して、任意の既知のユーザ相互作用のために環境を監視することによって（認識されたキーワードのセットのうちの１つを聴取することによって等）、またはユーザインジケーションを受信後、コマンドが従うべきコマンドを受け取ることによって（例えば、ユーザがボタンを押下し、メディアガイドアプリケーションがユーザにコマンドを促す）、コマンド５０４を受信してもよい。例えば、図５では、メディアガイドアプリケーションは、「Ｓｔａｒ  Ｗａｒｓ  Ｅｐｉｓｏｄｅ  １：  Ｔｈｅ  Ｐｈａｎｔｏｍ  Ｍｅｎａｃｅ」の部分を記憶する命令を備える、コマンド５０４を受信している。
【００９２】
いくつかの実施形態では、メディアガイドアプリケーションは、コマンドが、メディアアセットの部分を記憶する命令を備えることを判定してもよく（例えば、制御回路３０４を介して）、部分は、メディアアセット全体未満である。例えば、メディアガイドアプリケーションは、制御回路３０４を使用して、コマンド５０４（受信されたマイクロホン５０２を介して）が、「Ｓｔａｒ  Ｗａｒｓ  Ｅｐｉｓｏｄｅ  １：  Ｔｈｅ  Ｐｈａｎｔｏｍ  Ｍｅｎａｃｅ」からの場面を記憶する命令を備えることを判定してもよい。
【００９３】
メディアガイドアプリケーションは、次いで、メディアアセットの部分のソースを識別してもよい（例えば、制御回路３０４を介して）。例えば、メディアガイドアプリケーションは、メディアアセットの部分の利用可能なバージョンのためのインターネットベースのコンテンツプロバイダの一覧（例えば、通信ネットワーク４１４を介して）を検索してもよい。ソース（メディアコンテンツソース４１６等）は、メディアガイドアプリケーションが認識する任意の好適なプロバイダであってもよい。例えば、メディアガイドアプリケーションは、ユーザによって好まれるメディアアセットソースの一覧を記憶してもよい（例えば、記憶回路３０８に）。
【００９４】
メディアガイドアプリケーションは、ルールに従って、ソース（例えば、メディアコンテンツソース４１６）を識別してもよい。メディアガイドアプリケーションは、デフォルトによって、ユーザ選好または入力（例えば、記憶回路３０８に記憶された）に従って、またはプロファイルデータベース（例えば、メディアガイドデータソース４１８）から受信されたデータに基づいて、これらのルールを設定してよい。例えば、メディアガイドアプリケーションは、放送がある時間周期内に生じる場合のみメディアアセットの将来の放送をソースとして識別してもよい。この場合、メディアガイドアプリケーションは、次の放送までの最大時間を取り決めるルールを設定してもよい。メディアガイドアプリケーションが、そのような将来の放送を見つけない場合、次いで、オンデマンドまたはインターネットベースのコンテンツソースを検索してもよい。そうすることによって、メディアガイドアプリケーションは、ソースが検索または使用される好ましい順序を取り決めるルールを適用してもよい。
【００９５】
同様に、メディアガイドアプリケーションは、ルールに従って、メディアアセットの部分のためのソースとしての有料コンテンツソースの適切性を評価してもよい。例えば、メディアガイドアプリケーションが、有料ソースからのメディアアセットの価格がある閾値（例えば、デフォルトまたはユーザ選好によって設定された最大価格点）を下回ることを判定する場合、メディアガイドアプリケーションは、メディアアセットを自動的に購入してもよい。メディアガイドアプリケーションが、価格が閾値を上回ることを判定する場合、メディアガイドアプリケーションは、ユーザに、利用可能な無料ソースが存在しない場合、購入する権限を付与するように促してもよい。別の実施例では、メディアガイドアプリケーションは、メディアアセットの部分の低品質バージョンが無料ソースから利用可能であって、高品質バージョンが有料ソースから利用可能であることを判定してもよい。メディアガイドアプリケーションは、品質の差異、有料ソースの価格、ユーザの購入履歴、または任意の他の適切な基準もしくは任意のそれらの組み合わせに基づいて、有料ソース、無料ソースを自動的に選択する、またはユーザにソースを選択するように促してもよい。前述のように、これらのルールは、ユーザによってまたはデフォルトで設定されてもよい。
【００９６】
ある場合には、メディアガイドアプリケーションは、各潜在的ソースによって提供されるメディアアセットのバージョンが、相互に異なり得ることを検出してもよい。例えば、メディアガイドアプリケーションは、ユーザが現在視聴している映画公開版バージョンに基づいて、「Ｓｔａｒ  Ｗａｒｓ  Ｅｐｉｓｏｄｅ  １：  Ｔｈｅ  Ｐｈａｎｔｏｍ  Ｍｅｎａｃｅ」の一部のためのユーザ要求を受信してもよい。メディアガイドアプリケーションは、これを考慮し、優先的に、映画の他の未編集バージョンを検索してもよい。メディアガイドアプリケーションが、識別されたソース（例えば、メディアコンテンツソース４１６）から利用可能なバージョンが、ユーザが視聴しているバージョンと異なることを判定する場合、メディアガイドアプリケーションは、これらの差異を検出し、適宜、コマンドを修正してもよい。例えば、メディアガイドアプリケーションが識別したソースからの「Ｓｔａｒ  Ｗａｒｓ  Ｅｐｉｓｏｄｅ  １：  Ｔｈｅ  Ｐｈａｎｔｏｍ  Ｍｅｎａｃｅ」のバージョンは、その中に広告が挿入されており、再生時間、したがって、メディアアセットの要求された部分の開始および終了位置を変更している場合がある。メディアガイドアプリケーションは、広告によって追加される時間を考慮するために、広告を検出し（例えば、メディアアセットとともに伝送されるメタデータを介して、またはメディアアセットを分析し、映画と広告との間の遷移を見つけることによって）、必要に応じて、要求された部分の開始位置および終了位置を変更してもよい。
【００９７】
いくつかの実施形態では、メディアガイドアプリケーションは、制御回路３０４を使用して、コマンド５０４が、メディアアセットの具体的バージョンの要求を備えることを判定してもよい。例えば、メディアガイドアプリケーションは、限定ではないが、「ＴＶバージョン」、「オリジナルバージョン」、「未編集バージョン」、および「ディレクターズカット」を含む、メディアアセットの異なるバージョンと関連付けられたあるキーワードを検出してもよい。メディアガイドアプリケーションは、次いで、ソース（例えば、メディアコンテンツソース４１６）を識別するための前述のプロセスに従って、メディアアセットの規定されたバージョンのソースを識別してもよい。メディアアセットの規定されたバージョンのためのソースが見つからない場合、メディアガイドアプリケーションは、随意のメディアアセット識別子確認メッセージ５０８を介して、ユーザに通知してもよい。ある場合には、メディアガイドアプリケーションはまた、ユーザに、メディアアセットの代替バージョンを選択するように促してもよい（例えば、また、随意のメディアアセット識別子確認メッセージ５０８を使用して）。
【００９８】
他の場合には、メディアガイドアプリケーションは、メディアアセットの代替バージョンおよびそのメディアアセットの代替バージョンの対応するソースを自動的に選択してもよい。メディアガイドアプリケーションは、前述のソースを識別するためのルール、ユーザ選好、または任意の他の好適な基準に基づいて、本選択を行ってもよい。例えば、メディアガイドアプリケーションは、コマンド５０４が、メディアアセットの「オリジナルバージョン」の要求を備えることを検出してもよい。メディアガイドアプリケーションはまた、ユーザ選好に基づいて、ユーザがメディアアセットのＴＶバージョンを視聴することを好むことを判定してもよい。メディアガイドアプリケーションが、メディアアセットのオリジナルバージョンのためのソース（要求される通り）を識別することができない場合、メディアガイドアプリケーションは、代わりに、メディアアセットのＴＶバージョンのためのソースを自動的に識別してもよい。別の実施例では、メディアガイドアプリケーションは、無料ソースから利用可能な唯一のバージョンであるため、メディアアセットのＴＶバージョンのためのソースを識別してもよい。
【００９９】
別の実施例では、メディアガイドアプリケーションは、メディアアセットの意図される使用に基づいて、メディアアセットの代替バージョンを選択してもよい。例えば、メディアガイドアプリケーションは、コマンド５０４（ユーザから受信された）が、メディアアセット「Ｇｏｏｄｆｅｌｌａｓ」の部分を記憶する命令を備えることを判定してもよい。メディアガイドアプリケーションはまた、コマンド５０４が、異なるユーザに属するデバイスに対応するデバイス識別子を備えることを検出してもよい。例えば、メディアガイドアプリケーションが、コマンド５０４が、語句「この場面を録画し、次いで、Ｃｈａｒｌｉｅの電話と共有する」を備えることを判定する場合、メディアガイドアプリケーションは、メディアアセットの記憶された部分（すなわち、「Ｇｏｏｄｆｅｌｌａｓ」からの場面）が別のユーザ（すなわち、Ｃｈａｒｌｉｅ）と共有されることを意図することを判定してもよい。コマンドが受信されたデバイス以外のデバイス上にメディアアセットの部分を記憶させるプロセスは、図７に関して以下にさらに詳細に論じられる。
【０１００】
メディアガイドアプリケーションは、次いで、本意図される使用および／または他のユーザの識別に基づいて、メディアアセットの適切なバージョンを選択してもよい。例えば、メディアガイドアプリケーションは、ユーザ選好またはデフォルトプログラミングに基づいて、メディアアセットの部分が別のユーザと共有されることが意図される場合は常に、メディアアセットのＴＶバージョンが使用されるべきである（利用可能な場合）ことを判定してもよい。この場合、メディアガイドアプリケーションは、コマンド５０４が、場面がＣｈａｒｌｉｅのために意図されることを示すことが検出されたため、「Ｇｏｏｄｆｅｌｌａｓ」のＴＶバージョンのソースを選択および識別するであろう。別の実施例では、メディアガイドアプリケーションは、Ｃｈａｒｌｉｅのユーザプロファイル（例えば、記憶回路３０８に位置する、または通信ネットワーク４１４を介して遠隔ソースからアクセスされる）に基づいて、Ｃｈａｒｌｉｅがメディアアセットのオリジナルバージョンを好むことを判定してもよい。この場合、本判定に基づいて、メディアガイドアプリケーションは、「Ｇｏｏｄｆｅｌｌａｓ」のオリジナルバージョンのソースを選択および識別するであろう。
【０１０１】
代替として、メディアガイドアプリケーションが、コマンド５０４が、異なるユーザに属するデバイスに対応するデバイス識別子を備えることを検出しない場合、メディアガイドアプリケーションは、前述のように、ユーザ選好に従って、メディアアセットの代替バージョンを選択してもよい。この場合、メディアガイドアプリケーションは、ユーザがメディアアセットの未編集バージョンを好むことを判定してもよい。メディアガイドアプリケーションは、「Ｇｏｏｄｆｅｌｌａｓ」からの場面が別のユーザのために意図されていないことを判定したため、次いで、映画の未編集バージョンのソースを選択および識別してもよい（前述のように）。
【０１０２】
メディアガイドアプリケーションは、次いで、メディアアセットの部分を記憶させてもよい（例えば、記憶回路３０８に）。例えば、メディアガイドアプリケーションは、メディアアセットの将来の放送からのメディアアセットの部分の録画をスケジュールしてもよい（例えば、制御回路３０４を介して）。メディアアセットの部分は、次いで、ユーザ機器デバイス５００に後にアクセスされるように（例えば、通信ネットワーク４１４を介して）記憶されてもよい（例えば、遠隔サーバまたは記憶回路３０８等のローカル記憶に）。別の実施例では、メディアガイドアプリケーションは、メディアアセットの部分をメディアアセットのリアルタイムインターネットベースのストリームから記憶させてもよい。別の実施例では、メディアガイドアプリケーションは、メディアアセットの部分をメディアアセットの一部または全体が記憶された遠隔サーバ（例えば、メディアコンテンツソース４１６）から読み出すまたはダウンロードしてもよい。
【０１０３】
いくつかの実施形態では、メディアガイドアプリケーションは、コマンド５０４が、メディアアセットの部分の持続時間のインジケーションを備えることを判定してもよい。例えば、メディアガイドアプリケーションは、コマンドが、メディアアセットの最後の１０分を記憶する命令を含むことを判定してもよい。インジケーションは、ユーザ入力インターフェース３１０を介して（図５では、マイクロホン５０２を介して）、受信されてもよい。一般に、前述のように、コマンドは、メディアアセットからのまたはそれに関連する具体的場面、クリップ、チャプタ、インタビュー、予告編、広告、およびカットした場面のうちの少なくとも１つを記憶する命令を備えてもよい。コマンドはまた、相互に関連するメディアアセットの複数の部分を記憶する命令を備えてもよい。例えば、部分は、ある俳優を含有する、ソーシャルメディア上の言及または相互作用の閾値数と関連付けられる、あるタイプの音楽を含有する、ある気分と関連付けられる、ユーザの友人によって録画のためにスケジュールされている、または任意の他の適切な基準もしくは任意のそれらの組み合わせであってもよい。
【０１０４】
例えば、ユーザが「Ｓｔａｒ  Ｗａｒｓ  Ｅｐｉｓｏｄｅ  １：  Ｔｈｅ  Ｐｈａｎｔｏｍ  Ｍｅｎａｃｅ」を視聴している場合、メディアガイドアプリケーションは、ユーザが、登場人物Ｄａｒｔｈ  Ｍａｕｌを含有する全場面を記憶する命令を備える、コマンド（例えば、コマンド５０４）を発行したことを検出してもよい。前述のように、コマンドは、明示的である（例えば、「Ｄａｒｔｈ  Ｍａｕｌが登場する全場面を録画する」）、または暗示されてもよい（例えば、「ここでのＤａｒｔｈ  Ｍａｕｌはいけてる！」または「あのダブルライトセーバーはすごくかっこいい！」）。この場合、メディアガイドアプリケーションは、メディアアセットの複数の部分のそれぞれの持続時間が各場面の長さとなるであろうことを判定してもよい（例えば、メディアアセットとともに伝送されるメタデータを使用して、場面遷移のためにメディアアセットを分析することによって、または任意の他の好適な方法で判定されるように）。メディアガイドアプリケーションは、次いで、本情報を使用して、具体的場面のみを要求してもよい、またはメディアアセットの全体を調べ、後の再生のために、これらの場面を見つけ、マークする、もしくは抽出してもよい。
【０１０５】
メディアガイドアプリケーションが、持続時間のインジケーションが、不明または不在であることを検出する（上記に与えられる実施例「あのダブルライトセーバーはすごくかっこいい！」等）事例では、メディアガイドアプリケーションは、記憶させる適切な部分または複数の部分を判定してもよい。例えば、メディアガイドアプリケーションは、自然言語処理およびビデオ認識技法を使用する（ここでは、他のものと異なるライトセーバーを見つけこと）、またはインターネット検索を行ってもよい（ここでは、登場人物Ｄａｒｔｈ  Ｍａｕｌが「Ｓｔａｒ  Ｗａｒｓ  Ｅｐｉｓｏｄｅ  １：  Ｔｈｅ  Ｐｈａｎｔｏｍ  Ｍｅｎａｃｅ」においてダブルライトセーバーを使用していることを見つけること）。メディアガイドアプリケーションは、次いで、デフォルト設定、ユーザ選好、またはユーザコマンド履歴に従って、コマンドに関連する全場面、コマンドに関連する第１の場面のみを記憶する、もしくは任意の他の適切なアクションを行ってもよい。
【０１０６】
別の実施例では、ユーザが「Ｓｔａｒ  Ｗａｒｓ  Ｅｐｉｓｏｄｅ  １：  Ｔｈｅ  Ｐｈａｎｔｏｍ  Ｍｅｎａｃｅ」を視聴している場合、メディアガイドアプリケーションは、ユーザが、映画または関連映画のための予告編を記憶する命令を備えるコマンド（例えば、コマンド５０４）を発行したことを検出してもよい。この場合、メディアガイドアプリケーションによって判定される、メディアアセットの部分の持続時間は、予告編の長さとなるであろう。
【０１０７】
メディアガイドアプリケーションは、次いで、インジケーションに基づいて、メディアアセットの部分の開始位置および終了位置を判定してもよい（例えば、制御回路３０４を介して）。例えば、メディアガイドアプリケーションは、マイクロホン５０２によって検出されたコマンド５０４内に含有される「最後の１０分」が、メディアアセットの終了１０分前の開始位置およびメディアアセットの終了の終了位置に対応することを判定してもよい（例えば、制御回路３０４を使用して）。メディアガイドアプリケーションは、いったんメディアアセットの部分のソース（例えば、ソース６１０）が識別されると、開始位置を見つけるために、メディアアセット全体の長さについてソースにクエリしてもよい。メディアガイドアプリケーションは、次いで、開始位置と終了位置との間で経過するメディアアセットの部分を記憶させてもよい。例えば、この場合、メディアアセットの最後の１０分のみ、記憶されるであろう。メディアガイドアプリケーションはまた、持続時間の明示的インジケーションが与えられない場合、デフォルトによって、またはユーザ選好に従って、ユーザが現在視聴しているものに対応するメディアアセットの一部を自動的に選択してもよい。例えば、メディアガイドアプリケーションは、コマンドが検出された２分前の開始位置およびコマンドが検出された２分後の終了位置を伴うメディアアセットの部分を記憶させてもよい（例えば、記憶回路３０８に）。
【０１０８】
いくつかの実施形態では、メディアガイドアプリケーションは、制御回路３０４を使用して、コマンドが検出された時間にユーザによって視聴されていたメディアアセットの部分を判定することによって、メディアアセットの正しい部分（および、より具体的には、メディアアセットの部分の開始位置）を判定してもよい。メディアガイドアプリケーションは、メディアアセットの部分の初期ソースを判定することによって、これを部分的に行ってもよい。例えば、メディアガイドアプリケーションがメディアアセットの部分を記憶させる命令を備えるコマンドを検出するとき、ユーザがスポーツバーでテレビ番組を視聴している場合、メディアアセットの部分の初期ソースは、スポーツバーにおける番組のソース（例えば、具体的放送チャネル、ビデオオンデマンドサービス、または任意の他の好適なソース）であろう。
【０１０９】
いくつかの実施形態では、メディアガイドアプリケーションは、制御回路３０４を使用して、ユーザの場所に基づいて、メディアアセットの識別を認識することによって、メディアアセットの部分の初期ソースを判定してもよい。例えば、この場合、メディアガイドアプリケーションは、制御回路３０４を使用して、ユーザの場所（すなわち、スポーツバー）およびメディアアセットと関連付けられたコンテンツまたはコンテンツプロバイダ（ここでは、スポーツ関連コンテンツおよびコンテンツプロバイダ）を認識してもよい。本情報を使用して、メディアガイドアプリケーションは、コマンドと関連付けられたメディアアセットの初期ソースを識別し、それによって、メディアアセットの部分のソースを判定可能となり得る。
【０１１０】
別の実施例では、メディアガイドアプリケーションは、制御回路３０４を使用して、ユーザが、自宅に居る間、「Ｓｔａｒ  Ｗａｒｓ  Ｅｐｉｓｏｄｅ  １：  Ｔｈｅ  Ｐｈａｎｔｏｍ  Ｍｅｎａｃｅ」を視聴していることを判定してもよい。メディアガイドアプリケーションは、この場合、どのチャネルがユーザに利用可能となるであろうかを判定してもよい（ユーザが加入しているチャネルについての情報またはユーザの自宅の場所で利用可能なチャネルに基づいて）。メディアガイドアプリケーションはまた、検出されたオーディオおよび／またはビデオ信号に基づいて、ユーザが「Ｓｔａｒ  Ｗａｒｓ  Ｅｐｉｓｏｄｅ  １：  Ｔｈｅ  Ｐｈａｎｔｏｍ  Ｍｅｎａｃｅ」を視聴していることを判定してもよい。メディアガイドアプリケーションは、次いで、スケジュールデータ（例えば、メディアガイドデータソース４１８から）を検索し、メディアアセットの部分の初期ソース（例えば、地方放送局）を見つけてもよい。
【０１１１】
メディアガイドアプリケーションはまた、制御回路３０４を使用して、メディアアセットのランタイム（すなわち、全長）を判定してもよい。例えば、メディアガイドアプリケーションは、「Ｓｔａｒ  Ｗａｒｓ  Ｅｐｉｓｏｄｅ  １：  Ｔｈｅ  Ｐｈａｎｔｏｍ  Ｍｅｎａｃｅ」の映画公開版のランタイムが１３３分であることを判定してもよい（例えば、通信ネットワーク４１４を介したインターネット検索に基づいて）。別の実施例では、メディアガイドアプリケーションは、地方放送局における「Ｓｔａｒ  Ｗａｒｓ  Ｅｐｉｓｏｄｅ  １：  Ｔｈｅ  Ｐｈａｎｔｏｍ  Ｍｅｎａｃｅ」のランタイムが、いったん広告および編集が含まれると、１６５分であることを判定してもよい（例えば、メディアガイドデータソース４１８へのクエリに基づいて）。同様に、メディアガイドアプリケーションはまた、メディアアセットの開始時間を初期ソースから判定してもよい。例えば、メディアガイドアプリケーションは、メディアガイドデータソース４１８から受信された情報に基づいて、地方放送局における「Ｓｔａｒ  Ｗａｒｓ  Ｅｐｉｓｏｄｅ  １：  Ｔｈｅ  Ｐｈａｎｔｏｍ  Ｍｅｎａｃｅ」の番組が２：００ＰＭに始まることを判定してもよい。メディアガイドアプリケーションはまた、メディアアセットの部分を記憶するコマンドが検出された時間を判定してもよい。例えば、メディアガイドアプリケーションは、制御回路３０４を使用して、コマンドが２：３５ＰＭに検出されたことを判定してもよい。
【０１１２】
メディアガイドアプリケーションは、次いで、これらの前述の判定のうちの少なくとも１つ（メディアアセットの初期ソース、オリジナルランタイム、修正されたランタイム、放送開始時間、およびコマンドが受信された時間）に基づいて、メディアアセットのどの部分が記憶されるべきかおよびその部分の正しい開始位置を判定してもよい。例えば、論じられるように、メディアガイドアプリケーションは、（ｉ）コマンドが、「Ｓｔａｒ  Ｗａｒｓ  Ｅｐｉｓｏｄｅ  １：  Ｔｈｅ  Ｐｈａｎｔｏｍ  Ｍｅｎａｃｅ」からの現在の場面を記憶する命令を備えていた、（ｉｉ）映画の初期ソースが、地方放送局である、（ｉｉｉ）映画が、２：００ＰＭに開始した、（ｉｖ）映画に広告が挿入されており、したがって、そのスケジュールされたランタイムは、１６５分である、（ｖ）コマンドが２：３５ＰＭに検出された（すなわち、初期ソースからのランタイムから３５分が過ぎている）、および（ｖｉ）メディアアセットの部分が読み出され、記憶されるであろう、識別されたソースが、映画の映画公開版を有し、１３３分のランタイムを有することを判定してもよい。本情報の任意の組み合わせに基づいて、メディアガイドアプリケーションは、ユーザコマンドが初期ソース内で検出された点に対応する、識別されたソースからのメディアアセットの部分のための開始位置を判定してもよい。例えば、この場合、メディアガイドアプリケーションは、初期ソースによって提示される映画の中の３５分に、コマンドを検出したが、メディアガイドアプリケーションは、放送内の広告（例えば、メディアガイドデータソース４１８にクエリすることによって判定される）に起因して、メディアアセットの部分のための対応する開始位置は、映画公開版の中の２８分にあることを判定してもよい。
【０１１３】
いくつかの実施形態では、メディアガイドアプリケーションは、メディアアセットと関連付けられた信号を検出してもよい。例えば、メディアガイドアプリケーションは、メディアアセットからのビデオを含有するビデオ信号を検出してもよい（例えば、マイクロホン５０４と統合され、ユーザ機器デバイス５００にアクセス可能である、ユーザインターフェース３１０を介して）。メディアガイドアプリケーションは、次いで、信号に基づいて、メディアアセットと関連付けられたフィンガプリントを判定してもよい（例えば、制御回路３０４を介して）。フィンガプリントは、信号を一意に表す、検出された信号から生成される任意のデータ構造であってもよく、他のフィンガプリントと比較されることができる。故に、２つの同じシグネチャは、同一信号に対応するであろう。例えば、メディアガイドアプリケーションは、検出されたビデオ信号のためのビデオフィンガプリントを判定してもよい。メディアガイドアプリケーションは、メディアアセットからのビデオを含有するビデオ信号の一意の構成要素を識別および分析することによって、本フィンガプリントを判定してもよい。そのような構成要素または特性の実施例として、限定ではないが、色分布、輝度分布、およびビデオ信号のフレーム間の選択された点の変化（例えば、差異の程度または運動方向）が挙げられる。
【０１１４】
メディアガイドアプリケーションは、次いで、複数の既知のフィンガプリントを備えるデータベースにアクセスしてもよい。例えば、データベース（例えば、メディアガイドデータソース４２２に位置し、通信ネットワーク４１４を介してアクセスされる）は、複数のメディアアセットのための以前に判定されたフィンガプリントの一覧を備えてもよい。メディアガイドアプリケーションは、次いで、フィンガプリントと複数の既知のフィンガプリントを相互参照し（例えば、制御回路３０４を介して）、相互参照に基づいて、メディアアセットの部分のソースの識別を判定してもよい。例えば、メディアガイドアプリケーションは、フィンガプリントと以前に判定されたフィンガプリントの一覧を比較し、最近似合致を見つけてもよい。メディアガイドアプリケーションは、２つのフィンガプリント間の数学的距離の判定に基づいて、２つのフィンガプリントが合致することを判定してもよい。例えば、メディアガイドアプリケーションは、２つのフィンガプリント間のハミング距離を計算してもよい。メディアガイドアプリケーションが、ハミング距離が所与の数値閾値（例えば、フィンガプリントが相互にどれほど近接しなければならないかのデフォルトによって、またはユーザ選好に基づいて、設定される）を下回ることを判定する場合、メディアガイドアプリケーションは、２つのフィンガプリントが合致することを判定してもよい。メディアガイドアプリケーションは、次いで、本情報を使用して、ユーザによって元々要求されるメディアアセットの部分を識別し、メディアアセットの部分のソースを識別し、その部分を記憶させてもよい。
【０１１５】
メディアガイドアプリケーションはまた、制御回路３０４を使用して、メディアアセットに関連するメディアガイドアプリケーションによって検出された信号に基づいて、メディアアセットの部分の初期ソースを判定してもよい。例えば、メディアガイドアプリケーションがユーザコマンド（例えば、コマンド５０４）を検出すると、ユーザデバイスの信号検出構成要素（例えば、ユーザ機器デバイス５００のカメラおよび／またはマイクロホン５０２）をアクティブ化してもよい。メディアガイドアプリケーションは、単独で、または本明細書に説明される他の方法と併せて、これらの検出された信号を使用して、メディアアセットの部分の初期ソースを識別してもよい（例えば、前述のように、フィンガプリントを生成および相互参照することによって）。例えば、メディアガイドアプリケーションは、メディアアセットに関連するオーディオ信号を検出し、音響フィンガプリントを使用して、メディアアセットが「Ｓｔａｒ  Ｗａｒｓ  Ｅｐｉｓｏｄｅ  １：  Ｔｈｅ  Ｐｈａｎｔｏｍ  Ｍｅｎａｃｅ」であることを判定してもよい。メディアガイドアプリケーションは、次いで、「Ｓｔａｒ  Ｗａｒｓ  Ｅｐｉｓｏｄｅ  １：  Ｔｈｅ  Ｐｈａｎｔｏｍ  Ｍｅｎａｃｅ」からのソースまたは複数のソースが、コマンドが検出された時間にユーザに利用可能であったであろうことを判定してもよい。
【０１１６】
メディアガイドアプリケーションはまた、制御回路３０４を使用して、これらの検出された信号を使用し、メディアアセットの部分の開始位置を判定してもよい。いったんメディアアセット自体が識別されると（例えば、検出された信号から生成されるフィンガプリントを使用して）、メディアガイドアプリケーションは、メディアアセットのソースを識別し（本明細書に説明されるように）、メディアアセットを読み出し、それを以前に検出された信号に合致するデータのために検索してもよい。データが検出された信号に合致するかどうかの判定は、２つのフィンガプリントが合致するかどうかの判定に関して行われてもよい。メディアガイドアプリケーションは、次いで、開始位置を本合致点に基づかせてもよい。例えば、ビデオ信号が検出された場合、メディアガイドアプリケーションは、制御回路３０４を使用して、読み出されるメディアアセット内の合致するフレームまたは複数のフレームを見つけてもよい。別の実施例では、オーディオ信号が検出された場合、メディアガイドアプリケーションは、制御回路３０４を使用して、読み出されるメディアアセット内の合致するオーディオセグメントを見つけてもよい。
【０１１７】
いくつかの実施形態では、メディアガイドアプリケーションは、命令内のデバイス識別子を検出してもよい。例えば、メディアガイドアプリケーションは、メディアアセットの部分を「私の電話」（「私の電話」は、デバイス識別子である）上に記憶するユーザ命令を受信してもよい。メディアガイドアプリケーションは、次いで、ユーザプロファイルに基づいて、デバイス識別子が対応するデバイスを判定してもよい（例えば、制御回路３０４を介して）。例えば、メディアガイドアプリケーションは、用語「私の電話」が、ユーザプロファイル（例えば、記憶回路３０８に位置する）に基づいて、ユーザと関連付けられた具体的デバイスを指すことを認識してもよい。メディアガイドアプリケーションは、次いで、メディアアセットの部分をデバイスに記憶させてもよい。例えば、メディアガイドアプリケーションは、次いで、メディアアセットの部分を、ユーザと関連付けられた別のデバイス上ではなく、ユーザ機器デバイス５００上に記憶させてもよい。メディアガイドアプリケーションは、識別されたデバイスの名称を随意の記憶確認メッセージ５０６内に含んでもよい。
【０１１８】
ある場合には、メディアガイドアプリケーションは、デバイス識別子が明示的名称を指し得ることを判定してもよい。例えば、メディアガイドアプリケーションは、ユーザ選好またはアカウント情報を通して、ユーザの名称またはユーザデバイスに与えられたカスタム名称（ユーザ機器デバイス５００等）を把握してもよい。そのような場合、メディアガイドアプリケーションは、その名称を使用する、コマンド（例えば、コマンド５０４）内のデバイス識別子を検出してもよい。
【０１１９】
例えば、メディアガイドアプリケーションは、Ｓｕｓａｎという名前のユーザが、コマンド内に「私のラップトップ」ではなく、「Ｓｕｓａｎのラップトップ」を参照することを検出してもよい。メディアガイドアプリケーションは、所与のユーザによって与えられたコマンド（例えば、コマンド５０４）内にデバイス識別子「Ｓｕｓａｎのラップトップ」を検出してもよい。メディアガイドアプリケーションは、次いで、デバイス識別子とメディアガイドアプリケーションに既知のデバイス識別子のデータベース（例えば、記憶回路３０８に位置する）を相互参照してもよい。本相互参照に基づいて、メディアガイドアプリケーションは、デバイス識別子（ここでは、「Ｓｕｓａｎのラップトップ」）が、それが把握するもの中にあることを判定し、メディアアセットの部分を対応するデバイスに記憶させてもよい。メディアガイドアプリケーションが、デバイス識別子が、それが把握するもの中にないことを判定する場合、提案されるデバイス識別子を判定してもよい（例えば、本明細書で論じられる類似度指標を使用して）。メディアガイドアプリケーションは、次いで、ユーザに、提案されるデバイス識別子が正しいデバイスに対応することを確認するように促してもよい。最後に、メディアガイドアプリケーションは、メディアアセットの部分を提案されるデバイス識別子に対応するデバイスに記憶させる（ユーザが、それが正しいデバイスに対応することを確認する場合）、またはユーザに別のデバイス識別子を入力するように促してもよい（提案されるデバイス識別子が正しいデバイスに対応しない場合）。
【０１２０】
ある場合には、デバイス識別子は、曖昧であり得る。例えば、メディアガイドアプリケーションは、ユーザが２つの電話を有することを判定し得るが、デバイス識別子「私の電話」をユーザのコマンド（例えば、コマンド５０４）内に検出した。メディアガイドアプリケーションは、次いで、デフォルト設定、ユーザ選好、またはユーザコマンド履歴に基づいて、最も適切なユーザデバイスを判定してもよい。例えば、メディアガイドアプリケーションが、コマンド５０４が「Ｓｔａｒ  Ｗａｒｓ  Ｅｐｉｓｏｄｅ  １：  Ｔｈｅ  Ｐｈａｎｔｏｍ  Ｍｅｎａｃｅ」の一部を「私の電話」上に記憶する命令を備え、ユーザが２つの電話を有することを判定する場合、メディアガイドアプリケーションは、制御回路３０４を使用して、ユーザがより頻繁にメディアを保存する電話を判定してもよい。代替として、メディアガイドアプリケーションは、そうでないことが規定されない限り、ユーザが全メディアアセットを１つの電話に保存することを好むことを判定してもよい。
【０１２１】
メディアガイドアプリケーションはまた、デバイス識別子が、具体的フォルダまたは他のファイル場所を規定されたユーザデバイス上に備えることを検出してもよい。デバイス自体と同様に、ファイル場所も、明示的（例えば、「Ｓｕｓａｎのお気に入りフォルダ」）、暗示される（例えば、「私のお気に入りフォルダ」）、曖昧（例えば、「フォルダ」）、または不在であり得る。メディアガイドアプリケーションは、デバイスのためのものと同一判定に基づいて、メディアアセットの部分のための最も適切なファイル場所を判定してもよい。
【０１２２】
メディアガイドアプリケーションはまた、デバイス識別子がメディアアセットの記憶された部分が転送されるべきデバイスを識別することを検出してもよい（例えば、制御回路３０４を使用して）。転送は、ローカル接続を使用して、または任意の好適なプロトコルを使用する通信ネットワーク４１４を経由して、生じてもよい。例えば、メディアガイドアプリケーションは、メディアアセットの部分が、その部分が記憶されるにつれて、転送されるべきであることを判定してもよい。別の実施例では、メディアガイドアプリケーションは、その部分が、記憶動作が完了した後、転送されるべきであることを判定してもよい。本判定は、デフォルト設定、ユーザ選好、またはコマンド５０４の検出されたコンテンツに基づいて、行われてもよい。メディアガイドアプリケーションは、ユーザ（例えば、随意の記憶確認メッセージ５０６を使用して）に、転送のステータスおよび完了について通知してもよい。
【０１２３】
メディアガイドアプリケーションはまた、いったんメディアアセットの部分のソースが識別され、デバイスが判定されると、表示のために、随意の記憶確認メッセージ５０６等の記憶確認メッセージを生成してもよい（例えば、制御回路３０４を介して）。例えば、メディアガイドアプリケーションは、ディスプレイ３１２上での表示のために、メディアアセットの部分が見つけられ、読み出されたコピーが識別されたデバイス上にまもなく記憶されるであろうことを確認する、メッセージを生成してもよい。メディアガイドアプリケーションが、コマンドが受信されたユーザデバイスが、表示のために、記憶確認メッセージを生成する能力を有していない（すなわち、画面を有していない）ことを判定する場合、メディアガイドアプリケーションは、確認メッセージを異なる様式で通信してもよい。例えば、メディアガイドアプリケーションは、メッセージのオーディオバージョンをユーザに通信する（例えば、スピーカ３１４を介して）、または表示のために、異なるユーザデバイス（例えば、メディアアセットの部分が記憶された標的デバイス）によってメッセージを生成してもよい。メッセージは、メディアアセット、ユーザ、識別されたデバイス、または任意の他の関連する記憶関連情報もしくは任意のそれらの組み合わせを識別してもよい。
【０１２４】
メディアガイドアプリケーションはまた、随意の記憶確認メッセージ５０６を使用して、情報をユーザに通信するか、または、メディアガイドアプリケーションが、ユーザのコマンドに作用するための空間が不十分である（例えば、記憶回路３０８に）ことを判定する場合、ユーザにアクションを行うように促してもよい。例えば、メディアガイドアプリケーションは、ユーザ機器デバイス５００の記憶回路３０８が、ユーザが要求したメディアアセットの部分を記憶するための十分な自由空間を有していないことを検出してもよい。メディアガイドアプリケーションは、ある場合には、別の記憶されたコンテンツ（例えば、最も古い記憶日を伴うコンテンツまたは以前に視聴したコンテンツ）を自動的に削除し、ユーザにこれを知らせるために、随意の記憶確認メッセージ５０６を提示してもよい。他の場合には、メディアガイドアプリケーションは、随意の記憶確認メッセージ５０６を使用して、ユーザに、削除されるべきコンテンツを選択するように求めてもよい。例えば、メディアガイドアプリケーションは、ディスプレイ３１２上での表示のために、「「Ｓｔａｒ  Ｗａｒｓ  Ｅｐｉｓｏｄｅ  １：  Ｔｈｅ  Ｐｈａｎｔｏｍ  Ｍｅｎａｃｅ」の始まりの場面を記憶するための十分な空間がありません。保存された番組を削除しますか？」という文言とともに、随意の記憶確認メッセージ５０６を生成してもよい。削除するためのコンテンツの選択の受信に応じて、メディアガイドアプリケーションは、選択されたコンテンツを削除し、メディアアセットの要求された部分を記憶してもよい。代替として、メディアガイドアプリケーションは、ユーザが任意のコンテンツを削除しないことを選定したことを検出し得、その場合、メディアガイドアプリケーションは、記憶動作をキャンセルしてもよい。
【０１２５】
別の実施例では、メディアガイドアプリケーションは、ユーザコマンド（例えば、コマンド５０４）が、メディアアセット全体を記憶させる命令を備えるが、メディアアセットの部分を記憶するためにしか十分な空間がない（例えば、記憶回路３０８に）ことを検出してもよい。メディアガイドアプリケーションは、随意の記憶確認メッセージ５０６を使用して、ユーザに記憶されるべき部分を選択するように求めてもよい。例えば、メディアガイドアプリケーションは、ディスプレイ３１２上での表示のために、「「Ｓｔａｒ  Ｗａｒｓ  Ｅｐｉｓｏｄｅ  １：  Ｔｈｅ  Ｐｈａｎｔｏｍ  Ｍｅｎａｃｅ」の始まりの場面を記憶するために十分な空間がありません。具体的場面を記憶しますか？」という文言とともに、随意の記憶確認メッセージ５０６を生成してもよい。代替として、メディアガイドアプリケーションは、ユーザ選好（例えば、お気に入り俳優を含有する全場面）、デフォルト（例えば、プレビューとして作用するメディアアセットの最初の５分）、または任意の他の適切な基準もしくはそれらの組み合わせに基づいて、記憶されるべきメディアアセットの部分または複数の部分を自動的に選択してもよい。前述のように、メディアガイドアプリケーションは、ユーザがメディアアセットの一部を選定しないことを検出し得、その場合、メディアガイドアプリケーションは、記憶動作をキャンセルしてもよい。
【０１２６】
いくつかの実施形態では、メディアガイドアプリケーションは、メディアアセットの部分が、命令に対応する初期ソースにおいて部分的に再生されたことを判定してもよい。例えば、メディアガイドアプリケーションが、ユーザが、ユーザ機器デバイス５００上で現在進行中の継続中のテレビ放送からの始まりの場面が記憶されることを要求したことを判定する場合、メディアガイドアプリケーションは、始まりの場面がすでに部分的に再生されたことを判定してもよい（例えば、制御回路３０４を介して）。本判定に応答して、メディアガイドアプリケーションは、次いで、メディアアセットの部分のための二次ソース（例えば、ソース７１０）を識別してもよい。メディアガイドアプリケーションは、ソースの識別のための前述のような同一様式でまたは同一ルールを使用して、二次ソースを識別してもよい。例えば、メディアガイドアプリケーションは、インターネットベースのストリーミングコンテンツプロバイダの一覧（例えば、記憶回路３０８に位置する）を検索し、メディアアセットの将来のスケジュールされたまたはオンデマンドストリームをメディアアセットの部分のための二次ソースとして識別してもよい。
【０１２７】
図６は、本開示のいくつかの実施形態による、ユーザコマンドを処理し、それに作用し、メディアアセットの一部をコマンドが受信されたユーザデバイス上に記憶させ得る、システムの例証的実施形態を示す。図６では、第１のユーザデバイス６０４上に実装されるメディアガイドアプリケーションは、ユーザ６０２がコマンド（例えば、コマンド５０４）をメディアガイドアプリケーションに発行したことを検出する。第１のユーザデバイス６０４は、例えば、ユーザ機器デバイス５００であって、その機能性を果たしてもよい。
【０１２８】
メディアガイドアプリケーションは、制御回路３０４を使用して、コマンド（例えば、コマンド５０４）が、メディアアセットの一部を第１のユーザデバイス６０４に（例えば、記憶回路３０８に）記憶する命令を備えることを判定してもよい。例えば、図５に関して論じられるように、メディアガイドアプリケーションは、ユーザ６０２が、「Ｓｔａｒ  Ｗａｒｓ  Ｅｐｉｓｏｄｅ  １：  Ｔｈｅ  Ｐｈａｎｔｏｍ  Ｍｅｎａｃｅ」の部分を記憶するコマンドを第１のユーザデバイス６０４上に実装されるメディアガイドアプリケーションに発行したことを判定してもよい。
【０１２９】
メディアガイドアプリケーションはまた、ユーザ６０２および／または第１のユーザデバイス６０４がメディアアセットの部分にアクセスする許可を有するかどうかを判定してもよい。メディアガイドアプリケーションは、第１のユーザデバイス６０４から、ユーザ６０２および／または第１のユーザデバイス６０４がアクセスする許可を有するメディアアセットの一覧を要求し、パスワードをユーザ６０２から要求し、ユーザ６０２および／または第１のユーザデバイス６０４とメディアアセットの部分にアクセス許可を有することが既知のユーザおよびユーザデバイスの一覧を相互参照することによって、または任意の他の適切な方法を使用することによって、本判定を行ってもよい。メディアガイドアプリケーションが、ユーザ６０２および／または第１のユーザデバイス６０４がメディアアセットの部分にアクセスする許可を有していないことを判定する場合、メディアガイドアプリケーションは、ユーザ６０２に、第１のユーザデバイス６０４を使用して（例えば、表示のために、随意の記憶確認メッセージ５０６をディスプレイ３１２上に生成することによって）、ユーザ６０２および／または第１のユーザデバイス６０４がメディアアセットの部分にアクセスする許可を有していないことのインジケーションを提供してもよい。ここで論じられる実施例では、メディアガイドアプリケーションは、ユーザ６０２が、プレミアムチャネル上の将来の放送からの「Ｓｔａｒ  Ｗａｒｓ  Ｅｐｉｓｏｄｅ  １：  Ｔｈｅ  Ｐｈａｎｔｏｍ  Ｍｅｎａｃｅ」の要求された部分にアクセスする許可を有していないが、ユーザ６０２が、所与のオンデマンドソースからそれにアクセスする許可を有していることを判定してもよい。
【０１３０】
メディアガイドアプリケーションが、ユーザ６０２および／または第１のユーザデバイス６０４がメディアアセットの部分にアクセスする許可を有していることを判定する場合、メディアガイドアプリケーションは、次いで、制御回路３０４を使用して、コマンドを好適にエンコードし、通信ネットワーク４１４を経由して、送信機６０６によって、サーバ６０８にそれを伝送してもよい。送信機６０６は、セルラー送信機またはＷｉ−Ｆｉ送信機等の無線送信機であってもよい（図６に示されるように）。送信機６０６はまた、Ｅｔｈｅｒｎｅｔ（登録商標）接続または内部有線接続等の有線接続を示してもよい。サーバ６０８は、第１のユーザデバイス６０４のローカルにまたは遠隔に位置してもよい。サーバ６０８は、第１のユーザデバイス６０４の全機能性を含む、または第１のユーザデバイス６０４上に実装されてもよい。サーバ６０８は、メディアガイドアプリケーションを提供する供給業者と関連付けられ、および／またはそれによって動作されてもよい。サーバ６０８は、メディアガイドデータソース４１８および／またはメディアコンテンツソース４１６の機能性を実装してもよい。サーバ６０８は、既知のソースのデータベース、既知のメディアアセット識別子、またはメディアアセットと関連付けられた他のデータを備えてもよい。サーバ６０８はまた、第１のユーザデバイス６０４によって扱われない複雑なタスクを処理するための制御回路（制御回路３０４等）を備えてもよい。ここで論じられる実施例では、メディアガイドアプリケーションは、「Ｓｔａｒ  Ｗａｒｓ  Ｅｐｉｓｏｄｅ  １：  Ｔｈｅ  Ｐｈａｎｔｏｍ  Ｍｅｎａｃｅ」の部分を記憶する命令を備えるコマンドをエンコードし、送信機６０６を使用してサーバ６０８にそれを伝送してもよい。
【０１３１】
メディアガイドアプリケーションは、次いで、サーバ６０８が、次いで、メディアアセットの部分の要求をソース６１０に伝送することを要求してもよい。本伝送は、ＳＱＬ等の任意の既知のクエリ言語を使用して、ソース６１０にアドレス指定されたクエリを生成することによって生じてもよい。いくつかの事例では、ソース６１０は、サーバ６０８と同じ場所にある。いくつかの事例では、ソース６１０およびサーバ６０８は、１つの統合されるデバイスである。いくつかの事例では、ソース６１０およびサーバ６０８は、相互から遠隔に位置する。ここで論じられる実施例では、サーバ６０８は、「Ｓｔａｒ  Ｗａｒｓ  Ｅｐｉｓｏｄｅ  １：  Ｔｈｅ  Ｐｈａｎｔｏｍ  Ｍｅｎａｃｅ」の部分の要求をソース６１０（ここでは、所与のオンデマンドソース）に伝送するであろう。サーバ６０８からソース６１０への要求は、メディアアセットの全体、または適用可能である場合、その部分自体だけに対するものであってもよい。
【０１３２】
サーバ６０８は、次いで、メディアアセットの部分をソース６１０から受信してもよい。メディアガイドアプリケーションは、サーバ６０８が、第１のユーザデバイス６０４に好適であるように、メディアアセットの部分を処理する（例えば、それを再エンコード、再フォーマット、または別様に修正することによって）ことを要求してもよい。例えば、ソース６１０から受信されるメディアアセットの部分が、第１のユーザデバイス６０４が表示することができないフォーマットである場合、メディアガイドアプリケーションは、サーバ６０８に、メディアアセットの部分を再フォーマットすることを要求してもよい（例えば、メディアガイドアプリケーションが第１のユーザデバイス６０４にクエリすることによって判定される適切なフォーマットに）。別の実施例では、サーバ６０８が、ソース６１０からメディアアセットの全体を受信した場合、メディアガイドアプリケーションは、サーバ６０８が第１のユーザデバイス６０４に伝送するためのメディアアセットの部分を抽出することを要求してもよい。メディアガイドアプリケーションはまた、制御回路３０４を使用して、これらの機能のいずれかを行ってもよい（例えば、メディアアセットの部分を処理する、またはメディアアセットの部分を抽出する）。メディアガイドアプリケーションはまた、第１のユーザデバイス６０４のための適切な再生マーカーを生成するために、メディアアセット内の部分の開始位置および終了位置を見つけてもよい。サーバ６０８は、次いで、メディアアセットの部分を、再び、通信ネットワーク４１４を経由して、送信機６０６によって第１のユーザデバイス６０４に伝送してもよい。メディアガイドアプリケーションは、メディアアセットの部分を記憶させてもよい（例えば、第１のユーザデバイス６０４の記憶回路３０８に）。
【０１３３】
例えば、サーバ６０８は、「Ｓｔａｒ  Ｗａｒｓ  Ｅｐｉｓｏｄｅ  １：  Ｔｈｅ  Ｐｈａｎｔｏｍ  Ｍｅｎａｃｅ」の全体をソース６１０から受信するが、（送信機６０６を介して第１のユーザデバイス６０４から伝送されるコマンド５０４から）ユーザ６０２が映画の始まりの場面のみを記憶することを所望することを把握してもよい。メディアガイドアプリケーションは、メディアアセットをサーバ６０８から受信すると、次いで、ソース６１０から受信されたメディアアセットから始まりの場面を抽出し、それを第１のユーザデバイス６０４によって再生可能なフォーマットにエンコードし、メディアアセットの部分を第１のユーザデバイス６０４に記憶させてもよい。
【０１３４】
図７は、本開示のいくつかの実施形態による、ユーザコマンドを処理し、それに作用し、メディアアセットの一部を第２のユーザデバイス上に記憶させ得る、システムの例証的実施形態を示す。図６におけるように、メディアガイドアプリケーションは、ユーザ７０２が第１のユーザデバイス７０４にコマンドを発行したことを検出し、それをエンコードし、送信機７０６を使用してサーバ７０８伝送する。この場合、コマンドは、メディアアセットの一部を、第１のユーザデバイス７０４ではなく、第２のユーザデバイス７１２に記憶する命令を備える。第１のユーザデバイス７０４および第２のユーザデバイス７１２は両方とも、ユーザ機器デバイス５００の機能性を果たす。
【０１３５】
図６と同様に、メディアガイドアプリケーションは、制御回路３０４を使用して、コマンド（例えば、コマンド５０４）が、メディアアセットの一部を第２のユーザデバイス７１２に（例えば、記憶回路３０８に）記憶する命令を備えることを判定してもよい。例えば、図５に関して論じられるように、メディアガイドアプリケーションは、ユーザ７０２が、「Ｓｔａｒ  Ｗａｒｓ  Ｅｐｉｓｏｄｅ  １：  Ｔｈｅ  Ｐｈａｎｔｏｍ  Ｍｅｎａｃｅ」の一部を第２のユーザデバイス７１２（例えば、ユーザ７０２に属する、またはそれと関連付けられた別のユーザデバイス）に記憶するためのコマンドを第１のユーザデバイス７０４上に実装されるメディアガイドアプリケーションに発行したことを検出してもよい。
【０１３６】
メディアガイドアプリケーションはまた、第２のユーザデバイス７１２および／または第２のユーザデバイス７１２と関連付けられたユーザ（例えば、ユーザ７０２または図示されない別のユーザ）がメディアアセットの部分にアクセスする許可を有するかどうかを判定してもよい。前述のように、メディアガイドアプリケーションは、第１のユーザデバイス７０４または第２のユーザデバイス７１２から、ユーザ７０２および／または第２のユーザデバイス７１２がアクセスする許可を有するメディアアセットの一覧を要求し、パスワードをユーザ７０２から要求し、ユーザ７０２および／または第２のユーザデバイス７１２とメディアアセットの部分にアクセスする許可を有することが既知のユーザおよびユーザデバイスの一覧を相互参照することによって、または任意の他の適切な方法を使用することによって、本判定を行ってもよい。メディアガイドアプリケーションが、ユーザ７０２、第２のユーザデバイス７１２と関連付けられた別のユーザ（図示せず）、および／または第２のユーザデバイス７１２がメディアアセットの部分にアクセスする許可を有していないことを判定する場合、メディアガイドアプリケーションは、ユーザ７０２に、第１のユーザデバイス７０４を使用して（例えば、表示のために、随意の記憶確認メッセージ５０６をディスプレイ３１２上に生成することによって）、ユーザ７０２、第２のユーザデバイス７１２と関連付けられた別のユーザ（図示せず）、および／または第２のユーザデバイス７１２がメディアアセットの部分にアクセスする許可を有していないことのインジケーションを提供してもよい。ここで論じられる実施例では、メディアガイドアプリケーションは、第２のユーザデバイス７１２が、プレミアムチャネル上の将来の放送からの「Ｓｔａｒ  Ｗａｒｓ  Ｅｐｉｓｏｄｅ  １：  Ｔｈｅ  Ｐｈａｎｔｏｍ  Ｍｅｎａｃｅ」の要求された部分にアクセスする許可を有していないが、第２のユーザデバイス７１２が、所与のオンデマンドソースからそれにアクセスする許可を有することを判定してもよい。
【０１３７】
メディアガイドアプリケーションが、ユーザ７０２、第２のユーザデバイス７１２と関連付けられた別のユーザ（図示せず）、および／または第２のユーザデバイス７１２がメディアアセットの部分にアクセスする許可を有することを判定する場合、メディアガイドアプリケーションは、次いで、制御回路３０４を使用して、コマンドを好適にエンコードし、通信ネットワーク４１４を経由して、送信機７０６によって、サーバ７０８にそれを伝送してもよい。前述のように、送信機７０６は、セルラー送信機またはＷｉ−Ｆｉ送信機等の無線送信機であってもよい（図７に示されるように）。送信機７０６はまた、Ｅｔｈｅｒｎｅｔ（登録商標）接続または内部有線接続等の有線接続を示してもよい。サーバ７０８は、第１のユーザデバイス７０４および／または第２のユーザデバイス７１２からローカルにまたは遠隔に位置してもよい。サーバ７０８は、第１のユーザデバイス７０４および／または第２のユーザデバイス７１２のもしくはその上に実装される全機能性を含んでもよい。サーバ７０８は、メディアガイドアプリケーションを提供する供給業者と関連付けられる、および／またはそれによって動作されてもよい。サーバ７０８は、メディアガイドデータソース４１８であってもよい。サーバ７０８は、既知のソース、既知のメディアアセット識別子、またはメディアアセットと関連付けられた他のデータのデータベースを備えてもよい。サーバ７０８はまた、第１のユーザデバイス７０４および／または第２のユーザデバイス７１２によって扱われない複雑なタスクを処理するための制御回路（制御回路３０４等）を備えてもよい。ここで論じられる実施例では、第１のユーザデバイス７０４上に実装されるメディアガイドアプリケーションは、「Ｓｔａｒ  Ｗａｒｓ  Ｅｐｉｓｏｄｅ  １：  Ｔｈｅ  Ｐｈａｎｔｏｍ  Ｍｅｎａｃｅ」の一部を第２のユーザデバイス７１２上に記憶する命令を備えるコマンドをエンコードし、さらなる処理のために、送信機７０６を使用してサーバ７０８にそれを伝送してもよい。
【０１３８】
メディアガイドアプリケーションは、次いで、サーバ７０８がメディアアセットの部分の要求をソース７１０に伝送することを要求してもよい。本伝送は、ＳＱＬ等の任意の既知のクエリ言語を使用して、ソース７１０にアドレス指定されるクエリを生成することによって生じてもよい。いくつかの事例では、ソース７１０は、サーバ７０８と同じ場所にある。いくつかの事例では、ソース７１０およびサーバ７０８は、１つの統合されるデバイスである。いくつかの事例では、ソース７１０およびサーバ７０８は、相互から遠隔に位置する。ここで論じられる実施例では、サーバ７０８は、「Ｓｔａｒ  Ｗａｒｓ  Ｅｐｉｓｏｄｅ  １：  Ｔｈｅ  Ｐｈａｎｔｏｍ  Ｍｅｎａｃｅ」の一部のためのメディアガイドアプリケーションによって命令される要求をソース７１０（ここでは、所与のオンデマンドソース）に伝送するであろう。要求は、メディアアセットの全体、または適用可能である場合、その部分自体だけに対するものであってもよい。
【０１３９】
サーバ７０８は、次いで、メディアアセットの部分をソース７１０から受信してもよい。メディアガイドアプリケーションは、サーバ７０８が、第２のユーザデバイス７１２に好適であるように、メディアアセットの部分を処理し（例えば、それを再エンコード、再フォーマット、または別様に修正することによって）、次いで、それを第２のユーザデバイス７１２に伝送することを要求してもよい（通信ネットワーク４１４を経由して、第２のデバイス送信機７１４によって）。例えば、ソース７１０から受信されたメディアアセットの部分が、第１のユーザデバイス７０４が表示することができるが、第２のユーザデバイス７１２が表示することができないフォーマットである場合、メディアガイドアプリケーションは、サーバ７０８がメディアアセットの部分を再フォーマットすることを要求してもよい（例えば、メディアガイドアプリケーションが第２のユーザデバイス７１２にクエリすることによって判定される適切なフォーマットに）。別の実施例では、サーバ７０８が、メディアアセットの全体をソース７１０から受信した場合、メディアガイドアプリケーションは、サーバ７０８が第２のユーザデバイス７１２に伝送するためのメディアアセットの部分を抽出することを要求してもよい。前述のように、メディアガイドアプリケーションは、第１のユーザデバイス７０４または第２のユーザデバイス７１２においてこれらのアクションを行ってもよい（メディアアセットの部分を処理する、および／またはそれをメディアアセットの全体から抽出する）。メディアアプリケーションはまた、適切な再生マーカーを第２のユーザデバイス７１２に伝送するために、メディアアセット内の部分の開始位置および終了位置を見つけてもよい。第２のユーザデバイス７１２は、次いで、メディアアセットの部分を記憶してもよい（例えば、記憶回路３０８に）。
【０１４０】
図８は、本開示のいくつかの実施形態による、ユーザから受信されたコマンドに基づいて、メディアアセットの部分を記憶するための例証的ステップのフロー図である。プロセス８００またはその任意のステップは、図３−７に示されるデバイスのいずれか上で行われる、またはそれによって提供され得ることに留意されたい。例えば、プロセス８００は、ユーザ機器４０２、４０４、および／または４０６（図４）上に実装される制御回路によって命令されるように、制御回路３０４（図３）によって実行され、メディアアセットの部分を記憶させてもよい。加えて、プロセス８００の１つまたはそれを上回るステップは、任意の他のプロセスまたは実施形態の１つまたはそれを上回るステップの中に組み込まれる、もしくはそれと組み合わせられてもよい。
【０１４１】
８０２では、メディアガイドアプリケーションが、音声コマンドをユーザから受信する。例えば、ユーザ機器デバイス５００上に実装されるメディアガイドアプリケーションは、マイクロホン５０２を介して、コマンド５０４を受信してもよい。
【０１４２】
８０４では、メディアガイドアプリケーションは、音声コマンドが、メディアアセットの部分を記憶する命令を備えることを判定し、部分は、メディアアセット全体未満である。例えば、メディアガイドアプリケーションは、制御回路３０４上で実行される音声認識技法を使用して、記憶コマンドと関連付けられたキーワードを識別してもよい。
【０１４３】
８０６では、メディアガイドアプリケーションは、メディアアセットの部分のソースを識別する。いくつかの実施形態では、メディアガイドアプリケーションは、サーバ６０８またはメディアガイドデータソース４１８等の遠隔サーバにコンタクトし、ソースを識別してもよい。他の実施形態では、メディアガイドアプリケーションは、ローカルに記憶された（例えば、記憶回路３０８に）好適なコンテンツソースの一覧にアクセスしてもよい。
【０１４４】
いくつかの実施形態では、メディアガイドアプリケーションがメディアアセットの部分のソースを判定することは、メディアガイドアプリケーションが、制御回路３０４を使用して、ユーザの場所、要求の時間、およびチャネル、プロバイダ、またはコマンドが発行された時間にユーザが視聴していた他のソースに基づいて、メディアアセットの識別を認識することを備えてもよい。例えば、ユーザは、ユーザが通常受信しないサービスを介して、番組放送を視聴している場合がある（例えば、ユーザが友人の家に居て、友人がユーザと異なるケーブルプロバイダに加入している）。メディアガイドアプリケーションは、制御回路３０４を使用して、ユーザの場所（すなわち、ユーザプロファイル内に保存され得る、友人の家）、メディアアセットと関連付けられたコンテンツプロバイダ（すなわち、同様にユーザプロファイル内に保存された友人のケーブルテレビプロバイダ）、およびコマンドが発行された時間を認識してもよい。本情報を使用して、メディアガイドアプリケーションは、コマンドと関連付けられたメディアアセットを認識し、それによって、メディアアセットの部分のソースを判定可能となり得る。
【０１４５】
８０８では、メディアガイドアプリケーションは、制御回路３０４を使用して、メディアアセットの部分を記憶させる（例えば、記憶回路３０８に）。いくつかの実施形態では、メディアアセットの部分は、遠隔データベース（例えば、ソース６１０またはソース７１０）から読み出され、記憶される（例えば、記憶回路３０８に）。他の実施形態では、メディアアセットの部分の将来の放送の録画が、スケジュールされてもよい。
【０１４６】
いくつかの実施形態では、メディアガイドアプリケーションは、制御回路３０４を使用して、メディアアセットの全体を記憶させてもよい（例えば、記憶回路３０８に）。メディアガイドアプリケーションは、次いで、制御回路３０４を使用して、また、メディアアセットの要求された部分の開始へのポインタを記憶してもよい。メディアガイドアプリケーションが、ユーザがメディアアセットの部分の再生を要求したことを検出すると、メディアガイドアプリケーションは、次いで、該ポインタを使用して、要求された部分の開始時に、記憶されたメディアアセットの再生を始動してもよい。このように、メディアガイドアプリケーションは、メディアアセットの他の部分への後のアクセスを可能にしながら、メディアアセットの部分との相互作用を促進し得る。
【０１４７】
図８のステップまたは説明は、本開示の任意の他の実施形態とともに使用され得ることが考慮される。加えて、図８に関して説明されるステップおよび説明は、本開示の目的を促進するように、代替的な順序で、または並行して行われてもよい。例えば、これらのステップのそれぞれは、システムまたは方法の遅延を減少させるかまたは速度を増加させるように、任意の順序で、または並行して、もしくは実質的に同時に行われてもよい。さらに、図８のステップのうちの１つまたはそれを上回るものを行うために、図３−７に関して論じられるデバイスまたは機器のいずれかを使用できることに留意されたい。
【０１４８】
図９は、本開示のいくつかの実施形態による、複数のソースが識別されるときのメディアアセットの部分を記憶するための例証的ステップのフロー図である。プロセス９００またはその任意のステップは、図３−７に示されるデバイスのいずれか上で行われる、またはそれによって提供され得ることに留意されたい。例えば、プロセス９００は、複数のソースが識別されると、ユーザ機器４０２、４０４、および／または４０６（図４）上に実装される制御回路によって命令されるように、制御回路３０４（図３）によって実行され、メディアアセットの部分を記憶させてもよい。加えて、プロセス９００の１つまたはそれを上回るステップは、任意の他のプロセスまたは実施形態の１つまたはそれを上回るステップの中に組み込まれる、もしくはそれと組み合わせられてもよい。
【０１４９】
９０２では、図８の８０２におけるように、メディアガイドアプリケーションが、音声コマンド（例えば、マイクロホン５０２を介したコマンド５０４）をユーザから受信する。９０４では、メディアガイドアプリケーションは、制御回路３０４を使用して、音声コマンドがメディアアセットの部分を記憶する命令を含むかどうかを判定してもよい。該当しない場合、メディアガイドアプリケーションは、９０２に戻り、別の音声コマンドをユーザから受信してもよく、または適用可能である場合、適切な様式でコマンドに作用してもよい（図示せず）。
【０１５０】
メディアガイドアプリケーションが、制御回路３０４を使用して、音声コマンドがメディアアセットの部分を記憶する命令を含むことを判定する場合、メディアガイドアプリケーションは、次いで、９０６に進んでもよい。９０６では、メディアガイドアプリケーションは、８０６におけるように、制御回路３０４を使用して、メディアアセットの部分のソースを識別してもよい。いくつかの実施形態では、メディアガイドアプリケーションは、ローカルに利用可能または遠隔データベース（例えば、メディアガイドデータソース４１８）において利用可能なメディアアセットの部分の既知のソースの一覧にアクセスしてもよい。他の実施形態では、メディアガイドアプリケーションは、より広範なインターネット検索を行い（例えば、通信ネットワーク４１４を使用して）、好適なソースを見つけてもよい。
【０１５１】
９０８では、メディアガイドアプリケーションは、ソースが識別されたかどうかを判定してもよい（例えば、制御回路３０４を使用して）。メディアガイドアプリケーションが、ソースを識別していない場合、メディアガイドアプリケーションは、９１０に進み、ソースが見つけられなかったことをユーザに知らせてもよい。例えば、メディアガイドアプリケーションは、表示のために（例えば、ユーザ機器デバイス５００のディスプレイ３１２上に）、本旨の通知メッセージを生成してもよい。別の実施例では、メディアガイドアプリケーションは、オーディオメッセージを生成してもよい（例えば、スピーカ３１４を介して再生されるために）。
【０１５２】
いくつかの実施形態では、メディアガイドアプリケーションが、ソースを識別していない場合、メディアガイドアプリケーションは、ユーザに、録画され得るクリップのカテゴリの選択可能なオプションのセットを提示してもよい。これらのカテゴリは、限定ではないが、「興奮するスポーツの試合」、「圧倒的なライブショー」、「美しい自然の景色」、および「楽しいパーティー」を含んでもよい。これらのカテゴリは、デフォルトによって、ユーザ選好に従って、または利用可能なプログラミングに基づいて、設定されてもよい。例えば、メディアガイドアプリケーションは、スポーツの試合が現在放送されていない場合、「興奮するスポーツゲーム」からのクリップを録画するオプションを提示しなくてもよい。
【０１５３】
メディアガイドアプリケーションが、ユーザがカテゴリのうちの１つを選択したことを検出する場合（例えば、制御回路３０４を使用して）、選択されたカテゴリに対応するクリップを識別および記憶してもよい。ある場合には、メディアガイドアプリケーションは、カテゴリに対応する事前に録画されたクリップのデータベース（例えば、メディアコンテンツソース４１６）にアクセスしてもよい。メディアガイドアプリケーションは、次いで、記憶されるべき事前に録画されたクリップのうちの１つを選択してもよい。他の場合には、メディアガイドアプリケーションは、選択されたカテゴリに対応するメディアアセットを検索してもよい（例えば、メディアガイドデータソース４１８を使用して）。メディアガイドアプリケーションは、次いで、記憶するためのメディアアセットからのメディアアセットおよび／またはクリップを選択してもよい。本選択は、ランダムに、ユーザ選好に従って、ユーザ選択に従って、他のユーザによるクリップの人気度に従って、または任意の他の好適な基準に基づいて、行われてもよい。
【０１５４】
メディアガイドアプリケーションが、ソースを識別した場合、メディアガイドアプリケーションは、９１２に進んでもよい。９１２では、メディアガイドアプリケーションは、制御回路３０４を使用して、複数のソースが識別されたかどうかを判定してもよい。メディアガイドアプリケーションが複数のソースを識別していない（すなわち、メディアガイドアプリケーションがメディアアセットの部分のための単一ソースを識別した）場合、メディアガイドアプリケーションは、９１４に進み、制御回路３０４を使用して、メディアアセットの部分を記憶させてもよい（例えば、図８の８０８におけるように、記憶回路３０８に）。
【０１５５】
メディアガイドアプリケーションが、複数のメディアアセットの部分のソースを識別した場合、メディアガイドアプリケーションは、９１６に進んでもよい。９１６では、メディアガイドアプリケーションは、表示のために（例えば、ディスプレイ３１２上に）、ユーザに複数の識別されたソースから使用するためのソースを選択することを求めるメニューを生成してもよい。メディアガイドアプリケーションが、ユーザが選択を行ったことを検出すると、メディアガイドアプリケーションは、次いで、制御回路３０４を使用して、９１４において、メディアアセットの部分を記憶させるために（例えば、記憶回路３０８に）、選択されたソースを使用してもよい。
【０１５６】
図９のステップまたは説明は、本開示の任意の他の実施形態とともに使用され得ることが考慮される。加えて、図９に関して説明されるステップおよび説明は、本開示の目的を促進するように、代替的な順序で、または並行して行われてもよい。例えば、これらのステップのそれぞれは、システムまたは方法の遅延を減少させるかまたは速度を増加させるように、任意の順序で、または並行して、もしくは実質的に同時に行われてもよい。さらに、図９のステップのうちの１つまたはそれを上回るものを行うために、図３−７に関して論じられるデバイスまたは機器のいずれかを使用できることに留意されたい。
【０１５７】
図１０は、本開示のいくつかの実施形態による、部分の開始位置および終了位置がユーザによって示されたときのメディアアセットの部分を記憶するための例証的ステップのフロー図である。プロセス１０００またはその任意のステップは、図３−７に示されるデバイスのいずれか上で行われる、またはそれによって提供され得ることに留意されたい。例えば、プロセス１０００は、部分の開始位置および終了位置がユーザによって示されたとき、ユーザ機器４０２、４０４、および／または４０６（図４）上に実装される制御回路によって命令されるように、制御回路３０４（図３）によって実行され、メディアアセットの部分を記憶させてもよい。加えて、ステッププロセス１０００の１つまたはそれを上回るものは、任意の他のプロセスまたは実施形態の１つまたはそれを上回るステップの中に組み込まれる、もしくはそれと組み合わせられてもよい。
【０１５８】
１００２では、図８の８０２におけるように、メディアガイドアプリケーションが、音声コマンド（例えば、マイクロホン５０２を介したコマンド５０４）をユーザから受信する。１００４では、メディアガイドアプリケーションは、制御回路３０４を使用して、音声コマンドがメディアアセットの一部の持続時間のインジケーションを含むかどうかを判定してもよい。例えば、メディアガイドアプリケーションは、ユーザが、メディアアセットからの「最初の５分」または「次の１０分」または「この場面」が記憶されるべきであることを示したことを判定してもよい。いくつかの実施形態では、メディアガイドアプリケーションは、制御回路３０４を使用して、ユーザが、メディアアセットからのまたはそれに関連する場面、クリップ、チャプタ、インタビュー、予告編、広告、またはカットした場面を要求したことを判定してもよい。前述のように、インジケーションは、相対的（例えば、「次の５分」）または絶対的（例えば、「３０分マークから４５分マーク」）であってもよい。
【０１５９】
いくつかの実施形態では、メディアガイドアプリケーションは、制御回路３０４を使用して、メディアアセットの放送時間およびコマンドが発行された時間に基づいて、メディアアセットの部分の開始位置を判定してもよい。例えば、メディアガイドアプリケーションが、ユーザが４：３５ＰＭにメディアアセットの現在の部分を記憶するコマンドを発行したことを検出し、メディアガイドアプリケーションが、メディアアセットが４：３０ＰＭに始まるようにスケジュールされていることを判定する場合、メディアガイドアプリケーションは、開始位置をメディアアセットのランタイムの中の５分に設定するであろう。
【０１６０】
他の実施形態では、メディアガイドアプリケーションは、制御回路３０４を使用して、ユーザデバイス（例えば、ユーザ機器デバイス５００）によって検出されたビデオ信号に基づいて、メディアアセットの部分の開始位置を判定してもよい。前述のように、メディアガイドアプリケーションは、検出されたビデオ信号を使用して、メディアアセットの部分のソースを識別してもよい。いったんメディアガイドアプリケーションがソースを識別すると、メディアガイドアプリケーションはまた、制御回路３０４を使用して、検出されたビデオ信号と識別されたソースを比較することによって、メディアアセットの部分の開始位置を判定してもよい。例えば、メディアガイドアプリケーションは、検出されたビデオ信号からのフレームと識別されたソースからのメディアアセットからのフレームを合致させてもよい。メディアガイドアプリケーションは、次いで、該フレームに対応するメディアアセット内の点をメディアアセットの部分の開始点として使用してもよい。
【０１６１】
メディアガイドアプリケーションが、音声コマンドがメディアアセットの一部の持続時間のインジケーションを含まないことを判定する場合、メディアガイドアプリケーションは、１００６に進んでもよい。１００６では、メディアガイドアプリケーションは、メディアガイドアプリケーションのデフォルト設定に従って、メディアアセットの部分を記憶させてもよい（例えば、記憶回路３０８に）。いくつかの実施形態では、設定は、ユーザ規定されてもよい。いくつかの実施形態では、設定は、ローカルに（例えば、記憶回路３０８に）記憶されてもよい。他の実施形態では、メディアガイドアプリケーションは、設定を遠隔データベースから読み出してもよい（例えば、通信ネットワーク４１４を介して）。例えば、メディアガイドアプリケーションは、メディアアセットの部分の示される持続時間の不在下、規定されたメディアアセットからの現在の場面を記憶させるように設定されてもよい（例えば、記憶回路３０８に）。
【０１６２】
メディアガイドアプリケーションが、音声コマンドがメディアアセットの一部の持続時間のインジケーションを含むことを検出する場合、メディアガイドアプリケーションは、１００８に進んでもよい。１００８では、メディアガイドアプリケーションは、制御回路３０４を使用して、メディアアセットの部分のための開始位置を判定する。例えば、メディアガイドアプリケーションが、ユーザがメディアアセットからの次の場面を要求したことを検出する場合、メディアガイドアプリケーションは、制御回路３０４を使用して、開始位置が現在の場面と次の場面との間の場面遷移に対応することを判定してもよい。任意の他の好適な分界点が、使用されてもよい。
【０１６３】
１０１０では、メディアガイドアプリケーションは、制御回路３０４を使用して、メディアアセットの部分のための終了位置を判定する。例えば、メディアガイドアプリケーションが、ユーザがメディアアセットから最後の１０分を要求したことを検出する場合、メディアガイドアプリケーションは、制御回路３０４を使用して、終了位置がメディアアセットの終了に対応することを判定してもよい。開始位置と同様に、任意の他の好適な分界点が、使用されてもよい。
【０１６４】
１０１２では、メディアガイドアプリケーションは、開始位置と終了位置との間で経過するメディアアセットの部分を記憶させてもよい（例えば、記憶回路３０８に）。記憶動作は、図８の８０８におけるように実施される。例えば、メディアガイドアプリケーションが、ユーザがメディアアセットからの始まりの場面を要求したことを検出する場合、メディアガイドアプリケーションは、その場面を遠隔ソースから読み出す（例えば、通信ネットワーク４１４を介して）、またはメディアアセットの始まりを開始位置として使用し、第２の場面への遷移を終了位置として使用して、それをメディアアセットの将来の放送から録画してもよい。
【０１６５】
図１０のステップまたは説明は、本開示の任意の他の実施形態とともに使用され得ることが考慮される。加えて、図１０に関して説明されるステップおよび説明は、本開示の目的を促進するように、代替的な順序で、または並行して行われてもよい。例えば、これらのステップのそれぞれは、システムまたは方法の遅延を減少させるかまたは速度を増加させるように、任意の順序で、または並行して、もしくは実質的に同時に行われてもよい。さらに、図１０のステップのうちの１つまたはそれを上回るものを行うために、図３−７に関して論じられるデバイスまたは機器のいずれかを使用できることに留意されたい。
【０１６６】
図１１は、本開示のいくつかの実施形態による、メディアアセットの一部を識別されたデバイスに記憶するための例証的ステップのフロー図である。プロセス１１００またはその任意のステップは、図３−７に示されるデバイスのいずれか上で行われる、またはそれによって提供され得ることに留意されたい。例えば、プロセス１１００は、ユーザ機器４０２、４０４、および／または４０６（図４）上に実装される制御回路によって命令されるように、制御回路３０４（図３）によって実行され、メディアアセットの一部を識別されたデバイスに記憶させてもよい。加えて、ステッププロセス１１００の１つまたはそれを上回るものは、任意の他のプロセスまたは実施形態の１つまたはそれを上回るステップの中に組み込まれる、もしくはそれと組み合わせられてもよい。
【０１６７】
１１０２では、メディアガイドアプリケーションは、制御回路３０４を使用して、命令をユーザから受信してもよい（例えば、マイクロホン５０２を介して受信されたコマンド５０４内に）。１１０４では、メディアガイドアプリケーションは、制御回路３０４を使用して、命令がデバイス識別子を含むかどうかを判定してもよい。例えば、メディアガイドアプリケーションは、デバイス識別子が命令が受信されたユーザと関連付けられたユーザデバイス（例えば、「私のラップトップ」または「私のＤＶＲ」）を指すことを判定してもよい。別の実施例では、メディアガイドアプリケーションは、デバイス識別子が、別のユーザと関連付けられているが、メディアガイドアプリケーションがアクセスを有し得る、ユーザデバイス（例えば、「私の友人の電話」または「私の両親のタブレット」）を指すことを判定してもよい。
【０１６８】
メディアガイドアプリケーションが、デバイス識別子を検出しない場合、メディアガイドアプリケーションは、１１０６に進んでもよい。１１０６では、メディアガイドアプリケーションは、制御回路３０４を使用して、メディアアセットの部分をデフォルトまたは好ましい（ユーザ選好によって設定された）デバイスに（例えば、記憶回路３０８に）記憶させる。例えば、メディアガイドアプリケーションは、メディアアセットの部分を命令が受信されたユーザデバイスに記憶するように設定されてもよい。別の実施例では、メディアガイドアプリケーションは、デフォルトによって、メディアアセットの部分をある場所またはデバイスに（例えば、通信ネットワーク４１４を介して、ユーザデバイスによってアクセス可能な遠隔サーバに）記憶してもよい。
【０１６９】
いくつかの実施形態では、１１０６において、メディアガイドアプリケーションは、制御回路３０４を使用して、メディアアセットの部分を記憶するために利用可能なデバイスを判定してもよい。例えば、メディアガイドアプリケーションは、少なくとも１つのチューナがコマンドが発行された時間に無料である場合、メディアアセットの部分をユーザのＤＶＲ（例えば、記憶回路３０８に）に自動的に録画してもよい。別の実施例では、メディアガイドアプリケーションは、制御回路３０４を使用して、現在利用可能な最大帯域幅を有するユーザデバイスを判定してもよい。さらに別の実施例では、メディアガイドアプリケーションは、制御回路３０４を使用して、現在最少数の記憶関連動作（例えば、ファイルを保存する、ファイルを読み出す等）を行っているユーザデバイスを判定してもよい。メディアガイドアプリケーションは、任意のそのような好適な技法または任意のそれらの組み合わせを使用して、本判定を行ってもよい。
【０１７０】
メディアガイドアプリケーションが、デバイス識別子を検出する場合、メディアガイドアプリケーションは、１１１０に進んでもよい。１１１０では、メディアガイドアプリケーションは、制御回路３０４を使用して、メディアアセットの部分を規定されたデバイス上に記憶させるための許可を有するかどうかを判定してもよい。例えば、メディアガイドアプリケーションは、データを記憶することができるデバイスの一覧（例えば、記憶回路３０８に位置するかまたは通信ネットワーク４１４を介してアクセス可能な遠隔データベースに位置する）にアクセスしてもよい。別の実施例では、メディアガイドアプリケーションは、制御回路３０４を使用して、デバイス識別子によって規定されたユーザデバイスに、許可の要求を伝送してもよい。
【０１７１】
メディアガイドアプリケーションが、メディアアセットの部分を規定されたデバイス上に記憶させるための許可を有していないことを判定する場合、メディアガイドアプリケーションは、１１０６に戻り、メディアアセットの部分をデフォルトデバイスに記憶してもよい。メディアガイドアプリケーションが、許可を有することを判定する場合、１１１２に進んでもよい。１１１２では、メディアガイドアプリケーションは、メディアアセットの部分をデバイス識別子に対応するデバイス（例えば、記憶回路３０８に）記憶させてもよい。記憶動作は、図８のステップ８０８のものに従ってもよい。
【０１７２】
図１１のステップまたは説明は、本開示の任意の他の実施形態とともに使用され得ることが考慮される。加えて、図１１に関して説明されるステップおよび説明は、本開示の目的を促進するように、代替的な順序で、または並行して行われてもよい。例えば、これらのステップのそれぞれは、システムまたは方法の遅延を減少させるかまたは速度を増加させるように、任意の順序で、または並行して、もしくは実質的に同時に行われてもよい。さらに、図１１のステップのうちの１つまたはそれを上回るものを行うために、図３−７に関して論じられるデバイスまたは機器のいずれかを使用できることに留意されたい。
【０１７３】
図１２は、本開示のいくつかの実施形態による、ユーザがデータベースに既知の任意のメディアアセット識別子に合致しないメディアアセット識別子を提供することに応答して、提案されるメディアアセット識別子を選択するための例証的ステップのフロー図である。プロセス１２００またはその任意のステップは、図３−７に示されるデバイスのいずれか上で行われる、またはそれによって提供され得ることに留意されたい。例えば、プロセス１２００は、ユーザ機器４０２、４０４、および／または４０６（図４）上に実装される制御回路によって命令されるように、制御回路３０４（図３）によって実行され、ユーザがデータベースに既知の任意のメディアアセット識別子に合致しないメディアアセット識別子を提供することに応答して、提案されるメディアアセット識別子を選択してもよい。加えて、ステッププロセス１２００の１つまたはそれを上回るものは、任意の他のプロセスまたは実施形態の１つまたはそれを上回るステップの中に組み込まれる、もしくはそれと組み合わせられてもよい。
【０１７４】
１２０２では、メディアガイドアプリケーションは、制御回路３０４を使用して、メディアアセット識別子を受信してもよい。例えば、メディアガイドアプリケーションは、ユーザ機器デバイス５００のマイクロホン５０２を使用してメディアガイドプログラムによって受信された音声コマンド内のメディアアセット識別子を検出してもよい。
【０１７５】
１２０４では、メディアガイドアプリケーションは、制御回路３０４を使用して、既知のメディアアセット識別子のデータベースにアクセスしてもよい。例えば、メディアガイドアプリケーションは、既知のメディアアセット識別子のローカルデータベース（例えば、記憶回路３０８に位置する）にアクセスしてもよい。別の実施例では、メディアガイドアプリケーションは、通信ネットワーク４１４を使用して、既知のメディアアセット識別子の遠隔データベース（例えば、サーバ６０８に位置する）にアクセスしてもよい。
【０１７６】
１２０６では、メディアガイドアプリケーションは、制御回路３０４を使用して、既知のメディアアセット識別子を既知のメディアアセット識別子のデータベースから選定してもよい。例えば、メディアガイドアプリケーションは、既知のメディアアセット識別子が順序付けられた一覧内に記憶される場合、第１のメディアアセット識別子を選択してもよい。
【０１７７】
１２０８では、メディアガイドアプリケーションは、制御回路３０４を使用して、受信されたメディアアセット識別子と１２０６において選定される既知のメディアアセット識別子を比較してもよい。例えば、メディアガイドアプリケーションが、既知のメディアアセット識別子が登場人物のストリングであることを判定する場合、メディアガイドアプリケーションは、制御回路３０４を使用して、２つのメディアアセット識別子の登場人物毎の比較を行ってもよい。この場合、メディアガイドアプリケーションは、受信されたメディアアセット識別子「Ｔｈｅ  Ｐｒｉｎｃｅｓｓ  Ｍｏｖｉｅ」が既知のメディアアセット識別子「Ｔｈｅ  Ｐｒｉｎｃｅｓｓ  Ｂｒｉｄｅ」および「Ｔｈｅ  Ｐｒｉｎｃｅｓｓ  Ｄｉａｒｉｅｓ」からの登場人物に合致することを判定してもよい。
【０１７８】
別の実施例では、メディアガイドアプリケーションは、制御回路３０４を使用して、単語の順序にかかわらず、受信されたおよび既知のメディアアセット識別子の両方に現れる単語を検索してもよい。この場合、メディアガイドアプリケーションは、受信されたメディアアセット識別子「Ｓｔａｒ  Ｔｒｅｋ：  Ｋｈａｎ’ｓ  Ｗｒａｔｈ」が既知のメディアアセット識別子「Ｓｔａｒ  Ｔｒｅｋ  ＩＩ：  Ｔｈｅ  Ｗｒａｔｈ  ｏｆ  Ｋｈａｎ」と共通するいくつかの単語を有することを判定してもよい。
【０１７９】
さらに別の実施例では、メディアガイドアプリケーションは、同一カテゴリ（例えば、ジャンル、アセットのタイプ等）に属することを規定する、受信されたおよび既知のメディアアセット識別子の両方内のキーワードを検索してもよい。この場合、メディアガイドアプリケーションは、共通する単語が非常に少ないが、受信されたメディアアセット識別子「Ａ  Ｌｏｎｇ  Ｔｉｍｅ  Ａｇｏ  Ｏｕｔ  Ｗｅｓｔ」および既知のメディアアセット識別子「Ｏｎｃｅ  Ｕｐｏｎ  ａ  Ｔｉｍｅ  ｉｎ  ｔｈｅ  Ｗｅｓｔ」の両方が、ジャンル「Ｗｅｓｔｅｒｎ」に属するコンテンツを指すことを判定してもよい。任意の他の好適な比較方法または任意のそれらの組み合わせが、使用されてもよい。
【０１８０】
１２１０では、メディアガイドアプリケーションは、制御回路３０４を使用して、かつ１２０８における比較に基づいて、受信されたメディアアセット識別子が１２０６において選定される既知のメディアアセット識別子に合致するかどうかを判定してもよい。例えば、メディアガイドアプリケーションが、前述の登場人物毎の比較を行った場合、メディアガイドアプリケーションは、その登場人物の全てが合致する場合、２つの識別子が合致することを判定してもよい。２つの識別子が合致する場合、メディアガイドアプリケーションは、１２１２に進み、制御回路３０４を使用して、合致する既知のメディアアセット識別子を選択してもよい。メディアガイドアプリケーションは、次いで、本メディアアセット識別子を使用して、メディアアセット識別子の一部のソースを識別し、その部分を記憶させてもよい（例えば、図８のステップ８０６および８０８において前述のように）。
【０１８１】
メディアガイドアプリケーションが、２つの識別子が合致しないことを判定する場合、メディアガイドアプリケーションは、１２１４に進んでもよい。１２１４では、メディアガイドアプリケーションは、制御回路３０４を使用して、受信されたメディアアセット識別子と１２０６において選定される既知のメディアアセット識別子との間の類似度に対応する類似度指標を算出してもよい。類似度指標は、使用される比較方法に基づいて、任意の適切な測定値であってもよい。
【０１８２】
例えば、メディアガイドアプリケーションが、登場人物毎の比較を使用している場合、類似度指標は、２つのメディアアセット識別子間で合致する登場人物の数またはパーセンテージであってもよい。前述の実施例を使用すると、メディアガイドアプリケーションは、制御回路３０４を使用して、受信されたメディアアセット識別子「Ｔｈｅ  Ｐｒｉｎｃｅｓｓ  Ｍｏｖｉｅ」が既知のメディアアセット識別子「Ｔｈｅ  Ｐｒｉｎｃｅｓｓ  Ｂｒｉｄｅ」および「Ｔｈｅ  Ｐｒｉｎｃｅｓｓ  Ｄｉａｒｉｅｓ」の空白文字ではない最初の１１文字に合致することを判定してもよい。メディアガイドアプリケーションは、次いで、両比較のための類似度指標を１１に設定してもよい。代替として、メディアガイドアプリケーションは、「Ｔｈｅ  Ｐｒｉｎｃｅｓｓ  Ｂｒｉｄｅ」のための類似度指標を０．６８７５（空白文字ではない１６文字中１１文字）および「Ｔｈｅ  Ｐｒｉｎｃｅｓｓ  Ｄｉａｒｉｅｓ」のための類似度指標を０．６１１１（空白文字ではない１８文字中１１文字）に設定してもよい。
【０１８３】
同様に、メディアガイドアプリケーションが、２つのメディアアセット識別子間の共通単語を検索する場合、合致する単語の数またはパーセンテージが、使用されてもよい。再び、前述の実施例に戻ると、メディアガイドアプリケーションは、制御回路３０４を使用して、受信されたメディアアセット識別子「Ｓｔａｒ  Ｔｒｅｋ：  Ｋｈａｎ’ｓ  Ｗｒａｔｈ」が、既知のメディアアセット識別子「Ｓｔａｒ  Ｔｒｅｋ  ＩＩ：  Ｔｈｅ  Ｗｒａｔｈ  ｏｆ  Ｋｈａｎ」内のものと同一である３つの単語（または単語の３／７）を有することを判定してもよい。
【０１８４】
別の実施例では、メディアガイドアプリケーションが、キーワードを使用して、メディアアセット識別子をカテゴリ（前述のように）に割り当てる場合、類似度指標は、両メディアアセット識別子が同一カテゴリに属する可能性に対応してもよい。前述から、メディアガイドアプリケーションは、制御回路３０４を使用して、受信されたメディアアセット識別子「Ａ  Ｌｏｎｇ  Ｔｉｍｅ  Ａｇｏ  Ｏｕｔ  Ｗｅｓｔ」および既知のメディアアセット識別子「Ｏｎｃｅ  Ｕｐｏｎ  ａ  Ｔｉｍｅ  ｉｎ  ｔｈｅ  Ｗｅｓｔ」が両方とも、ジャンル「Ｗｅｓｔｅｒｎ」に属するコンテンツを指す可能性が高いことを判定してもよい。
【０１８５】
いくつかの実施形態では、メディアガイドアプリケーションは、制御回路３０４を使用して、比較および／または類似度指標をユーザプロファイル（例えば、記憶回路３０８に位置する、または通信ネットワーク４１４を介してアクセスされる）から読み出される情報に部分的に基づかせてもよい。例えば、メディアガイドアプリケーションが、制御回路３０４を使用して、ユーザが「Ｓｔａｒ  Ｗａｒｓ  １」を要求したことを検出し、メディアガイドアプリケーションが、ユーザのプロファイルが、ユーザが１９７０年代のＳＦ映画が好きであることを示すと判定する場合、メディアガイドアプリケーションは、「Ｓｔａｒ  Ｗａｒｓ  Ｅｐｉｓｏｄｅ  １：  Ｔｈｅ  Ｐｈａｎｔｏｍ  Ｍｅｎａｃｅ」ではなく、「Ｓｔａｒ  Ｗａｒｓ  Ｅｐｉｓｏｄｅ  ４：  Ａ  Ｎｅｗ  Ｈｏｐｅ」（すなわち、最初に公開されたＳｔａｒＷａｒｓ映画）を潜在的合致として提案してもよい。ユーザプロファイル情報を伴わない場合、メディアガイドアプリケーションは、タイトルの類似度に起因して、「Ｓｔａｒ  Ｗａｒｓ  Ｅｐｉｓｏｄｅ  １：  Ｔｈｅ  Ｐｈａｎｔｏｍ  Ｍｅｎａｃｅ」を提案してもよい。メディアガイドアプリケーションによってこのように使用されるユーザプロファイル情報は、視聴履歴、購入履歴、ユーザ選択選好、任意の他の好適な情報、または任意のそれらの組み合わせを含んでもよい。
【０１８６】
１２１６では、メディアガイドアプリケーションは、制御回路３０４を使用して、既知のメディアアセット識別子のデータベース内に付加的既知のメディアアセット識別子が存在するかどうかを判定してもよい。例えば、既知のメディアアセット識別子が、順序付けられた一覧内に記憶される場合、メディアガイドアプリケーションは、制御回路３０４を使用して、順序付けられた一覧の最後に到達したかどうかを判定してもよい。付加的既知のメディアアセット識別子が存在する場合、メディアガイドアプリケーションは、２０６に戻り、比較のために別の既知のメディアアセット識別子を選定してもよい。
【０１８７】
メディアガイドアプリケーションが、制御回路３０４を使用して、付加的既知のメディアアセット識別子が存在しないことを判定する場合、メディアガイドアプリケーションは、１２１８に進んでもよい。１２１８では、メディアガイドアプリケーションは、制御回路３０４を使用して、算出される類似度指標のいずれかが所与の類似度閾値を上回るかどうかを判定してもよい。メディアガイドアプリケーションによって使用される類似度閾値は、潜在的合致が宣言されるために必要な最低類似度であってもよい。例えば、メディアガイドアプリケーションが、類似度指標を登場人物毎または単語ベースの比較に基づかせる場合、メディアガイドアプリケーションは、登場人物または単語のあるパーセンテージが合致しなければならないように類似度閾値を設定してもよい。別の実施例では、メディアガイドアプリケーションが、キーワードに基づいて、メディアアセット識別子をカテゴリに割り当てた場合、メディアガイドアプリケーションは、２つのメディアアセット識別子が同一カテゴリに属する可能性が所与のレベルを上回らなければならないように、閾値を設定してもよい。類似度指標に適切な任意のそのような閾値が、使用されてもよい。
【０１８８】
メディアガイドアプリケーションが、制御回路３０４を使用して、算出される類似度指標のいずれも閾値を超えないことを判定する場合、メディアガイドアプリケーションは、１２２０に進んでもよい。１２２０では、メディアガイドアプリケーションは、制御回路３０４を使用して、合致が見つからなかったことをユーザに知らせてもよい。図９の９１０におけるように、メディアガイドアプリケーションは、表示のために（例えば、ディスプレイ３１２上に）、本旨の通知メッセージを生成してもよく、またはオーディオメッセージ（例えば、スピーカ３１４を介して再生されるために）を生成してもよい。触覚的感覚（例えば、振動）等の通知の任意の他の好適な手段または任意のそれらの組み合わせも同様に、使用されてもよい。
【０１８９】
メディアガイドアプリケーションが、制御回路３０４を使用して、少なくとも１つの算出される類似度指標が閾値を超えることを判定する場合、メディアガイドアプリケーションは、１２２２に進んでもよい。１２２２では、メディアガイドアプリケーションは、制御回路３０４を使用して、提案されるメディアアセット識別子を選択し、ユーザに提示してもよい。例えば、メディアアセット識別子は、受信されたメディアアセット識別子に対して最高類似度指標を伴う、既知のメディアアセット識別子を選択してもよい。別の実施例では、メディアガイドアプリケーションは、その類似度指標が閾値を超え、ユーザの選好と整合する（例えば、記憶回路３０８に記憶された、または通信ネットワーク４１４を介してアクセス可能な保存されたユーザ選好またはユーザプロファイルに基づいて）、既知のメディアアセット識別子を選択してもよい。
【０１９０】
１２２４では、メディアガイドアプリケーションは、ユーザに、選択されたメディアアセット識別子が要求したメディアアセットに対応することを確認するためのオプションを提供してもよい。例えば、メディアガイドアプリケーションは、ユーザ機器デバイス５００のディスプレイ３１２上に表示のために、メディアアセット識別子確認メッセージ５０８を生成してもよい。別の実施例では、メディアガイドアプリケーションは、オーディオメッセージを再生し（例えば、ユーザ機器デバイス５００のスピーカ３１４を使用して）、ユーザに確認を求めてもよい（マイクロホン５０２またはユーザ入力インターフェース３１０を使用して受信されるために）。
【０１９１】
図１２のステップまたは説明は、本開示の任意の他の実施形態とともに使用され得ることが考慮される。加えて、図１２に関して説明されるステップおよび説明は、本開示の目的を促進するように、代替的な順序で、または並行して行われてもよい。例えば、これらのステップのそれぞれは、システムまたは方法の遅延を減少させるかまたは速度を増加させるように、任意の順序で、または並行して、もしくは実質的に同時に行われてもよい。さらに、図１２のステップのうちの１つまたはそれを上回るものを行うために、図３−７に関して論じられるデバイスまたは機器のいずれかを使用できることに留意されたい。
【０１９２】
図１３は、本開示のいくつかの実施形態による、ユーザがすでに部分的に再生されたメディアアセットの一部の記憶を要求すると、複数のソースからのメディアアセットの一部のセクションを組み合わせるための例証的ステップのフロー図である。プロセス１３００またはその任意のステップは、図３−７に示されるデバイスのいずれか上で行われる、またはそれによって提供され得ることに留意されたい。例えば、プロセス１３００は、ユーザ機器４０２、４０４、および／または４０６（図４）上に実装される制御回路によって命令されるように、制御回路３０４（図３）によって実行され、ユーザがすでに部分的に再生されたメディアアセットの一部の記憶を要求すると、複数のソースからのメディアアセットの一部のセクションを組み合わせてもよい。加えて、プロセス１３００の１つまたはそれを上回るステップは、任意の他のプロセスまたは実施形態の１つまたはそれを上回るステップの中に組み込まれる、もしくはそれと組み合わせられてもよい。
【０１９３】
１３０２では、メディアガイドアプリケーションが、図８の８０２におけるように、制御回路３０４およびマイクロホン５０２を使用して、音声コマンド（例えば、コマンド５０４）をユーザから受信してもよい。１３０４では、メディアガイドアプリケーションは、制御回路３０４を使用して、音声コマンドが、メディアアセットの部分を記憶する命令を備えることを判定してもよく、部分は、メディアアセット全体未満である。再び、これは、図８の８０４に従う。
【０１９４】
１３０６では、メディアガイドアプリケーションは、制御回路３０４を使用して、メディアアセットの部分が命令に対応する初期ソースにおいてすでに部分的に再生されたことを判定してもよい。例えば、ユーザが、メディアアセットをユーザ機器デバイス５００上で視聴している場合、メディアガイドアプリケーションは、ユーザがメディアガイドアプリケーションに現在の場面を記憶するように命令したことを検出してもよい。メディアガイドアプリケーションは、制御回路３０４を使用して、命令の時間に、該場面ユーザ機器デバイス５００（すなわち、命令に対応する初期ソース）上ですでに部分的に再生されたであろうことを判定してもよい。本部分的再生は、メディアガイドアプリケーションによって検出されてもよい。
【０１９５】
１３０８では、メディアガイドアプリケーションは、制御回路３０４を使用して、初期ソースと同一ではない、メディアアセットの部分のための二次ソースを識別してもよい。図８の８０６におけるように、いくつかの実施形態では、メディアガイドアプリケーションは、ローカルに利用可能または遠隔データベースにおいて利用可能なメディアアセットの部分の既知のソースの一覧にアクセスしてもよい。他の実施形態では、メディアガイドアプリケーションは、より広範なインターネット検索を行い（例えば、通信ネットワーク４１４を使用して）、好適なソースを見つけてもよい。
【０１９６】
１３１０では、メディアガイドアプリケーションは、制御回路３０４を使用して、メディアアセットの部分の残りを初期ソースから記憶させてもよい。例えば、メディアガイドアプリケーションは、命令が受信された時間とその部分の終了との間で経過したメディアアセットの部分の残りを記憶させてもよい（例えば、記憶回路３０８に）。
【０１９７】
１３１２では、メディアガイドアプリケーションは、制御回路３０４を使用して、メディアアセットの部分の部分的に再生されたセクションを二次ソースから記憶させてもよい。例えば、メディアガイドアプリケーションは、メディアアセットの部分の開始と命令が受信された時間との間で経過したメディアアセットの部分の残りを記憶させてもよい（例えば、記憶回路３０８に）。メディアガイドアプリケーションは、初期ソースにおいて部分的に再生されたものを上回って記憶してもよい（例えば、初期ソースから記憶された残りと重複し、２つのサブ部分間の不一致をもたらす）。
【０１９８】
１３１４では、メディアガイドアプリケーションは、制御回路３０４を使用して、部分的に再生されたセクションとメディアアセットの部分の残りを組み合わせ、メディアアセットの要求された部分の全体を形成してもよい。例えば、メディアガイドアプリケーションは、２つのセクションを組み合わせ、単一ファイルを形成してもよい（例えば、記憶回路３０８に位置する）。別の実施例では、メディアガイドアプリケーションは、２つの記憶されたファイルがシームレスに再生され得るように、１つのセクションから他のセクションへのリンクを生成してもよい。
【０１９９】
図１３のステップまたは説明は、本開示の任意の他の実施形態とともに使用され得ることが考慮される。加えて、図１３に関して説明されるステップおよび説明は、本開示の目的を促進するように、代替的な順序で、または並行して行われてもよい。例えば、これらのステップのそれぞれは、システムまたは方法の遅延を減少または速度を増加させるように、任意の順序で、または並行して、もしくは実質的に同時に行われてもよい。さらに、図１３のステップのうちの１つまたはそれを上回るものを行うために、図３−７に関して論じられるデバイスまたは機器のいずれかを使用できることに留意されたい。
【０２００】
本発明に関わる方法が、コンピュータ使用可能および／または可読媒体を含む、コンピュータプログラム製品内で具現化されてもよいことは、当業者に明白となるであろう。例えば、そのようなコンピュータ使用可能メディアは、その上に記憶されたコンピュータ可読プログラムコードを有する、ＣＤ−ＲＯＭディスクもしくは従来のＲＯＭデバイス等の読取専用メモリデバイス、またはハードドライブデバイスもしくはコンピュータディスケット等のランダムアクセスメモリから成ってもよい。また、本発明に関わる方法、技法、およびプロセスは、処理回路を使用して実行されてもよいことを理解されたい。例えば、メディアアセットの部分のソースの識別は、処理回路、例えば、図３の処理回路３０６によって行われてもよい。処理回路は、例えば、ユーザ機器３００、メディアコンテンツソース４１６、またはメディアガイドデータソース４１８内の汎用プロセッサ、カスタマイズされた集積回路（例えば、ＡＳＩＣ）、またはフィールドプログラマブルゲートアレイ（ＦＰＧＡ）であってもよい。例えば、メディアアセット対応は、本明細書に説明されるように、図３の記憶３０８または図４のメディアガイドデータソース４１８内に記憶され、そこから読み出されてもよい。さらに、処理回路またはコンピュータプログラムは、ユーザプロファイル選好等のユーザと関連付けられた設定を更新し、図３の記憶３０８または図４のメディアガイドデータソース４１８内に記憶された情報を更新してもよい。
【０２０１】
前述のプロセスは、限定ではなく、例証であることが意図される。当業者は、本明細書で論じられるプロセスのステップが、省略される、修正される、組み合わせられる、および／または並べ替えされてもよく、任意の付加的ステップが、本発明の範囲から逸脱することなく、行われてもよいことを理解するであろう。より一般的には、前述の開示は、限定ではなく、例示であることを意図する。続く請求項のみが、本発明が包含するものに関する境界を設定することを意図する。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われてもよい。また、上記で説明されるシステムおよび／または方法は、他のシステムおよび／または方法に適用され、またはそれらに従って使用され得ることにも留意されたい。
【図１】
0006777550.tif 000002
【図２】
0006777550.tif 000003
【図３】
0006777550.tif 000004
【図４】
0006777550.tif 000005
【図５】
0006777550.tif 000006
【図６】
0006777550.tif 000007
【図７】
0006777550.tif 000008
【図８】
0006777550.tif 000009
【図９】
0006777550.tif 000010
【図１０】
0006777550.tif 000011
【図１１】
0006777550.tif 000012
【図１２】
0006777550.tif 000013
【図１３】
0006777550.tif 000014